(57)【要約】      （修正有）【課題】インター予測を用いピクチャ間の情報を参照する場合は、小領域を復号する場合でもピクチャ全体を復号しなければならない。また、イントラ予測を用いピクチャ内の情報を参照する場合は、タイル境界を超えて情報を参照することはできないこれらを解決する動画像符号化および復合装置を提供する。【解決手段】空間隣接ブロックあるいは時間隣接ブロックから取得した利用可能な動きベクトルをもとに、スケーリングにより算出した対象ブロックのサブブロックレベルの動きベクトルの指す画素がタイルシーケンス内にない場合、画素値をタイルシーケンス内の画素値で置き換える処理を実施する。また、イントラ予測時にタイルシーケンス外の画素を参照する時は予測画像補正部は、仮予測画像の画素値と未フィルタ参照画像の画素値に対して重み付け加算を適用して予測画像を導出し、画素値をタイルシーケンス内の画素で置き換える。【選択図】図３９
2020145487.tif 000002
【特許請求の範囲】
【請求項１】
予測対象ブロックに対して設定される参照領域上のフィルタ済参照画像を導出するフィルタ済参照画像設定部と、
イントラ予測モードに応じた予測方式により、前記フィルタ済参照画像を参照して前記予測対象ブロックの仮予測画像を導出する予測部と、
前記参照領域上の未フィルタ参照画像と前記イントラ予測モードに基づいて予測画像補正処理を行うことにより、前記仮予測画像から予測画像を生成する予測画像補正部とを備え、
前記予測画像補正部は、前記仮予測画像の画素値と、少なくとも２個以上の未フィルタ参照画像の画素値とに対して重み係数を用いた重み付け加算を適用することで前記予測画像を導出し、
前記予測対象ブロックの左上に位置する未フィルタ参照画像の画素（左上画素）がタイルシーケンス外に位置する場合、
前記左上画素の画素値をタイルシーケンス内の画素値で置き換えて予測画像を導出することを特徴とする動画像復号装置、あるいは、動画像符号化装置。
【請求項２】
前記予測画像補正部は、前記左上画素の画素値を、予測対象ブロックの左端、あるいは右端の画素の直上に位置する未フィルタ参照画像の画素値で置換えることを特徴とする請求項１に記載の動画像復号装置、あるいは動画像符号化装置。
【請求項３】
前記予測画像補正部は、前記左上画素の画素値を、予測対象ブロックの上端、あるいは下端の画素の直左に位置する未フィルタ参照画像の画素値で置換えることを特徴とする請求項１に記載の動画像復号装置、あるいは動画像符号化装置。
【発明の詳細な説明】
【技術分野】
【０００１】
本発明の実施形態は、動画像復号装置、および動画像符号化装置に関する。
【背景技術】
【０００２】
動画像を効率的に伝送または記録するために、動画像を符号化することによって符号化データを生成する動画像符号化装置、および、当該符号化データを復号することによって復号画像を生成する動画像復号装置が用いられている。
【０００３】
具体的な動画像符号化方式としては、例えば、H.264/AVCやHEVC（High-Efficiency Video Coding）にて提案されている方式などが挙げられる。
【０００４】
このような動画像符号化方式においては、動画像を構成する画像（ピクチャ）は、画像を分割することにより得られるスライス、スライスを分割することにより得られる符号化ツリーユニット（CTU：Coding Tree Unit）、符号化ツリーユニットを分割することで得
られる符号化単位（符号化ユニット（CU：Coding Unit）と呼ばれることもある）、及び
、符号化単位を分割することより得られるブロックである予測ユニット（PU：Prediction
Unit）、変換ユニット（TU：Transform Unit）からなる階層構造により管理され、CUご
とに符号化／復号される。
【０００５】
また、このような動画像符号化方式においては、通常、入力画像を符号化／復号することによって得られる局所復号画像に基づいて予測画像が生成され、当該予測画像を入力画像（原画像）から減算して得られる予測残差（「差分画像」または「残差画像」と呼ぶこともある）が符号化される。予測画像の生成方法としては、画面間予測（インター予測）、および、画面内予測（イントラ予測）が挙げられる（非特許文献１）。
【０００６】
また、近年、マルチコアCPUやGPU等のプロセッサの進化に伴い、動画像符号化および復号処理において、並列処理を行いやすい構成やアルゴリズムが採用されるようになってきた。並列化しやすい構成の一例として、タイル(Tile)という画面（ピクチャ）分割単位が導入されている。タイルはスライスと異なり、ピクチャを矩形領域に分割したものであるが、ある１枚のピクチャにおいて、タイル外の情報（予測モード、MV、画素値）を参照せずに、タイルを復号する。従って、タイルは１ピクチャ内では独立に復号することができる（非特許文献２）。ところで、タイルの場合にも、既に復号した異なるピクチャ（参照ピクチャ）をインター予測により参照する場合、対象タイルが参照ピクチャ上で参照する情報（予測モード、MV、画素値）は、参照ピクチャ上の対象タイルと同じ位置の領域の情報には限らないので、動画像の一部の領域（タイル、あるいは限られた個数のタイル）のみを再生する場合でも、動画像全体を再生する必要がある。
【０００７】
さらに、近年、4Kや8K、あるいはVR、360度動画のような360度全方位を取り込んだ動画に代表される、動画像の高解像度化が進んでいる。これらをスマホやHMD(Head Mount Display)で視聴する時は高解像度映像の一部を切り出してディスプレイに表示する。スマホ
やHMDでは電池の容量は大きくなく、表示に必要な一部の領域を抽出して、最小限の復号
処理により映像を視聴できる仕組みが期待されている。
【先行技術文献】
【非特許文献】
【０００８】
【非特許文献１】"Algorithm Description of Joint Exploration Test Model 6", JVET-F1001, Joint Video Exploration Team (JVET) of ITU-T SG 16 WP 3 and ISO/IEC JTC 1/SC 29/WG 11, 31 March- April 2017
【非特許文献２】ITU-T H.265(04/2015) SERIES H:AUDIOVISUAL AND MULTIMEDIA SYSTEMS Infrastructure of audiovisual services - Coding of moving video High efficiency video coding
【発明の概要】
【発明が解決しようとする課題】
【０００９】
上記で説明したように、タイルはピクチャを矩形領域に分割したものであり、１枚のピクチャにおいて、タイル外の情報（予測モード、MV、画素値）を参照せずに復号することができる。すなわち、タイルは１ピクチャ内では独立に復号することができる。しかしながら、シーケンスとして、動画像の一部の領域（タイル、あるいは限られた個数のタイル）を復号するには、動画像全体を再生する必要がある。タイルを空間方向だけでなく、時間方向にも独立に処理できるようにするには、エンコード側において、対象タイルおよびコロケートタイルに隣接するタイルの情報を使用する可能性のあるツールを一切使用しなければよいが、この場合、ツールに関する情報を無駄に伝送する必要があり、著しく符号化効率が低下する。また、対象タイルに隣接するタイルの情報を使用しない処理も必要であるが、符号化効率が低下する。
【００１０】
そこで、本発明は、上記の課題に鑑みてなされたものであり、その目的は、符号化効率の低下を抑えつつ、空間方向および時間方向において各タイルの独立な復号を保証する仕組みを提供することである。
【課題を解決するための手段】
【００１１】
本発明の一態様に係る画像復号装置、あるいは動画像符号化装置は、予測対象ブロックに対して設定される参照領域上のフィルタ済参照画像を導出するフィルタ済参照画像設定部と、イントラ予測モードに応じた予測方式により、前記フィルタ済参照画像を参照して前記予測対象ブロックの仮予測画像を導出する予測部と、前記参照領域上の未フィルタ参照画像と前記イントラ予測モードに基づいて予測画像補正処理を行うことにより、前記仮予測画像から予測画像を生成する予測画像補正部とを備え、前記予測画像補正部は、前記仮予測画像の画素値と、少なくとも２個以上の未フィルタ参照画像の画素値とに対して重み係数を用いた重み付け加算を適用することで前記予測画像を導出し、前記予測対象ブロックの左上に位置する未フィルタ参照画像の画素（左上画素）がタイルシーケンス外に位置する場合、前記左上画素の画素値をタイルシーケンス内の画素値で置き換えて予測画像を導出することを特徴とする。
【発明の効果】
【００１２】
本発明の一態様によれば、動画像において、個々のツール毎に各タイルの復号の独立性を保証する仕組みを導入するので、符号化効率の低下を抑えつつ、各タイルを独立に復号をすることができる。これにより、表示等に必要な領域を選択して復号できるので、処理量を大幅に削減することができる。
【図面の簡単な説明】
【００１３】
【図１】本実施形態に係る符号化ストリームのデータの階層構造を示す図である。
【図２】PU分割モードのパターンを示す図である。（ａ）〜（ｈ）は、それぞれ、PU分割モードが、2Nx2N、2NxN、2NxnU、2NxnD、Nx2N、nLx2N、nRx2N、及び、NxNの場合のパーティション形状について示している。
【図３】参照ピクチャおよび参照ピクチャリストの一例を示す概念図である。
【図４】本実施形態に係るタイル符号化部の構成を示すブロック図である。
【図５】本実施形態に係るタイル復号部の構成を示す図である。
【図６】本実施形態に係るインター予測画像生成部の構成を示す図である。
【図７】本実施形態に係るマージ予測パラメータ導出部の構成を示す図である。
【図８】本実施形態に係るAMVP予測パラメータ導出部の構成を示す図である。
【図９】本実施形態に係る動き情報の復号処理の動作を示すフローチャートである。
【図１０】本実施形態に係るインター予測パラメータ符号化部の構成を示す概略図である。
【図１１】本実施形態に係るインター予測画像生成部の構成を示す図である。
【図１２】本実施形態に係るインター予測パラメータ復号部の構成を示す図である。
【図１３】動きベクトルを予測する対象であるPUを構成する各サブブロックの動きベクトルspMvLX[xi][yi]を導出する例を示す図である。
【図１４】（ａ）は、バイラテラルマッチング（Bilateral matching）について説明するための図である。（ｂ）は、テンプレートマッチング（Template matching）について説明するための図である。
【図１５】本実施形態に係る符号化ストリームのデータの階層構造を示す別の図である。
【図１６】本実施形態に係る符号化ストリームのデータの階層構造を示す別の図である。
【図１７】タイルを説明する図である。
【図１８】タイル情報等に関するシンタックス表である。
【図１９】タイルの時間方向の参照について説明する図である。
【図２０】本発明に係る動画像符号化装置、および、動画像復号装置の構成を示すブロック図である。
【図２１】タイル境界と、対象ブロックと参照ブロックの位置関係を示す図である。
【図２２】ATMVP処理を説明する図である。
【図２３】ATMVP処理の動作を示すフローチャートである。
【図２４】予測ベクトル候補リスト（マージ候補リスト）を示す図である。
【図２５】STMVP処理を説明する図である。
【図２６】STMVP処理の動作を示すフローチャートである。
【図２７】本実施形態に係る動画像符号化装置を搭載した送信装置、および、動画像復号装置を搭載した受信装置の構成について示した図である。（ａ）は、動画像符号化装置を搭載した送信装置を示しており、（ｂ）は、動画像復号装置を搭載した受信装置を示している。
【図２８】本実施形態に係る動画像符号化装置を搭載した記録装置、および、動画像復号装置を搭載した再生装置の構成について示した図である。（ａ）は、動画像符号化装置を搭載した記録装置を示しており、（ｂ）は、動画像復号装置を搭載した再生装置を示している。
【図２９】本実施形態に係る画像伝送システムの構成を示す概略図である。
【図３０】アフィン予測における制御点の動きベクトルの導出のために参照するブロックの位置の例を示す図である。
【図３１】アフィン予測の動作を示すフローチャートである。
【図３２】マッチングモードの動きベクトル導出処理の動作を示すフローチャートである。
【図３３】OBMC予測の対象サブブロックと隣接ブロックの一例を示す図である。
【図３４】OBMC予測のパラメータ導出処理を示すフローチャートである。
【図３５】バイラテラルテンプレートマッチング処理を説明する図である。
【図３６】LIC予測の予測パラメータの導出に使用する画素の一例を示す図である。
【図３７】イントラ予測モードを示す図である。
【図３８】予測対象ブロックと未フィルタ/フィルタ済参照画像を示す図である。
【図３９】イントラ予測画像生成部の構成を示すブロック図である。
【図４０】CCLM予測処理を説明する図である。
【図４１】LM予測部の構成を示すブロック図である。
【図４２】バウンダリフィルタを説明する図である。
【図４３】予測画像補正部の動作を示すフローチャートである。
【図４４】参照強度係数テーブルの一例を示す図である。
【図４５】イントラ予測画像生成部の動作を示すフローチャートである。
【図４６】タイル境界でのバウンダリフィルタの参照画素を示す図である。
【図４７】バウンダリフィルタを説明する別の図である。
【図４８】対象ブロックのサーチレンジを示す図である。
【発明を実施するための形態】
【００１４】
（第１の実施形態）
以下、図面を参照しながら本発明の実施形態について説明する。
【００１５】
図２９は、本実施形態に係る画像伝送システム１の構成を示す概略図である。
【００１６】
画像伝送システム１は、符号化対象画像を符号化した符号を伝送し、伝送された符号を復号し画像を表示するシステムである。画像伝送システム１は、画像符号化装置（動画像符号化装置）１１、ネットワーク２１、画像復号装置（動画像復号装置）３１及び画像表示装置（動画像表示装置）４１を含んで構成される。
【００１７】
画像符号化装置１１には、単一レイヤもしくは複数レイヤの画像を示す画像Ｔが入力される。レイヤとは、ある時間を構成するピクチャが１つ以上ある場合に、複数のピクチャを区別するために用いられる概念である。たとえば、同一ピクチャを、画質や解像度の異なる複数のレイヤで符号化するとスケーラブル符号化になり、異なる視点のピクチャを複数のレイヤで符号化するとビュースケーラブル符号化となる。複数のレイヤのピクチャ間で予測（インターレイヤ予測、インタービュー予測）を行う場合には、符号化効率が大きく向上する。また予測を行わない場合（サイマルキャスト）の場合にも、符号化データをまとめることができる。
【００１８】
ネットワーク２１は、画像符号化装置１１が生成した符号化ストリームＴｅを画像復号装置３１に伝送する。ネットワーク２１は、インターネット（internet）、広域ネットワーク（WAN:Wide Area Network）、小規模ネットワーク（LAN:Local Area Network）また
はこれらの組み合わせである。ネットワーク２１は、必ずしも双方向の通信網に限らず、地上デジタル放送、衛星放送等の放送波を伝送する一方向の通信網であっても良い。また、ネットワーク２１は、DVD（Digital Versatile Disc）、BD（Blue-ray Disc）等の符号化ストリームTeを記録した記憶媒体で代替されても良い。
【００１９】
画像復号装置３１は、ネットワーク２１が伝送した符号化ストリームTeのそれぞれを復号し、それぞれ復号した１または複数の復号画像Tdを生成する。
【００２０】
画像表示装置４１は、画像復号装置３１が生成した１または複数の復号画像Tdの全部または一部を表示する。画像表示装置４１は、例えば、液晶ディスプレイ、有機ＥＬ（Electro-luminescence）ディスプレイ等の表示デバイスを備える。ディスプレイの形態としては、据え置き、モバイル、HMD等が挙げられる。また、空間スケーラブル符号化、ＳＮＲ
スケーラブル符号化では、画像復号装置３１、画像表示装置４１が高い処理能力を有する場合には、画質の高い拡張レイヤ画像を表示し、より低い処理能力しか有しない場合には、拡張レイヤほど高い処理能力、表示能力を必要としないベースレイヤ画像を表示する。
【００２１】
＜演算子＞
本明細書で用いる演算子を以下に記載する。
【００２２】
>>は右ビットシフト、<<は左ビットシフト、&はビットワイズAND、|はビットワイズOR
、|=はOR代入演算子である。
【００２３】
x ? y : zは、xが真（0以外）の場合にy、xが偽（0）の場合にzをとる３項演算子であ
る。
【００２４】
Clip3(a, b, c) は、cをa以上b以下の値にクリップする関数であり、c<aの場合にはaを返し、c>bの場合にはbを返し、その他の場合にはcを返す関数である（ただし、a<=b）。
【００２５】
abs(a)はaの絶対値を返す関数である。
【００２６】
Int(a)はaの整数値を返す関数である。
【００２７】
floor(a)はa以下の最大の整数を返す関数である。
【００２８】
a/dはdによるaの除算（小数点以下切り捨て）を表す。
【００２９】
＜符号化ストリームTeの構造＞
本実施形態に係る画像符号化装置１１および画像復号装置３１の詳細な説明に先立って、画像符号化装置１１によって生成され、画像復号装置３１によって復号される符号化ストリームTeのデータ構造について説明する。
【００３０】
図１は、符号化ストリームTeにおけるデータの階層構造を示す図である。符号化ストリームTeは、例示的に、シーケンス、およびシーケンスを構成する複数のピクチャを含む。図１の（ａ）〜（ｆ）は、それぞれ、シーケンスSEQを既定する符号化ビデオシーケンス
、ピクチャPICTを規定する符号化ピクチャ、スライスSを規定する符号化スライス、スラ
イスデータを規定する符号化スライスデータ、符号化スライスデータに含まれる符号化ツリーユニット、符号化ツリーユニットに含まれる符号化ユニット（Coding Unit；CU）を
示す図である。
【００３１】
（符号化ビデオシーケンス）
符号化ビデオシーケンスでは、処理対象のシーケンスSEQを復号するために画像復号装
置３１が参照するデータの集合が規定されている。シーケンスSEQは、図１の（ａ）に示
すように、ビデオパラメータセットVPS（Video Parameter Set）、シーケンスパラメータセットSPS（Sequence Parameter Set）、ピクチャパラメータセットPPS（Picture Parameter Set）、ピクチャPICT、及び、付加拡張情報SEI（Supplemental Enhancement Information）を含んでいる。ここで＃の後に示される値はレイヤIDを示す。図１では、#0と#1、すなわちレイヤ０とレイヤ１の符号化データが存在する例を示すが、レイヤの種類およびレイヤの数はこれによらない。
【００３２】
ビデオパラメータセットVPSは、複数のレイヤから構成されている動画像において、複
数の動画像に共通する符号化パラメータの集合、および、動画像に含まれる複数のレイヤおよび個々のレイヤに関連する符号化パラメータの集合が規定されている。
【００３３】
シーケンスパラメータセットSPSでは、対象シーケンスを復号するために画像復号装置
３１が参照する符号化パラメータの集合が規定されている。例えば、ピクチャの幅や高さが規定される。なお、SPSは複数存在してもよい。その場合、PPSから複数のSPSの何れか
を選択する。
【００３４】
ピクチャパラメータセットPPSでは、対象シーケンス内の各ピクチャを復号するために
画像復号装置３１が参照する符号化パラメータの集合が規定されている。例えば、ピクチャの復号に用いられる量子化幅の基準値（pic_init_qp_minus26）や重み付き予測の適用
を示すフラグ（weighted_pred_flag）が含まれる。なお、PPSは複数存在してもよい。そ
の場合、対象シーケンス内の各スライスヘッダから複数のPPSの何れかを選択する。
【００３５】
（符号化ピクチャ）
符号化ピクチャでは、処理対象のピクチャPICTを復号するために画像復号装置３１が参照するデータの集合が規定されている。ピクチャPICTは、図１の（ｂ）に示すように、スライスS0〜SNS-1を含んでいる（ＮＳはピクチャPICTに含まれるスライスの総数）。
【００３６】
なお、以下、スライスS0〜SNS-1のそれぞれを区別する必要が無い場合、符号の添え字
を省略して記述することがある。また、以下に説明する符号化ストリームTeに含まれるデータであって、添え字を付している他のデータについても同様である。
【００３７】
（符号化スライス）
符号化スライスでは、処理対象のスライスSを復号するために画像復号装置３１が参照
するデータの集合が規定されている。スライスSは、図１の（ｃ）に示すように、スライ
スヘッダSH、および、スライスデータSDATAを含んでいる。
【００３８】
スライスヘッダSHには、対象スライスの復号方法を決定するために画像復号装置３１が参照する符号化パラメータ群が含まれる。スライスタイプを指定するスライスタイプ指定情報（slice_type）は、スライスヘッダSHに含まれる符号化パラメータの一例である。
【００３９】
スライスタイプ指定情報により指定可能なスライスタイプとしては、（１）符号化の際にイントラ予測のみを用いるＩスライス、（２）符号化の際に単方向予測、または、イントラ予測を用いるＰスライス、（３）符号化の際に単方向予測、双方向予測、または、イントラ予測を用いるＢスライスなどが挙げられる。なお、インター予測は、単予測、双予測に限定されず、より多くの参照ピクチャを用いて予測画像を生成してもよい。以下、P
、Bスライスと呼ぶ場合には、インター予測を用いることができるブロックを含むスライ
スを指す。
【００４０】
なお、スライスヘッダSHには、上記符号化ビデオシーケンスに含まれる、ピクチャパラメータセットPPSへの参照（pic_parameter_set_id）を含んでいても良い。
【００４１】
（符号化スライスデータ）
符号化スライスデータでは、処理対象のスライスデータSDATAを復号するために画像復
号装置３１が参照するデータの集合が規定されている。スライスデータSDATAは、図１の
（ｄ）に示すように、符号化ツリーユニット（CTU:Coding Tree Unit、CTUブロック）を
含んでいる。CTUは、スライスを構成する固定サイズ（例えば64x64）のブロックであり、最大符号化単位（LCU:Largest Coding Unit）と呼ぶこともある。
【００４２】
（符号化ツリーユニット）
図１の（ｅ）には、処理対象の符号化ツリーユニットを復号するために画像復号装置３１が参照するデータの集合が規定されている。符号化ツリーユニットは、再帰的な４分木分割（QT分割）または２分木分割（BT分割）により符号化処理の基本的な単位である符号化ユニット（CU:Coding Unit）に分割される。再帰的な４分木分割または２分木分割により得られる木構造を符号化ツリー（CT:Coding Tree）、木構造のノードのことを符号化ノード（CN:Coding Node）と称する。４分木及び２分木の中間ノードは、符号化ノードであり、符号化ツリーユニット自身も最上位の符号化ノードとして規定される。
【００４３】
CTは、CT情報として、QT分割を行うか否かを示すQT分割フラグ（cu_split_flag）、及
びBT分割の分割方法を示すBT分割モード（split_bt_mode）を含む。cu_split_flag及び／又はsplit_bt_modeは符号化ノードCNごとに伝送される。cu_split_flagが１の場合には、符号化ノードCNは４つの符号化ノードCNに分割される。cu_split_flagが０の時、split_bt_modeが１の場合には、符号化ノードCNは２つの符号化ノードCNに水平分割され、split_bt_modeが２の場合には、符号化ノードCNは２つの符号化ノードCNに垂直分割され、split_bt_modeが０の場合には、符号化ノードCNは分割されず、１つの符号化ユニットCUをノードとして持つ。符号化ユニットCUは符号化ノードの末端ノード（リーフノード）であり、これ以上分割されない。
【００４４】
また、符号化ツリーユニットCTUのサイズが64x64画素の場合には、符号化ユニットのサイズは、64x64画素、64x32画素、32x64画素、32x32画素、64x16画素、16x64画素、32x16
画素、16x32画素、16x16画素、64x8画素、8x64画素、32x8画素、8x32画素、16x8画素、8x16画素、8x8画素、64x4画素、4x64画素、32x4画素、4x32画素、16x4画素、4x16画素、8x4画素、4x8画素、及び、4x4画素の何れかをとり得る。
【００４５】
（符号化ユニット）
図１の（ｆ）には、処理対象の符号化ユニットを復号するために画像復号装置３１が参照するデータの集合が規定されている。具体的には、符号化ユニットは、予測ツリー、変換ツリー、CUヘッダCUHから構成される。CUヘッダでは予測モード、分割方法（PU分割モ
ード）等が規定される。
【００４６】
なお、符号化ストリームTeのデータ構造は、図１ではなく、図15の構成をとってもよい。図15と図１の違いとして、スライスをさらにタイルに分割し、タイルの中にCTUが含ま
れることである。従って（ｄ）符号化スライスデータの中にタイルが含まれ、（ｇ）符号化タイルの中にCTUが含まれる。
【００４７】
また、符号化ストリームTeのデータ構造は、図１ではなく、図16の構成をとってもよい。図16と図１の違いとして、スライスをタイルに置換え、タイルデータの中にCTUが含ま
れることである。従って（ｂ）符号化ピクチャの中にタイルが含まれ、（ｇ）符号化タイルはタイルヘッダとタイルデータから構成され、（ｈ）符号化タイルデータの中にCTUが
含まれる。
【００４８】
予測ツリーでは、符号化ユニットを１または複数に分割した各予測ユニット（PU）の予測パラメータ（参照ピクチャインデックス、動きベクトル等）が規定される。別の表現でいえば、予測ユニットは、符号化ユニットを構成する１または複数の重複しない領域である。また、予測ツリーは、上述の分割により得られた１または複数の予測ユニットを含む。なお、以下では、予測ユニットをさらに分割した予測単位を「サブブロック」と呼ぶ。サブブロックは、複数の画素によって構成されている。予測ユニットとサブブロックのサイズが等しい場合には、予測ユニット中のサブブロックは１つである。予測ユニットがサブブロックのサイズよりも大きい場合には、予測ユニットは、サブブロックに分割される。たとえば予測ユニットが8x8、サブブロックが4x4の場合には、予測ユニットは水平に２分割、垂直に２分割からなる、４つのサブブロックに分割される。
【００４９】
予測処理は、この予測ユニット（サブブロック）ごとに行ってもよい。
【００５０】
予測ツリーにおける予測の種類は、大まかにいえば、イントラ予測の場合と、インター予測の場合との２つがある。イントラ予測とは、同一ピクチャ内の予測であり、インター予測とは、互いに異なるピクチャ間（例えば、表示時刻間、レイヤ画像間）で行われる予測処理を指す。
【００５１】
イントラ予測の場合、分割方法は、2Nx2N（符号化ユニットと同一サイズ）と、NxNとがある。
【００５２】
また、インター予測の場合、分割方法は、符号化データのPU分割モード（part_mode）
により符号化され、2Nx2N（符号化ユニットと同一サイズ）、2NxN、2NxnU、2NxnD、Nx2N
、nLx2N、nRx2N、および、NxNなどがある。なお、2NxN、Nx2Nは1:1の対称分割を示し、
2NxnU、2NxnDおよびnLx2N、nRx2Nは、1:3、3:1の非対称分割を示す。CUに含まれるPUを順にPU0、PU1、PU2、PU3と表現する。
【００５３】
図２の（ａ）〜（ｈ）に、それぞれのPU分割モードにおけるパーティションの形状（PU分割の境界の位置）を具体的に図示している。図２の（ａ）は、2Nx2Nのパーティション
を示し、（ｂ）、（ｃ）、（ｄ）は、それぞれ、2NxN、2NxnU、および、2NxnDのパーティション（横長パーティション）を示す。（ｅ）、（ｆ）、（ｇ）は、それぞれ、Nx2N、nLx2N、nRx2Nである場合のパーティション（縦長パーティション）を示し、（ｈ）は、NxN
のパーティションを示す。なお、横長パーティションと縦長パーティションを総称して長方形パーティション、2Nx2N、NxNを総称して正方形パーティションと呼ぶ。
【００５４】
また、変換ツリーにおいては、符号化ユニットが１または複数の変換ユニットTUに分割され、各変換ユニットの位置とサイズとが規定される。別の表現でいえば、変換ユニットは、符号化ユニットを構成する１または複数の重複しない領域のことである。また、変換ツリーは、上述の分割より得られた１または複数の変換ユニットを含む。
【００５５】
変換ツリーにおける分割には、符号化ユニットと同一のサイズの領域を変換ユニットとして割り付けるものと、上述したCUの分割と同様、再帰的な４分木分割によるものがある。
【００５６】
変換処理は、この変換ユニットごとに行われる。
【００５７】
（予測パラメータ）
予測ユニット（PU：Prediction Unit）の予測画像は、PUに付随する予測パラメータに
よって導出される。予測パラメータには、イントラ予測の予測パラメータもしくはインター予測の予測パラメータがある。以下、インター予測の予測パラメータ（インター予測パラメータ）について説明する。インター予測パラメータは、予測リスト利用フラグpredFlagL0、predFlagL1と、参照ピクチャインデックスrefIdxL0、refIdxL1と、動きベクトルmvL0、mvL1から構成される。予測リスト利用フラグpredFlagL0、predFlagL1は、各々L0リスト、L1リストと呼ばれる参照ピクチャリストが用いられるか否かを示すフラグであり、値が１の場合に、対応する参照ピクチャリストが用いられる。なお、本明細書中「ＸＸであるか否かを示すフラグ」と記す場合、フラグが０以外（たとえば１）をＸＸである場合、０をＸＸではない場合とし、論理否定、論理積などでは１を真、０を偽と扱う（以下同様）。但し、実際の装置や方法では真値、偽値として他の値を用いることもできる。
【００５８】
符号化データに含まれるインター予測パラメータを導出するためのシンタックス要素には、例えば、PU分割モードpart_mode、マージフラグmerge_flag、マージインデックスmerge_idx、インター予測識別子inter_pred_idc、参照ピクチャインデックスref_idx_lX（refIdxLX）、予測ベクトルインデックスmvp_lX_idx、差分ベクトルmvdLXがある。
【００５９】
（参照ピクチャリスト）
参照ピクチャリストは、参照ピクチャメモリ３０６に記憶された参照ピクチャからなるリストである。図３は、参照ピクチャおよび参照ピクチャリストの一例を示す概念図であ
る。図３（ａ）において、矩形はピクチャ、矢印はピクチャの参照関係、横軸は時間、矩形中のI、P、Bは各々イントラピクチャ、単予測ピクチャ、双予測ピクチャ、矩形中の数
字は復号順を示す。図に示すように、ピクチャの復号順は、I0、P1、B2、B3、B4であり、表示順は、I0、B3、B2、B4、P1である。図３（ｂ）に、参照ピクチャリストの例を示す。参照ピクチャリストは、参照ピクチャの候補を表すリストであり、１つのピクチャ（スライス）が１つ以上の参照ピクチャリストを有してもよい。図の例では、対象ピクチャB3は、L0リストRefPicList0およびL1リストRefPicList1の２つの参照ピクチャリストを持つ。対象ピクチャがB3の場合の参照ピクチャは、I0、P1、B2であり、参照ピクチャはこれらのピクチャを要素として持つ。個々の予測ユニットでは、参照ピクチャリストRefPicListX
（X=0または1）中のどのピクチャを実際に参照するかを参照ピクチャインデックスrefIdxLXで指定する。図では、refIdxL0およびrefIdxL1により参照ピクチャP1とB2が参照される例を示す。なお、LXは、L0予測とL1予測を区別しない場合に用いられる記述方法であり、以降では、LXをL0、L1に置き換えることでL0リストに対するパラメータとL1リストに対するパラメータを区別する。
【００６０】
（マージ予測とAMVP予測）
予測パラメータの復号（符号化）方法には、マージ予測（merge）モードとAMVP（Adaptive Motion Vector Prediction、適応動きベクトル予測）モードがある、マージフラグmerge_flagは、これらを識別するためのフラグである。マージモードは、予測リスト利用フラグpredFlagLX（またはインター予測識別子inter_pred_idc）、参照ピクチャインデックスrefIdxLX、動きベクトルmvLXを符号化データに含めずに、既に処理した近傍PUの予測パラメータから導出する用いるモードである。AMVPモードは、インター予測識別子inter_pred_idc、参照ピクチャインデックスrefIdxLX、動きベクトルmvLXを符号化データに含めるモードである。なお、動きベクトルmvLXは、予測ベクトルmvpLXを識別する予測ベクトル
インデックスmvp_lX_idxと差分ベクトルmvdLXとして符号化される。
【００６１】
インター予測識別子inter_pred_idcは、参照ピクチャの種類および数を示す値であり、PRED_L0、PRED_L1、PRED_BIの何れかの値をとる。PRED_L0、PRED_L1は、各々L0リスト、L1リストの参照ピクチャリストで管理された参照ピクチャを用いることを示し、１枚の参
照ピクチャを用いること（単予測）を示す。PRED_BIは２枚の参照ピクチャを用いること
（双予測BiPred）を示し、L0リストとL1リストで管理された参照ピクチャを用いる。予測ベクトルインデックスmvp_lX_idxは予測ベクトルを示すインデックスであり、参照ピクチャインデックスrefIdxLXは、参照ピクチャリストで管理された参照ピクチャを示すインデックスである。
【００６２】
マージインデックスmerge_idxは、処理が完了したPUから導出される予測パラメータ候
補（マージ候補）のうち、いずれかの予測パラメータを復号対象PUの予測パラメータとして用いるかを示すインデックスである。
【００６３】
（動きベクトル）
動きベクトルmvLXは、異なる２つのピクチャ上のブロック間のずれ（シフト）量を示す。動きベクトルmvLXに関する予測ベクトル、差分ベクトルを、それぞれ予測ベクトルmvpLX、差分ベクトルmvdLXと呼ぶ。
【００６４】
（インター予測識別子inter_pred_idcと予測リスト利用フラグpredFlagLX）
インター予測識別子inter_pred_idcと、予測リスト利用フラグpredFlagL0、predFlagL1の関係は以下のとおりであり、相互に変換可能である。
【００６５】
inter_pred_idc = （predFlagL1<<１） + predFlagL0
predFlagL0 = inter_pred_idc & １
predFlagL1 = inter_pred_idc >> １
なお、インター予測パラメータは、予測リスト利用フラグを用いても良いし、インター予測識別子を用いてもよい。また、予測リスト利用フラグを用いた判定は、インター予測識別子を用いた判定に置き替えてもよい。逆に、インター予測識別子を用いた判定は、予測リスト利用フラグを用いた判定に置き替えてもよい。
【００６６】
（双予測biPredの判定）
双予測BiPredであるかのフラグbiPredは、２つの予測リスト利用フラグがともに１であるかによって導出できる。たとえば以下の式で導出できる。
【００６７】
biPred = (predFlagL0 == 1 && predFlagL1 == 1)
フラグbiPredは、インター予測識別子が２つの予測リスト（参照ピクチャ）を使うことを示す値であるか否かによっても導出できる。たとえば以下の式で導出できる。
【００６８】
biPred = (inter_pred_idc == PRED_BI) ? 1 : 0
上記式は、以下の式でも表現できる。
【００６９】
biPred = (inter_pred_idc == PRED_BI)
なお、PRED_BIはたとえば3の値を用いることができる。
【００７０】
（イントラ予測）
次にイントラ予測予測パラメータについて説明する。
【００７１】
イントラ予測パラメータとは、CUをピクチャ内の情報で予測する処理に用いられるパラメータ、例えば、イントラ予測モードIntraPredModeであり、輝度イントラ予測モードIntraPredModeYと色差イントラ予測モードIntraPredModeCは異なっても良い。イントラ予測
モードは、例えば６７種類存在し、プレーナ予測、DC予測、Angular（方向)予測からなる。色差予測モードIntraPredModeCは、例えば、プレーナ予測、DC予測、Angular予測、ダ
イレクトモード（輝度の予測モードを使用するモード）、LM予測（輝度画素から線形予測するモード）の何れかを用いる。
【００７２】
輝度イントラ予測モードIntraPredModeYは、対象ブロックに適用される確率が高いと推定されたイントラ予測モードからなるMPM（Most Probable Mode）候補リストを用いて導
出する場合と、MPM候補リストに含まれない予測モードであるREMから導出する場合がある。どちらの方法を用いるかをフラグprev_intra_luma_pred_flagで通知し、前者の場合は
、インデックスmpm_idxと、隣接ブロックのイントラ予測モードから導出したMPM候補リストを用いてIntraPredModeYを導出する。後者の場合は、フラグrem_selected_mode_flagと、モードrem_selected_modeおよびrem_non_selected_modeを用いてイントラ予測モードを導出する。
【００７３】
色差イントラ予測モードIntraPredModeCは、LM予測を用いるか否かを示すフラグnot_lm_chroma_flagを用いて導出する場合、ダイレクトモードを用いるか否かを示すフラグnot_dm_chroma_flagを用いて導出する場合、色差画素に適用されるイントラ予測モードを直接指定するインデックスchroma_intra_mode_idxを用いて導出する場合がある。
【００７４】
（ループフィルタ）
ループフィルタは符号化ループ内に設けたフィルタで、ブロック歪やリンギング歪を除去し、画質を改善するフィルタである。ループフィルタには、主に、デブロッキングフィルタ、サンプル適応オフセット（SAO：Sample Adaptive Offset）、適応ループフィルタ
（ALF：Adaptive Loop Filter）がある。
【００７５】
デブロッキングフィルタは、ブロック境界を介して互いに隣接する輝度成分の画素のデブロック前画素値の差が予め定められた閾値よりも小さい場合に、当該ブロック境界に対して、輝度および色差成分の画素にデブロッキング処理を施すことによって、当該ブロック境界付近の画像の平滑化を行う。
【００７６】
SAOはデブロッキングフィルタ後に適用するフィルタであり、リンギング歪や量子化歪
を除去する効果がある。SAOはCTU単位の処理であり、画素値をいくつかのカテゴリに分類して、カテゴリ毎に画素単位にオフセットを加減算するフィルタである。SAOのエッジオ
フセット（EO）処理は、対象画素と隣接画素（参照画素）との大小関係に応じて画素値に加算するオフセット値を決定する。
【００７７】
ALFは、ALF前復号画像に対して、符号化ストリームTeから復号されたALFパラメータ（
フィルタ係数）ALFPを用いた適応的フィルタ処理を施すことによって、ALF済復号画像を
生成する。
【００７８】
フィルタ係数はスライスヘッダ直後に通知され、メモリに格納される。後続のインター予測を用いるスライスあるいはピクチャでは、フィルタ係数自体を通知する以外に、過去に通知され、メモリに格納されたフィルタ係数をインデックスで指定し、フィルタ係数自体を通知しないことで、フィルタ係数の符号化に必要なビット量を削減している。しかしながら、後述する各タイルを独立に復号するためには、ALFはフィルタ係数をタイル単位
で通知、格納し、同じTileIdを持つ後続のタイルにおいてはインデックスで指定されたフィルタ係数を用いて、適応的フィルタ処理を施してもよい。
【００７９】
（エントロピー符号化）
エントロピー符号化には、シンタックスの種類や周囲の状況に応じて適応的に選択したコンテキスト（確率モデル）を用いてシンタックスを可変長符号化する方式と、あらかじめ定められた表、あるいは計算式を用いてシンタックスを可変長符号化する方式がある。前者のCABAC（Context Adaptive Binary Arithmetic Coding）では、符号化あるいは復号したピクチャ毎に更新した確率モデルをメモリに格納する。そして、後続のインター予測を用いるPピクチャ、あるいはBピクチャにおいて、対象ピクチャのコンテキストの初期状態は、メモリに格納された確率モデルの中から、同じスライスタイプ、同じスライスレベルの量子化パラメータを使用したピクチャの確率モデルを選択して、符号化、復号処理に使用する。各タイルを独立に復号するためには、確率モデルはタイル単位でメモリに格納される。そして、同じTileIdを持つ後続のタイルにおいてコンテキストの初期状態は、同じスライスタイプ、同じスライスレベルの量子化パラメータを符号化あるいは復号に使用した既復号タイルの確率モデルを選択してもよい。
【００８０】
（タイル）
図17(a)はピクチャをN個のタイル（実線の矩形、図はN=9の例）に分割した例を示す図
である。タイルはさらに複数のCTU（破線の矩形）に分割される。図17(a)の中央のタイルの左上座標を(xTs,yTs)、幅をwT、高さをhTとする。またピクチャの幅をwPict、高さをhPictとする。なお、タイルの分割数やサイズに関する情報をタイル情報と呼び、詳細は後
述する。
【００８１】
図17(b)はピクチャをタイルに分割した時の、CTUの符号化、復号順序を示す図である。各タイルに記載されている番号はTileId（ピクチャ内のタイルの識別子）であり、ピクチャ内のタイルに対し左上から右下にラスタースキャン順で番号が割り当てられ、タイルはTileIdの順に処理される。つまりTileIdの昇順に符号化、復号処理される。また、CTUは
各タイル内を左上から右下へラスタースキャン順に処理され、１つのタイル内での処理が
終わると、次のタイル内のCTUが処理される。
【００８２】
図17(c)は時間方向に連続するタイルを示す図である。図17(c)に示されるように、ビデオシーケンスは、複数の時間方向に連続するピクチャから構成されている。タイルシーケンスは、時間方向に連続する１つ以上の時刻のタイルから構成されている。なお、図中のCVS(Coded Video Sequence)は、あるイントラピクチャから復号順で次のイントラピクチ
ャの直前のピクチャまでのピクチャ群である。
【００８３】
図１８は、タイル情報等に関するシンタックスの例であり、以下、図１８(b)、(d)、(a)、(c)の順番に説明する。
【００８４】
タイル情報は、例えば図18(b)に示すように、num_tile_columns_minus1、num_tile_rows_minus1、uniform_spacing_flag、column_width_minus1[i]、row_height_minus1[i]であり、例えば、PPSで通知される。ここで、num_tile_columns_minus1、num_tile_rows_minus1は各々ピクチャ内の水平、垂直方向のタイル数から1を引いた値である。uniform_spacing_flagはピクチャが均等にタイル分割されるか否かを示すフラグである。uniform_spacing_flagの値が1の場合、ピクチャの各タイルの幅、高さは同じに設定され、ピクチャ内の水平、垂直方向のタイル数から導出することができる。
【００８５】
wT = wPict/(num_tile_columns_minus1+1)
hT = hPict/(num_tile_rows_minus1+1)
uniform_spacing_flagの値が0の場合、ピクチャの各タイルの幅、高さは同じに設定され
なくてもよく、各タイルの幅column_width_minus1[i]（図17のwT）、高さrow_height_minus1[i]（図17のhT）をタイル毎に符号化する。
【００８６】
（タイル境界制限）
タイル情報はPPSで通知されるため、ピクチャ毎にタイルの位置やサイズを変更するこ
とができる。一方、タイルシーケンスを独立に復号する場合、つまり同じTileIdをもつタイルが、異なるTileIdをもつタイルの情報を参照することなく復号可能な場合には、ピクチャ毎にタイルの位置やサイズを変更しなくても良い。つまり、各タイルが異なる時刻のピクチャ（参照ピクチャ）を参照する場合に、CVSの全てのピクチャにおいて、同一のタ
イル分割を適用してもよい。この場合、同じTileIDをもつタイルは、CVSの全ピクチャを
通して、左上座標、幅、高さは同じに設定する。
【００８７】
タイル情報がCVSを通じて変化しないことは、図18(d)に示すvui_parameter()のtiles_fixed_structure_flagの値を1にセットすることで通知する。つまり、tiles_fixed_structure_flagの値が1の場合、CVSを通して、PPSで通知されるnum_tile_columns_minus1、 num_tile_rows_minus1、uniform_spacing_flag、 column_width_minus1[i]、row_height_minus1[i]、loop_filter_across_tiles_enabled_flag（タイル境界でのループフィルタのオ
ンオフ）の値は一意としてもよい。tiles_fixed_structure_flagの値が1の場合、CVS内では、TileIdが同じタイルは、時刻（POC：Picture Order Count）が異なるピクチャにおいても、ピクチャ上のタイル位置（タイルの左上座標、幅、高さ）は変更されない。また、tiles_fixed_structure_flagの値が0である場合、タイルシーケンスは時刻によってサイ
ズが異なってもよい。
【００８８】
図18(a)はシーケンスパラメータセットSPSの一部を抜粋したシンタックス表である。独立タイルフラグindependent_tile_flagは、タイルシーケンスが空間方向に加え、時間方
向でも独立に符号化、復号できるか否かを示すフラグである。independent_tile_flagの
値が1である場合、タイルシーケンスは独立に符号化、復号できることを意味する。この
場合、タイルの符号化・復号及び符号化データのシンタックスにおいて下記の制約が課し
てもよい。
（制約１）CVS内では、タイルはTileIdが異なるタイルの情報を参照しない。
（制約２）CVSを通して、PPSで通知されるピクチャ内の水平、垂直方向のタイル数、タイルの幅、タイルの高さは同じである。CVS内では、TileIdが同じタイルは、時刻（POC）が異なるピクチャにおいても、ピクチャ上のタイル位置（タイルの左上座標、幅、高さ）は変更されない。vui_parameter()のtiles_fixed_structure_flagの値は１に設定する。
【００８９】
上述の（制約１）「タイルはTileIdが異なるタイルの情報を参照しない」について、詳細に説明する。
【００９０】
図19は時間方向（異なるピクチャ間）のタイルの参照について説明する図である。
図19(a)は、時刻t0のイントラピクチャPict(t0)をN個のタイルに分割した例である。図19(b)は、時刻t1=t0+1のインターピクチャPict(t1)をN個のタイルに分割した例である。Pict(t1)はPict(t0)を参照する。図19(c)は、時刻t2=t0+2のインターピクチャPict(t2)をN個のタイルに分割した例である。Pict(t2)はPict(t1)を参照する。図中、Tile(n,t)は時刻tのTileId=n（n=0..N-1）のタイルを表す。上述の（制約２）から、どの時刻においても、TileId=nのタイルの左上座標、幅、高さは同じである。
【００９１】
図19(b)において、タイルTile(n,t1)内のCU1、CU2、CU3は、図19(a)のブロックBLK1、BLK2、BLK3を参照する。この場合、BLK1とBLK3はタイルTile(n,t0)外のタイルに含まれる
ブロックであり、これらを参照するには、時刻t0において、Tile(n,t0)だけではなく、Pict(t0)全体を復号する必要がある。つまりTileId=nに対応するタイルシーケンスを時刻t0、t1で復号するだけではタイルTile(n,t1)を復号することはできず、TileId=nに加えてTileId=n以外のタイルシーケンスの復号も必要である。従ってタイルシーケンスを独立に復号するためには、タイル内のCUの動き補償画像を導出する場合に参照する参照ピクチャ内の参照画素がコロケートタイル（参照ピクチャ上の同じ位置のタイル）内に含まれる必要がある。
【００９２】
図19(c)において、タイルTile(n,t2)の右端の境界に隣接するCU4は時間方向の予測ベクトル候補として、図19(b)に示す時刻t1のピクチャ内におけるCU4'の右下ブロックCU4BRを参照し、CU4BRの動きベクトルを予測ベクトル候補として予測ベクトル候補リスト（マー
ジ候補リスト）に格納する。しかしながらタイルの右端のCUではCU4BRはコロケートタイ
ル外に位置し、CU4BRを参照するには、時刻t1において、Tile(n,t1)だけではなく、少な
くともTile(n+1,t1)を復号する必要がある。つまりTileId=nのタイルシーケンスを復号するだけではタイルTile(n,t2)を復号することはできない。従ってタイルシーケンスを独立に復号するためには、時間方向の予測ベクトル候補として参照する参照ピクチャ上のブロックがコロケートタイル内に含まれる必要がある。上記の制約の具体的な実現方法を、以下の画像復号装置および画像符号化装置において説明する。
【００９３】
また、independent_tile_flagの値が0である場合、タイルシーケンスが独立に復号できなくてもよいことを意味する。
【００９４】
（画像復号装置の構成）
図20(a)に本発明の画像復号装置（動画像復号装置）2000を示す。画像復号装置2000は
、ヘッダ情報復号部2001、タイル復号部2002a〜2002nおよびタイル合成部2003を含んで構成される。
【００９５】
ヘッダ情報復号部2001は、外部から入力され、NAL（network abstraction layer）ユニット単位で符号化された符号化ストリームTeを復号する。また、ヘッダ情報復号部2001は、外部から入力された、ディスプレイ等に表示すべき画像領域を示す制御情報から、表示
に必要なタイル（TileId）を導出する。また、ヘッダ情報復号部2001は、符号化ストリームTeから表示に必要な符号化タイルを抽出し、タイル復号部2002a〜2002nに伝送する。また、ヘッダ情報復号部2001は、PPSを復号して得られたタイル情報（タイルの分割に関す
る情報）と、復号されるタイルのTileIdをタイル合成部2003に伝送する。
【００９６】
タイル復号部2002a〜2002nは、各符号化タイルを復号し、復号したタイルをタイル合成部2003に伝送する。
【００９７】
ここで、タイル復号部2002a〜2002nは、タイルシーケンスを１つの独立なビデオシーケンスとして復号処理を行うため、復号処理を行う際に時間的にも空間的にもタイルシーケンス間の予測情報を参照しない。すなわち、タイル復号部2002a〜2002nは、あるピクチャ内のタイルを復号する場合に、別の（異なるTileIdをもつ）タイルシーケンスのタイルを参照しない。
【００９８】
このように、タイル復号部2002a〜2002nが各々タイルを復号するため、複数のタイルを並列に復号処理することも、１つのタイルのみを独立して復号することもできる。その結果、タイル復号部2002a〜2002nによれば、必要最小限の復号処理のみ実行することで表示に必要な画像を復号できる等、効率よく復号処理を実行することができる。
【００９９】
タイル合成部2003は、ヘッダ情報復号部2001から伝送されたタイル情報および復号されるタイルのTileIdと、タイル復号部2002a〜2002nによって復号されたタイルとを参照し、表示に必要な復号画像Tdを生成、出力する。
【０１００】
（タイル復号部の構成）
タイル復号部2002a〜2002nの構成について説明する。以下に一例として、タイル復号部2002aの構成を、図５を用いて説明する。図５は、タイル復号部2002a〜2002nの１つであ
る2002の構成を示すブロック図である。タイル復号部2002は、エントロピー復号部３０１、予測パラメータ復号部（予測画像復号装置）３０２、ループフィルタ３０５、参照ピクチャメモリ３０６、予測パラメータメモリ３０７、予測画像生成部（予測画像生成装置）３０８、逆量子化・逆変換部３１１、及び加算部３１２を含んで構成される。なお、後述のタイル符号化部2012に合わせ、タイル復号部2002にループフィルタ３０５が含まれない構成もある。
【０１０１】
また、予測パラメータ復号部３０２は、インター予測パラメータ復号部３０３及びイントラ予測パラメータ復号部３０４を含んで構成される。予測画像生成部３０８は、インター予測画像生成部３０９及びイントラ予測画像生成部３１０を含んで構成される。
【０１０２】
また、以降では処理の単位としてCTU、CU、PU、TUを使用した例を記載するが、この例
に限らず、TUあるいはPU単位の代わりにCU単位で処理をしてもよい。あるいはCTU、CU、PU、TUをブロックと読み替え、ブロック単位の処理としてもよい。
【０１０３】
エントロピー復号部３０１は、外部から入力された符号化ストリームTeに対してエントロピー復号を行って、個々の符号（シンタックス要素）を分離し復号する。分離された符号には、予測画像を生成するための予測パラメータおよび、差分画像を生成するための残差情報などがある。
【０１０４】
エントロピー復号部３０１は、分離した符号の一部を予測パラメータ復号部３０２に出力する。分離した符号の一部とは、例えば、予測モードpredMode、PU分割モードpart_mode、マージフラグmerge_flag、マージインデックスmerge_idx、インター予測識別子inter_pred_idc、参照ピクチャインデックスref_idx_lX、予測ベクトルインデックスmvp_lX_idx
、差分ベクトルmvdLXである。どの符号を復号するかの制御は、予測パラメータ復号部３
０２の指示に基づいて行われる。エントロピー復号部３０１は、量子化変換係数を逆量子化・逆変換部３１１に出力する。この量子化変換係数は、符号化処理において、残差信号に対してDCT（Discrete Cosine Transform、離散コサイン変換）、DST（Discrete Sine Transform、離散サイン変換）、KLT（Karyhnen Loeve Transform、カルーネンレーベ変換
）等の周波数変換を行い量子化して得られる係数である。
【０１０５】
インター予測パラメータ復号部３０３は、エントロピー復号部３０１から入力された符号に基づいて、予測パラメータメモリ３０７に記憶された予測パラメータを参照してインター予測パラメータを復号する。また、インター予測パラメータ復号部３０３は、復号したインター予測パラメータを予測画像生成部３０８に出力し、また予測パラメータメモリ３０７に記憶する。インター予測パラメータ復号部３０３の詳細については後述する。
【０１０６】
イントラ予測パラメータ復号部３０４は、エントロピー復号部３０１から入力された符号に基づいて、予測パラメータメモリ３０７に記憶された予測パラメータを参照してイントラ予測パラメータを復号する。イントラ予測パラメータとは、CUを１つのピクチャ内で予測する処理で用いるパラメータ、例えば、イントラ予測モードIntraPredModeである。
イントラ予測パラメータ復号部３０４は、復号したイントラ予測パラメータを予測画像生成部３０８に出力し、また予測パラメータメモリ３０７に記憶する。
【０１０７】
イントラ予測パラメータ復号部３０４は、輝度と色差で異なるイントラ予測モードを導出しても良い。この場合、イントラ予測パラメータ復号部３０４は、輝度の予測パラメータとして輝度予測モードIntraPredModeY、色差の予測パラメータとして、色差予測モードIntraPredModeCを復号する。輝度予測モードIntraPredModeYは、67モードであり、プレーナ予測（０）、DC予測（１）、Angular（方向）予測（２〜66）が対応する。色差予測モ
ードIntraPredModeCは、プレーナ予測（０）、DC予測（１）、Angular（方向）予測（２
〜66）、LM予測（67〜72）の何れかを用いるものである。イントラ予測パラメータ復号部３０４は、色差予測がLM予測か否かを示すフラグを復号し、フラグがLM予測であることを示せば、LM予測に関する情報（CCLM予測か否かを示す情報、ダウンサンプリング方法を指定する情報）を復号する。ここで、LM予測について説明する。LM予測は、輝度成分と色成分間の相関を利用した予測方式であり、復号した輝度画像をもとに、線形モデルを用いて、色差画像（Cb、Cr）の予測画像を生成する方式である。LM予測には、CCLM（Cross-Component Linear Model prediction）予測とMMLM（Multiple Model ccLM）予測がある。CCLM予測は、１つのブロックに対し、輝度から色差を予測するための線形モデルを１つ使用する予測方式である。MMLM予測は、１つのブロックに対し、輝度から色差を予測するための線形モデルを２つ以上使用する予測方式である。また、色差フォーマットが4:2:0の場合
、線形モデルを作るために輝度画像をダウンサンプリングし、色差画像と同じサイズにする。このダウンサンプリング方法は、固定のサンプリングフィルタ（デフォルトサンプリングフィルタ）を用いる方法と、４種類のサンプリングフィルタを適応的に切り替えて（追加サンプリングフィルタ）用いる方法がある。従って、ダウンサンプリング方法を指定する情報として、LM予測がCCLM予測か、MMLM予測かを指定する情報と、サンプリングフィルタがデフォルトサンプリングフィルタか否か、追加サンプリングフィルタを用いる場合はサンプリングフィルタを指定するインデックスを復号する。フラグがLM予測と異なる予測であることを示せば、IntraPredModeCとして、プレーナ予測（０）、DC予測（１）、Angular予測（２〜66）、DM予測（輝度予測モードと同じ予測モードを用いる色差予測）を
復号する。図37はイントラ予測モードを示す図である。図37中の2〜66に対応する直線の
方向は予測方向を表し、より正確には、予測対象画素が参照する参照領域Ｒ（後述）上の画素の方向を示している。
【０１０８】
ループフィルタ３０５は、加算部３１２が生成したCUの復号画像に対し、デブロッキン
グフィルタ３１３、サンプル適応オフセット（SAO）３１４、適応ループフィルタ（ALF）３１５等のフィルタを施す。なお、ループフィルタ３０５はタイル符号化部2012と対になっていれば、必ずしも上記３種類のフィルタを含まなくてもよく、例えばデブロッキングフィルタ３１３のみの構成であってもよい。
【０１０９】
参照ピクチャメモリ３０６は、加算部３１２が生成したCUの復号画像を、復号対象のピクチャ及びCTUあるいはCU毎に予め定めた位置に記憶する。
【０１１０】
予測パラメータメモリ３０７は、予測パラメータを、復号対象のピクチャ及び予測ユニット（もしくはサブブロック、固定サイズブロック、ピクセル）毎に予め定めた位置に記憶する。具体的には、予測パラメータメモリ３０７は、インター予測パラメータ復号部３０３が復号したインター予測パラメータ、イントラ予測パラメータ復号部３０４が復号したイントラ予測パラメータ及びエントロピー復号部３０１が分離した予測モードpredModeを記憶する。記憶されるインター予測パラメータには、例えば、予測リスト利用フラグpredFlagLX（インター予測識別子inter_pred_idc）、参照ピクチャインデックスrefIdxLX、動きベクトルmvLXがある。
【０１１１】
予測画像生成部３０８には、エントロピー復号部３０１から入力された予測モードpredModeが入力され、また予測パラメータ復号部３０２から予測パラメータが入力される。また、予測画像生成部３０８は、参照ピクチャメモリ３０６から参照ピクチャを読み出す。予測画像生成部３０８は、予測モードpredModeが示す予測モードで、入力された予測パラメータと読み出した参照ピクチャ（参照ピクチャブロック）を用いてPU（ブロック）もしくはサブブロックの予測画像を生成する。
【０１１２】
ここで、予測モードpredModeがインター予測モードを示す場合、インター予測画像生成部３０９は、インター予測パラメータ復号部３０３から入力されたインター予測パラメータと読み出した参照ピクチャ（参照ピクチャブロック）を用いてインター予測によりPU（ブロック）もしくはサブブロックの予測画像を生成する。
【０１１３】
インター予測画像生成部３０９は、予測リスト利用フラグpredFlagLXが１である参照ピクチャリスト（L0リスト、もしくはL1リスト）に対し、参照ピクチャインデックスrefIdxLXで示される参照ピクチャから、復号対象PUを基準として動きベクトルmvLXが示す位置にある参照ピクチャブロックを参照ピクチャメモリ３０６から読み出す。インター予測画像生成部３０９は、読み出した参照ピクチャブロックをもとに補間を行ってPUの予測画像（補間画像、動き補償画像）を生成する。インター予測画像生成部３０９は、生成したPUの予測画像を加算部３１２に出力する。ここで、参照ピクチャブロックとは、参照ピクチャ上の画素の集合（通常矩形であるのでブロックと呼ぶ）であり、PUもしくはサブブロックの予測画像を生成するために参照する領域である。
【０１１４】
（タイル境界パディング）
参照ピクチャブロック（参照ブロック）は、予測リスト利用フラグpredFlagLX=1の参照ピクチャリストに対し、参照ピクチャインデックスrefIdxLXで示される参照ピクチャ上にあって、対象CU（ブロック）の位置を基準として、動きベクトルmvLXが示す位置のブロックである。既に説明したように、対象タイルと同じTileIdをもつ参照ピクチャ上のタイル（コロケートタイル）内に、参照ブロックの画素が位置する保証はない。そこで、一例として、参照ピクチャにおいて、図21(a)に示すように各タイルの外側をパディング（タイ
ル境界の画素値で補填する）することで、コロケートタイル外の画素値を参照することなく参照ブロックを読みだすことができる。
【０１１５】
タイル境界パディング（タイル外パディング）は、後述する動き補償部３０９１による
動き補償において、参照画素の位置(xIntL+i, yIntL+j)の画素値として、以下の位置xRef+i, yRef+jの画素値refImg[xRef+i][yRef+j]を用いることで実現する。すなわち、参照画素参照時に、参照位置を、タイルの上下左右の境界画素の位置でクリッピングすることで実現する。
【０１１６】
xRef + i = Clip3( xTs, xYs + wT - 1, xIntL + i )  （式PAD-1）
yRef + j = Clip3( yTs, xYs + wT - 1, yIntL + j )
ここで、(xTs,yTs)は、対象ブロックが位置する対象タイルの左上座標、wT、hTは、対象
タイルの幅と高さである。
【０１１７】
なお、xIntL、yIntLは、ピクチャの左上座標を基準とした対象ブロックの左上座標を(xb,yb)、動きベクトルを(mvLX[0],mvLX[1])とすると、
xIntL = xb + ( mvLX[0]>>log2(M) )                （式PAD-2）
yIntL = yb + ( mvLX[1]>>log2(M) )
で導出しても良い。ここでMは、動きベクトルの精度が1/Mペル(pel)であることを示す。
【０１１８】
座標(xRef+i,yRef+j)の画素値を読み出すことで、図21(a)のパディングを実現することができる。
【０１１９】
independent_tile_flag=1の場合に、このようにタイル境界をパディングすることで、
インター予測で動きベクトルがコロケートタイル外を指しても、コロケートタイル内の画素値を用いて参照画素を置き換えるので、タイルシーケンスを独立にインター予測を用いて復号することができる。
【０１２０】
（タイル境界動きベクトル制限）
タイル境界パディングの他の制限方法として、タイル境界動きベクトル制限がある。本処理では、後述する動き補償部３０９１による動き補償において、参照画素の位置(xIntL+i, yIntL+j)がコロケートタイル内に入るように動きベクトルを制限（クリッピング）する。
【０１２１】
本処理では、対象ブロック（対象サブブロックもしくは対象ブロック）の左上座標(xb,
yb)、ブロックのサイズ(W, H)、対象タイルの左上座標(xT, yT)、対象タイルの幅と高さがwT、hTである場合に、ブロックの動きベクトルmvLXを入力とし、制限された動きベクトルmvLXを出力する。
【０１２２】
対象ブロックの補間画像生成における参照画素の左端posL、右端posR、上端posU、下端posDは各々、以下である。なお、NTAPは補間画像生成に使用するフィルタのタップ数である。
【０１２３】
posL = xb + ( mvLX[0]>>log2(M) ) - NTAP/2 + 1          （式CLIP1）
posR = xb + W - 1 + ( mvLX[0]>>log2(M) ) + NTAP/2
posU = yb + ( mvLX[1]>>log2(M) ) - NTAP/2 + 1
posD = yb + H - 1 + ( mvLX[1]>>log2(M) ) + NTAP/2
上記参照画素がコロケートタイル内に入るための制限は以下のとおりである。
【０１２４】
posL >= xTs                                            （式CLIP2）
posR <= xTs + wT - 1
posU >= yTs
posD <= yTs + hT - 1
である。以下の変形ができる。
【０１２５】
posL = xb + ( mvLX[0]>>log2(M) ) - NTAP/2 + 1 >= xTs  （式CLIP3）
( mvLX[0]>>log2(M) ) >= xTs - xb + NTAP/2 - 1
posR = xb + W - 1 + ( mvLX[0]>>log2(M) ) + NTAP/2 <= xTs + wT - 1
( mvLX[0]>>log2(M) ) <= xTs + wT - 1 - xb - W + 1 - NTAP/2
posU = yb + ( mvLX[1]>>log2(M) ) - NTAP/2 + 1 >= yTs
( mvLX[0]>>log2(M) ) >= yTs - yb + NTAP/2 - 1
posD = yb + H - 1+ ( mvLX[1]>>log2(M) ) + NTAP/2 <= yTs + hT - 1
( mvLX[1]>>log2(M) ) <= yTs + hT - 1 - yb - H + 1 - NTAP/2
したがって、動きベクトルの制限は、以下の式で導出できる。
【０１２６】
mvLX[0] = Clip3 (vxmin, vxmax, mvLX[0])              （式CLIP4）
mvLX[1] = Clip3 (vymin, vymax, mvLX[1])
ここで
vxmin = (xTs - xb + NTAP/2 - 1)<<log2(M)              （式CLIP5）
vxmax = (xTs + wT - xb - W - NTAP/2)<<log2(M)
vymin = (yTs - yb + NTAP/2 - 1)<<log2(M)
vymax = (yTs + hT - yb - H - NTAP/2)<<log2(M)
independent_tile_flag=1の場合に、このように動きベクトルを制限することにより、
インター予測で動きベクトルがコロケートタイル外を常に指すことができる。この構成においても、タイルシーケンスを独立にインター予測を用いて復号することができる。
【０１２７】
予測モードpredModeがイントラ予測モードを示す場合、イントラ予測画像生成部３１０は、イントラ予測パラメータ復号部３０４から入力されたイントラ予測パラメータと読み出した参照ピクチャを用いてイントラ予測を行う。具体的には、イントラ予測画像生成部３１０は、復号対象のピクチャであって、既に復号されたPUのうち、復号対象PUから予め定めた範囲にある隣接PUを参照ピクチャメモリ３０６から読み出す。予め定めた範囲とは、復号対象PUがいわゆるラスタースキャンの順序で順次移動する場合、例えば、左、左上、上、右上の隣接PUのうちのいずれかであり、イントラ予測モードによって異なる。ラスタースキャンの順序とは、各ピクチャにおいて、上端から下端まで各行について、順次左端から右端まで移動させる順序である。
【０１２８】
イントラ予測画像生成部３１０は、読み出した隣接PUに基づいてイントラ予測モードIntraPredModeが示す予測モードで予測を行ってPUの予測画像を生成する。イントラ予測画
像生成部３１０は、生成したPUの予測画像を加算部３１２に出力する。
【０１２９】
イントラ予測パラメータ復号部３０４において、輝度と色差で異なるイントラ予測モードを導出する場合、イントラ予測画像生成部３１０は、輝度予測モードIntraPredModeYに応じて、プレーナ予測（０）、DC予測（１）、Angular予測（２〜66）の何れかによって
輝度のPUの予測画像を生成し、色差予測モードIntraPredModeCに応じて、プレーナ予測（０）、DC予測（１）、Angular予測（２〜66）、LMモード（67〜72）の何れかによって色
差のPUの予測画像を生成する。
【０１３０】
Planar予測、DC予測、Angular予測では、予測対象ブロックに隣接（近接）する復号済
みの周辺領域を参照領域Ｒとして設定する。概略的には、これらの予測モードは、参照領域Ｒ上の画素を特定の方向に外挿することで予測画像を生成する予測方式である。たとえば、参照領域Ｒは、予測対象ブロックの左と上（あるいは、さらに、左上、右上、左下）を含む逆Ｌ字型の領域（例えば図38の斜線の丸印の画素で示される領域）として設定することができる。
【０１３１】
（予測画像生成部の詳細）
次に、図39を用いてイントラ予測画像生成部310の構成の詳細を説明する。
【０１３２】
図39に示すように、イントラ予測画像生成部310は、予測対象ブロック設定部3101、未
フィルタ参照画像設定部3102（第１の参照画像設定部）、フィルタ済参照画像設定部3103（第２の参照画像設定部）、予測部3104、および、予測画像補正部3105（予測画像補正部、フィルタ切替部、重み係数変更部）を備える。
【０１３３】
フィルタ済参照画像設定部3103は、入力される参照領域Ｒ上の各参照画素（未フィルタ参照画像）に参照画素フィルタ（第１のフィルタ）を適用して、フィルタ済参照画像を生成し、予測部3104に出力する。予測部3104は入力されるイントラ予測モードと、未フィルタ参照画像、フィルタ済参照画像に基づいて、予測対象ブロックの仮予測画像（補正前予測画像）を生成し、予測画像補正部3105に出力する。予測画像補正部3105は、入力されるイントラ予測モードに応じて、仮予測画像を修正し、予測画像（補正済予測画像）を生成する。予測画像補正部3105が生成した予測画像は、加算器１５に出力される。
【０１３４】
以下、イントラ予測画像生成部310が備える各部について説明する。
【０１３５】
（予測対象ブロック設定部3101）
予測対象ブロック設定部3101は、対象CUを予測対象ブロックに設定し、予測対象ブロックに関する情報（予測対象ブロック情報）を出力する。予測対象ブロック情報には、予測対象ブロックサイズ、予測対象ブロック位置、予測対象ブロックが輝度であるか、あるいは色差であるかを示すインデックスが少なくとも含まれる。
【０１３６】
（未フィルタ参照画像設定部3102）
未フィルタ参照画像設定部3102は、予測対象ブロック情報の予測対象ブロックサイズと予測対象ブロック位置に基づいて、予測対象ブロックに隣接する周辺領域を参照領域Ｒに設定する。続いて、参照領域Ｒ内の各画素値（未フィルタ参照画像、境界画素）に、参照ピクチャメモリ306上で対応する位置の各復号画素値をセットする。つまり、未フィルタ
参照画像r[x][y]は、対象ピクチャの左上座標を基準に表現される対象ピクチャの復号画
素値u[px][py]を用いて次式により設定される。
【０１３７】
r[x][y] = u[xB+x][yB+y]    (INTRAP-1)
x=-1,y=-1..(BS*2-1)、および、x=0..(BS*2-1),y=-1
ここで、(xB,yB)は予測対象ブロックの左上座標、BSは予測対象ブロックの幅Wまたは高さHのうち大きい方の値を示す。
【０１３８】
上式では、図38(a)に示すように、予測対象ブロック上辺に隣接する復号画素のラインr[x][-1]、および、予測対象ブロック左辺に隣接する復号画素の列r[-1][y]が未フィルタ
参照画像である。なお、参照画素位置に対応する復号画素値が存在しない、または、参照できない場合は、既定の値（たとえば画素ビットデプスがbitDepthの場合は、1<<(bitDepth-1)）を未フィルタ参照画像として設定してもよいし、対応する復号画素値の近傍に存
在する参照可能な復号画素値を未フィルタ参照画像として設定してもよい。また、「y=-1..(BS*2-1)」は、yが-1から(BS*2-1)までの(BS*2+1)個の値を取り得ることを示し、「x=0..(BS*2-1)」は、xが0から(BS*2-1)までの(BS*2)個の値を取り得ることを示す。
【０１３９】
また、上式では、図38(a)を参照して後述するように、予測対象ブロック上辺に隣接す
る復号画素の行、および、予測対象ブロック左辺に隣接する復号画素の列に含まれる復号画像が未フィルタ参照画像である。
【０１４０】
（フィルタ済参照画像設定部3103）
フィルタ済参照画像設定部3103は、イントラ予測モードに応じて、入力される未フィルタ参照画像に参照画素フィルタ（第１のフィルタ）を適用して（施して）、参照領域Ｒ上の各位置(x,y)におけるフィルタ済参照画像s[x][y]を導出して出力する。具体的には、位置(x,y)とその周辺の未フィルタ参照画像にローパスフィルタを適用して、フィルタ済参
照画像を導出する。なお、必ずしも全イントラ予測モードにローパスフィルタを適用する必要はなく、少なくとも、一部のイントラ予測モードに対してローパスフィルタを適用してもよい。なお、図39の予測部3104に入力する前に、フィルタ済参照画素設定部3103において参照領域Ｒ上の未フィルタ参照画像に適用するフィルタを「参照画素フィルタ（第１のフィルタ）」と呼称するのに対し、後述の予測画像補正部3105で、未フィルタ参照画素値を用いて予測部3104で導出された仮予測画像を補正するフィルタを「バウンダリフィルタ（第２のフィルタ）」と呼称する。
【０１４１】
例えば、HEVCのイントラ予測のように、DC予測の場合や、予測対象ブロックサイズが4x4画素の場合に、未フィルタ参照画像をそのままフィルタ済参照画像として使用してもよ
い。また、符号化データから復号されるフラグにより、ローパスフィルタ適用の有無を切り替えてもよい。なお、イントラ予測モードが、LM予測の場合は、予測部3104において未フィルタ参照画像を直接参照しないため、フィルタ済参照画素設定部3103からフィルタ済参照画素値s[x][y]を出力しなくてもよい。
【０１４２】
（イントラ予測部3104の構成）
イントラ予測部3104は、イントラ予測モードと、未フィルタ参照画像、フィルタ済参照画素値に基づいて予測対象ブロックの仮予測画像（仮予測画素値、補正前予測画像）を生成し、予測画像補正部3105に出力する。予測部3104は、内部にPlanar予測部31041、DC予
測部31042、Angular予測部31043、およびLM予測部31044を備えている。予測部3104は、入力されるイントラ予測モードに応じて特定の予測部を選択して、未フィルタ参照画像、フィルタ済参照画像を入力する。イントラ予測モードと対応する予測部との関係は次の通りである。
・Planar予測  ・・・Planar予測部31041
・DC予測      ・・・DC予測部31042
・Angular予測 ・・・Angular予測部31043
・LM予測      ・・・LM予測部31044
予測部3104は、あるイントラ予測モードにおいて、フィルタ済参照画像に基づいて予測対象ブロックの予測画像（仮予測画像q[x][y]）を生成する。他のイントラ予測モードで
は、未フィルタ参照画像を用いて仮予測画像q[x][y]を生成してもよい。また、フィルタ
済参照画像を用いる場合には参照画素フィルタをオン、未フィルタ参照画像を用いる場合には参照画素フィルタをオフにする構成でもよい。
【０１４３】
以下では、LM予測の場合に、未フィルタ参照画像r[][]を用いて仮予測画像q[x][y]を生成し、Planar予測、DC予測、Angular予測の場合には、フィルタ済参照画像s[][]を用いて仮予測画像q[x][y]を生成する例を説明するが、未フィルタ参照画像とフィルタ済参照画
像の選択はこの例に限定されない。たとえば、符号化データから明示的に復号されるフラグに応じて、未フィルタ参照画像とフィルタ済み参照画像のどちらを使用するかを切り替えてもよいし、他の符号化パラメータから導出されるフラグに基づいて切り替えても構わない。たとえば、Angular予測の場合、予測対象ブロックのイントラ予測モードと、垂直
予測や水平予測とのイントラ予測モード番号の差分が小さい場合には、未フィルタ参照画像（参照画素フィルタをオフ）を使用し、それ以外の場合に、フィルタ済み参照画像（参照画素フィルタをオン）を使用しても良い。
【０１４４】
（Planar予測）
Planar予測部31041は、予測対象画素位置と参照画素位置との距離に応じて、複数のフ
ィルタ済参照画像を線形加算して仮予測画像を生成し、予測画像補正部3105に出力する。例えば、仮予測画像の画素値q[x][y]は、フィルタ済参照画素値s[x][y]と、前述の予測対象ブロックの幅W、高さHを用いて以下の式により導出する。
【０１４５】
q[x][y] = ((W-1-x)*s[-1][y]+(x+1)*s[W][-1]+(H-1-y)*s[x][-1]+(y+1)*s[-1][H]+max(W,H)) >> (k+1)      (INTRAP-2)
ここで、x=0..W-1、y=0>>H-1であり、k=log2(max(W,H))と定義する。
【０１４６】
（DC予測）
DC予測部31042は、入力されるフィルタ済参照画像s[x][y]の平均値に相当するDC予測値を導出し、導出されたDC予測値を画素値とする仮予測画像q[x][y]を出力する。
【０１４７】
（Angular予測）
Angular予測部31043は、イントラ予測モードの示す予測方向（参照方向）のフィルタ済参照画像s[x][y]を用いて仮予測画像q[x][y]を生成し、予測画像補正部3105に出力する。Angular予測では、主方向フラグbRefVerの値に応じて予測対象ブロックの上または左に隣接する参照領域Ｒを主参照領域Ｒに設定し、主参照領域Ｒ上のフィルタ済参照画像を主参照画像にセットする。仮予測画像は、予測対象ブロック内の行または列の単位で、主参照画像を参照して生成する。主方向フラグbRefVerの値が１（主方向は垂直方向）の場合、
仮予測画像の生成単位を行に設定し、また予測対象ブロックの上側参照領域Ｒを主参照領域Ｒとしてセットする。主参照画像refMain[x]は、フィルタ済参照画像s[x][y]を用いて
次式によりセットされる。
【０１４８】
refMain[x] = s[-1+x][-1]                      x=0..2*nS    （INTRAP-3）
refMain[x] = s[-1][-1+((x*invAngle+128)>>8)]  x= -nS..-1
ここでinvAngleは、予測対象画素位置と主参照領域Ｒとの垂直/水平方向の距離と予測方
向に応じて決まる勾配intraPredAngleの逆数をスケールした値に相当する。上式により、xが0以上の範囲では、refMain[x]には予測対象ブロック上側に隣接する参照領域Ｒ上のフィルタ済参照画像がセットされる。また、xが0未満の範囲では、refMain[x]には、予測方向に基づいて、予測対象ブロック左側に隣接する参照領域Ｒ上のフィルタ済参照画像がセットされる。仮予測画像q[x][y]は次式により計算される。
【０１４９】
q[x][y] = ((32-iFact)*refMain[x+iIdx+1]+iFact*refMain[x+iIdx+2]+16) >> 5    （INTRAP-4）
ここで、iIdxとiFactは、予測対象画素位置と主参照領域Ｒの垂直方向の距離(y＋1)と勾
配intraPredAngleに基づいて計算される、対象予測画素値の生成に用いる主参照領域Ｒ内の画素位置を表す。iIdxは整数精度の画素位置、iFactは小数精度の画素位置であり、以
下の式で導出される。
【０１５０】
iIdx = ((y+1)*intraPredAngle) >> 5      （INTRAP-5）
iFact = ((y+1)*intraPredAngle) & 31
主方向フラグbRefVerの値が０（主方向が水平方向）の場合、仮予測画像の生成単位を
列に設定し、また予測対象ブロックの左側の参照領域Ｒを主参照領域Ｒとしてセットする。主参照画像refMain[x]は、フィルタ済参照画素値s[x][y]を用いて次式によりセットさ
れる。
【０１５１】
refMain[x] = s[-1][-1+x]                      x = 0..nS    （INTRAP-6）
refMain[x] = s[-1+((x*invAngle+128)>>8)][-1]  x= -nS..-1
仮予測画像q[x][y]は次式により計算される。
【０１５２】
q[x][y] = ((32-iFact)*refMain[y+iIdx+1]+iFact*refMain[y+iIdx+2]+16) >> 5    （INTRAP-7）
ここで、iIdxとiFactは、予測対象画素位置と主参照領域Ｒの水平方向の距離(x+1)と勾配intraPredAngleに基づいて計算される、予測対象画素値の生成に用いる主参照領域Ｒ内の画素位置を表す。iIdxは整数精度の画素位置、iFactは小数精度の画素位置であり、以下
の式で導出される。
【０１５３】
iIdx = ((x+1)*intraPredAngle) >> 5      （INTRAP-8）
iFact = ((x+1)*intraPredAngle) & 31
（LM予測）
LM予測部31044は、輝度の画素値に基づいて色差の画素値を予測する。
【０１５４】
図40を参照してCCLM予測処理を説明する。図40は、対象ブロックにおいて、輝度成分の復号処理が終了し、色差成分の予測処理を実施している状況を示す図である。図40(a)は
対象ブロックの輝度成分の復号画像uL[][]であり、(c)、(d)はCbおよびCr成分の仮予測画像qCb[][]、qCr[][]である。また図40(a)、(c)、(d)において、各対象ブロックの外側の
領域rL[][]、rCb[][]、rCr[][]は、各々対象ブロックに隣接する未フィルタ参照画像である。図40(b)は、図40(a)に示す輝度成分の対象ブロックおよび未フィルタ参照画像をダウンサンプリングした図で、duL[][]とdrL[][]はダウンサンプリング後の輝度成分の復号画像と未フィルタ参照画像である。次に図40(a)から図40(b)を生成するために用いるダウンサンプリングフィルタを図40(e)に示す。図40(e-1)は固定サンプリングフィルタ（デフォルトサンプリングフィルタ）、図40(e-2)〜(e-5)は４種類の追加サンプリングフィルタである。例えば、図40(a)のAあるいはBの4画素から、図40(b)のdAあるいはdBの1画素を算出する式を以下に示す。
【０１５５】
デフォルトサンプリングフィルタの場合（図40(e-1)）
duL[x][y] = (uL[2x-1][2y]+2*uL[2x][2y]+uL[2x+1][2y]+uL[2x-1][2y+1]+2*uL[2x][2y+1]+uL[2x+1][2y+1]+4)>>3      （式CCLM-1）
drL[x][y] = (rL[2x-1][2y]+2*rL[2x][2y]+rL[2x+1][2y]+rL[2x-1][2y+1]+2*rL[2x][2y+1]+rL[2x+1][2y+1]+4)>>3
追加サンプリングフィルタの場合
フィルタインデックス１（図40(e-2)）
duL[x][y] = (uL[2x][2y]+uL[2x+1][2y]+1)>>1      （式CCLM-2）
drL[x][y] = (rL[2x][2y]+rL[2x+1][2y]+1)>>1
フィルタインデックス２（図40(e-3)）
duL[x][y] = (uL[2x+1][2y]+uL[2x+1][2y+1]+1)>>1
drL[x][y] = (rL[2x+1][2y]+rL[2x+1][2y+1]+1)>>1
フィルタインデックス３（図40(e-4)）
duL[x][y] = (uL[2x][2y+1]+uL[2x+1][2y+1]+1)>>1
drL[x][y] = (rL[2x][2y+1]+rL[2x+1][2y+1]+1)>>1
フィルタインデックス４（図40(e-5)）
duL[x][y] = (uL[2x][2y]+uL[2x+1][2y]+uL[2x][2y+1]+uL[2x+1][2y+1]+2)>>2
drL[x][y] = (rL[2x][2y]+rL[2x+1][2y]+rL[2x][2y+1]+rL[2x+1][2y+1]+2)>>2
ここで、(2x,2y)は図40(a)のA、Bの左上座標、(x,y)は図40(b)のdA、dBの左上座標で置き換える。
【０１５６】
これらのフィルタのいずれかを用いてダウンサンプリングした輝度画像duL[][]、drL[][]からCb、Cr成分の仮予測画像を生成する。
【０１５７】
図41は、イントラ予測画像生成部310が備えるLM予測部31044の構成の一例を示したブロック図である。図41(a)に示すように、LM予測部31044はCCLM予測部4101と、MMLM予測部4102とが含まれている。
【０１５８】
CCLM予測部4101は、色差フォーマットが4:2:0の場合、上述のフィルタのいずれかを用
いて輝度画像をダウンサンプリングし、図40(b)のダウンサンプリングされた輝度成分の
復号画像duL[][]と未フィルタ参照画像drL[][]を算出する。
【０１５９】
次にCCLM予測部4101は、ダウンサンプリングされた輝度成分の未フィルタ参照画像drL[][]とCb、Cr成分の未フィルタ参照画像rCb[][]、rCr[][]から線形モデルのパラメータ（CCLMパラメータ）(a、b)を導出する。具体的には、輝度成分の未フィルタ参照画像drL[][]と色差成分の未フィルタ参照画像rC[][]との二乗誤差SSDを最小にする線形モデル(aC,bC)を算出する。
【０１６０】
SSD = ΣΣ(rC[x][y]-(aC*drL[x][y]+bC))                        （式CCLM-3）
ここで、ΣΣはx及びyについての和である。Cb成分であれば、rC[][]はrCb[][]、(aC,bC)は(aCb,bCb)であり、Cr成分であれば、rC[][]はrCr[][]、(aC,bC)は(aCr,bCr)である。
【０１６１】
また、Cb成分とCr成分の予測誤差の相関を利用するため、Cb成分の未フィルタ参照画像rCb[][]とCr成分の未フィルタ参照画像rCr[][]との二乗誤差SSDを最小にする線形モデルaResiを算出する。
【０１６２】
SSD = ΣΣ(rCr[x][y]-(aResi*rCb[x][y]))                        （式CCLM-4）
ここで、ΣΣはx及びyについての和である。これらのCCLMパラメータを用いて、下式で色差成分の仮予測画像qCb[][]、qCr[][]を生成する。
【０１６３】
qCb[x][y] = aCb*duL[x][y] + bCb                                （式CCLM-5）
qCr[x][y] = aCr*duL[x][y] + aResi*ResiCb[x][y] + bCr
ここで、ResiCb[][]はCb成分の予測誤差である。
【０１６４】
MMLM予測部4102は、輝度成分と色差成分間の未フィルタ参照画像の関係が２つ以上の線形モデルにカテゴライズされる場合に用いる。対象ブロックの中に前景と背景のような複数の領域が存在する場合、各領域において輝度成分と色差成分間の線形モデルは異なる。このような場合、複数の線形モデルを使用して、輝度成分の復号画像から色差成分の仮予測画像を生成できる。例えば、線形モデルが２個の場合、輝度成分の未フィルタ参照画像の画素値をある閾値th_mmlmで２つに分け、画素値が閾値th_mmlm以下のカテゴリ１と、画素値が閾値th_mmlmより大きいカテゴリ２の各々で、輝度成分の未フィルタ参照画像drL[][]と色差成分の未フィルタ参照画像rC[][]との二乗誤差SSDを最小にする線形モデルを算
出する。
【０１６５】
SSD1 = ΣΣ(rC[x][y]-(a1C*drL[x][y]+b1))    (if drL[x][y]<=th_mmlm)  （式CCLM-6）
SSD2 = ΣΣ(rC[x][y]-(a2C*drL[x][y]+b2))    (if drL[x][y]>th_mmlm)
ここで、ΣΣはx及びyについての和、Cb成分であれば、rC[][]はrCb[][]、(a1C,b1C)は(a1Cb,b1Cb)であり、Cr成分であれば、rC[][]はrCr[][]、(a1C,b1C)は(a1Cr,b1Cr)である。
【０１６６】
閾値th_mmlmは、輝度成分の未フィルタ参照画像drL[x][y]の平均値としてもよい。
【０１６７】
th_mmlm = (ΣΣdrL[x][y] + (W+H)/4) / (W/2+H/2)                （式CCLM-7)
あるいは、閾値th_mmlmは、輝度成分の復号画像duL[x][y]の平均値としてもよい。
【０１６８】
th_mmlm = (ΣΣduL[x][y] + (W*H)/8) / (W*H/4)                  （式CCLM-8)
ここで、WとHは対象ブロックの幅と高さである。
【０１６９】
MMLMは、CCLMよりも各線形モデルの導出に利用できる未フィルタ参照画像のサンプル数が少ないため、対象ブロックサイズが小さい場合やサンプル数が少ない場合は、適切に動作しない可能性がある。そこで図41(b)に示すように、LM予測部31044内に切り替え部4103を設け、下記のいずれかの条件を満たす場合はMMLMをオフにし、CCLM予測を実施する。
・対象ブロックのサイズがTH_MMLMB以下（TH_MMLMBは例えば8x8）
・対象ブロックの未フィルタ参照画像rCb[][]のサンプル数がTH_MMLMR未満（TH_MMLMRは
例えば4）
・対象ブロックの未フィルタ参照画像が対象ブロックの上側、左側双方にない
これらの条件は、対象ブロックのサイズや位置情報で判定できるので、CCLMか否かを示すフラグの通知を省略してもよい。
【０１７０】
また、閾値th_mmlmに輝度成分の未フィルタ参照画像drL[x][y]の平均値を設定した場合であって、輝度成分の復号画像duL[][]がth_mmlmの片側に集中する時、例えばduL[][]の
画素の7/8が１つのカテゴリに集中するような時は、MMLMをオフにする。この場合はCCLM
か否かを示すフラグでMMLMがオフ（CCLMを選択）であることを通知すればよい。
【０１７１】
また、未フィルタ参照画像の一部がタイル外にある場合はMMLMが選択されにくい。そこで、未フィルタ参照画像の一部がタイル外にある場合は、ダウンサンプリングではデフォルトサンプリングフィルタを使用し、ダウンサンプリングに必要な情報を通知しないことで、必要な符号量を削減し、MMLMを選択しやすくしてもよい。
【０１７２】
また、未フィルタ参照画像の一部がタイル外にある場合は、LM予測をオフにしてもよい。イントラ予測を使用するブロックにおいて、CCLM予測か否かを示すフラグは色差成分のイントラ予測情報の最初に通知されるので、フラグを通知しないことによって符号量を削減することができる。つまり、タイル境界でCCLMのオンオフ制御を実施する。
【０１７３】
通常、対象ブロックの色差成分が、隣接ブロックの同じ色差成分よりも、同じ位置にある対象ブロック内の輝度成分と高い相関をもつ場合に、イントラ予測においてLM予測を適用し、より正確な予測画像を生成し、予測残差を少なくすることで符号化効率を高めている。上記のようにLM予測に必要な情報を削減し、LM予測を選択されやすくすることで、対象ブロックに隣接する参照画像がタイル外にあっても、タイルを独立にイントラ予測しつつ、符号化効率の低下を抑制することができる。
【０１７４】
なお、LM予測は未フィルタ参照画像を用いて仮予測画像を生成するため、LM予測の仮予測画像に対しては予測画像補正部3105での補正処理を実施しない。
【０１７５】
なお、上記の構成は予測部3104の一例であって、予測部3104の構成は上記に限らない。
【０１７６】
（予測画像補正部3105の構成）
予測画像補正部3105は、イントラ予測モードに応じて、予測部3104の出力である仮予測画像を修正する。具体的には、予測画像補正部3105は、仮予測画像の各画素に対し、参照領域Ｒと対象予測画素との距離に応じて、未フィルタ参照画像と仮予測画像を重み付け加算（加重平均）することで、仮予測画像を修正した予測画像(補正済予測画像)Predを出力する。なお、一部のイントラ予測モードでは、予測画像補正部3105で仮予測画像を補正せず、予測部3104の出力をそのまま予測画像としてもよい。また、符号化データから明示的に復号されるフラグ、もしくは、符号化パラメータから導出されるフラグに応じて、予測
部3104の出力（仮予測画像、補正前予測画像）と、予測画像補正部3105の出力（予測画像、補正済み予測画像）を切り替える構成としてもよい。
【０１７７】
予測画像補正部3105において、バウンダリフィルタを用いて、予測対象ブロック内位置(x,y)の予測画素値Pred[x][y]を導出する処理を、図42を参照して説明する。図42の(a)は予測画像Pred[x][y]の導出式である。予測画像Pred[x][y]は、仮予測画像q[x][y]と未フ
ィルタ参照画像（例えば、r[x][-1]、r[-1][y]、r[-1][-1]）とを重み付き加算（加重平
均）することで導出される。バウンダリフィルタは、参照領域Ｒの未フィルタ参照画像と仮予測画像との重み付加算である。ここで、rshiftは距離重みk[]を整数で表現するため
の調整項に相当する既定の正の整数値であり、正規化調整項と呼ぶ。例えばrshift=4〜10が用いられる。例えばrshift=6である。
【０１７８】
未フィルタ参照画像の重み係数は、予測方向毎に予め定められた参照強度係数C=(c1v, c1h, c2v, c2h)を、参照領域Ｒとの距離（xまたはy）に依存する距離重みk（k[x]またはk[y]）だけ右シフトすることで導出される。より具体的には、予測対象ブロックの上側の
未フィルタ参照画像r[x][-1]の重み係数（第一重み係数w1v）として、参照強度係数c1vを距離重みk[y]（垂直方向距離重み）だけ右シフトする。また、予測対象ブロックの左側の未フィルタ参照画像r[-1][y]の重み係数（第二重み係数w1h）として、参照強度係数c1hを距離重みk[x]（水平方向距離重み）だけ右シフトする。また、予測対象ブロックの左上の未フィルタ参照画像r[-1][-1]の重み係数（第三重み係数w2）として、参照強度係数c2vを距離重みk[y]だけ右シフトしたものと、参照強度係数c2hを距離重みk[x]だけ右シフトし
たものの和を用いる。
【０１７９】
図42(b)は、仮予測画素値q[x][y]に対する重み係数b[x][y]の導出式である。重み係数b[x][y]は、重み係数と参照強度係数の積の総和が(1<<rshift)と一致するように導出され
る。この値は、図42(a)におけるrshiftの右シフト演算をふまえ、重み係数と参照強度係
数の積を正規化する意図で設定される。
【０１８０】
図42(c)は、距離重みk[x]の導出式である。距離重みk[x]には、対象予測画素と参照領
域Ｒの水平距離xに応じて単調増加する値floor(x/dx)がセットされる。ここで、dxは予測対象ブロックのサイズに応じた既定のパラメータである。
【０１８１】
図42(d)、(e)にdxの一例を示す。図42(d)は、予測対象ブロックの幅Wが16以下であればdx=1、Wが16より大きければdx=2を設定する。図42(e)は、予測対象ブロックの幅Wが4、8
、16であればdx=1/4、1/2、1、Wが16より大きければdx=2を設定する。図42(e)では、小サイズブロックに対し、ブロック境界から離れるほど急速に未フィルタ参照画像の影響を受けなくなるように設計されている。
【０１８２】
距離重みk[y]も、前述の距離重みk[x]において、水平距離xを垂直距離yで置き換えた定義を利用できる。距離重みk[x]およびk[y]の値は、xまたはyの値が大きいほど小さい値となる。
【０１８３】
上記の図42の式を用いた対象予測画像の導出方法によれば、対象予測画素と参照領域Ｒの距離である参照距離（x、y）が大きいほど距離重み（k[x]、k[y]）の値が大きい値となる。したがって、既定の参照強度係数を距離重みだけ右シフトすることで得られる、未フィルタ参照画像の重み係数の値は小さい値となる。そのため、予測対象ブロック内の位置が参照領域Ｒに近いほど、より未フィルタ参照画像の重みを大きくして仮予測画像を補正した予測画像が導出される。一般に、参照領域Ｒに近いほど未フィルタ参照画像が仮予測画像に比べて対象予測ブロックの推定値として適している可能性が高い。ゆえに、図42の式により導出される予測画像は、仮予測画像を予測画像として用いる場合に比べて予測精
度の高い。加えて、図42の式によれば、未フィルタ参照画像を用いた重み係数を参照強度係数と距離重みの乗算により導出できる。そのため、参照距離毎に距離重みを事前に計算してテーブルに保持しておくことで、右シフト演算や除算を用いることなく重み係数を導出できる。
【０１８４】
なお、参照距離は予測対象画素と参照領域Ｒの距離と定義し、参照距離の例として予測対象ブロック内の画素位置(x,y)をあげたが、参照距離として、予測対象画像と参照領域
Ｒの距離を表す他の変数を利用してもよい。例えば、予測対象画素と最も近い参照領域Ｒ上の画素との間の距離を参照距離と定義してもよい。また、予測対象画素と予測対象ブロックの左上位置に隣接する参照領域Ｒ上の画素との距離を参照距離と定義してもよい。また、参照距離が２つの画素間の距離により規定される場合、その距離は広義の距離であってもよい。広義の距離d(a,b)は、任意の3点a,b,c∈Xに対し、非負性d(a,b)≧0、対称性d(a,b)=d(b,a)、三角不等式d(a,b)+d(b,c)≧d(a,c)の各性質を満たす。なお、以降の記載では、参照距離を参照距離xと表記するが、xは水平方向の距離に限定されず、任意の参照距離に対しても適用可能である。例えば、距離重みk[x]の計算式を例示した場合、それは垂直方向の参照距離yをパラメータとして用いて計算された距離重みk[y]にも適用可能であ
る。
【０１８５】
以下、図43を参照して、予測画像補正部3105の動作について説明する。図43は予測画像補正部3105の動作の一例を示すフローチャートである。
【０１８６】
(S4301)予測画像補正部3105は、予測対象画素(x,y)と参照領域Ｒとの距離（xまたはy）に応じて、x方向の距離重みk[x]、及び、y方向の距離重みk[y]を各々導出する。
【０１８７】
(S4302)予測画像補正部3105は、各参照強度係数にS4301で導出した各距離重みを乗じて、以下の重み係数を導出する。
【０１８８】
第一重み係数  w1v = c1v>>k[y]
第二重み係数  w1h = c1h>>k[x]
第三重み係数  w2  = (c2v>>k[y]) + (c2h>>k[x])
(S4303)予測画像補正部3105は、S4302で導出した各重み係数(w1v, w1h, w2)と対応する未フィルタ参照画素値(r[x][-1], r[-1][y], r[-1][-1])の積を計算する。
【０１８９】
r[x][-1]とw1vの積  m1 = w1v*r[x][-1]
r[-1][y]とw1hの積  m2 = w1h*r[-1][y]
r[-1][-1]とw2の積  m3 = w2*r[-1][-1]
(S4304)予測画像補正部3105は、予測対象画素(x,y)に対して、第一重み係数w1v、第二
重み係数w1h、第三重み係数w2と重み係数b[x][y]の総和が(1<<rshift)となるように、下
記式により重み係数b[x][y]を導出する。
【０１９０】
b[x][y] = (1<<rshift)-w1v-w1h+w2
(S4305)予測画像補正部3105は、仮予測画像q[x][y]と重み係数b[x][y]の積m4を計算す
る。
【０１９１】
m4 = b[x][y]*q[x][y]
(S4306)予測画像補正部3105は、S4304で導出した積m1、m2,、m3及びS4305で導出した積m4、及びラウンディング調整項(1<<(rshift-1))の総和sumを下記式により導出する。
【０１９２】
sum = m1+m2-m3+m4+(1<<(rshift-1))
(S4307)予測画像補正部3105は、以下に示すようにS4306で導出した加算値sumを、正規
化調整項rshiftで右シフト演算することで、予測画像（補正済予測画像）Pred[x][y]を導出する。
【０１９３】
Pred[x][y] = sum >> rshift
なお、ラウンディング調整項は、(1<<(rshift-1))が好適であるが、これに限定されな
い。例えば、ラウンディング調整項を0としてもよいし、その他の所定の定数としても良
い。
【０１９４】
なお、参照強度係数C(c1v, c2v, c1h, c2h)は予測方向毎に異なっていてもよい。
【０１９５】
以上、予測画像補正部3105は、S4301〜S4307に示す処理を予測対象ブロック内の全画素について繰り返すことで、予測対象ブロック内の予測画像（補正済予測画像）Pred[][]を生成する。なお、予測画像補正部3105の動作は、上記ステップに限定されず、実施可能な範囲で変更可能である。
【０１９６】
（フィルタモードと参照強度係数Cの例）
予測画像補正部3105（バウンダリフィルタ）の参照強度係数C(c1v, c2v, c1h, c2h)は
イントラ予測モードIntraPredModeに依存しており、イントラ予測モードに応じたテーブ
ルktableを参照することで導出する。参照強度係数テーブルの一例を図44に示す。
【０１９７】
（予測画像生成処理の流れ）
次に、イントラ予測画像生成部310におけるブロック（あるいはCU、PU）単位の予測画
像生成処理の概略を図45のフローチャートを用いて説明する。
【０１９８】
(S4501)予測対象ブロック設定部3101は、予測対象ブロックを設定し、予測対象ブロッ
ク情報を未フィルタ参照画素設定部3102に出力する。
【０１９９】
(S4502)未フィルタ参照画素設定部3102は、参照ピクチャメモリから読み出した復号画
素値を未フィルタ参照画像にセットし、フィルタ済参照画素設定部3103と予測画像補正部3105に出力する。
【０２００】
(S4503)フィルタ済参照画素設定部3103は、S4502でセットされた未フィルタ参照画像に参照画素フィルタを施し、フィルタ済参照画像を導出して予測部3104に出力する。
【０２０１】
(S4504)予測部3104は、イントラ予測モードとS4503で導出されたフィルタ済参照画像から予測対象ブロックの仮予測画像を生成し、出力する。
【０２０２】
(S4505)予測画像補正部3105は、イントラ予測モードとS4502でセットされた未フィルタ参照画像に基づいて、S4504で導出された仮予測画像を補正して予測画像Pred（補正済予
測画像）を生成し、出力する。
【０２０３】
上記の構成では、予測画像補正部3105（バウンダリフィルタ）の参照強度係数C（c1v, c2v, c1h, c2h）はイントラ予測モードIntraPredModeに依存しており、イントラ予測モードに基づきテーブルを参照することで導出する。また、バウンダリフィルタの参照強度係数Cは、予測対象画素(x,y)の最近傍上画素r[x][-1]、最近傍左画素r[-1][y]、および最近傍左上画素r[-1][-1]の重み係数のみならず、例えば最近傍右画素および最近傍左下画素
などの重み係数として用いてもよい。
【０２０４】
なお、予測画像の補正処理には未フィルタ参照画像r[-1][-1]が必要であるが、予測対
象ブロックがタイル境界に接する場合であれば、r[-1][-1]を参照することはできないた
め、以下のタイル境界バウンダリフィルタの構成を用いる。
【０２０５】
（タイル境界バウンダリフィルタ）
図46に示すように、イントラ予測画像生成部310は、予測対象ブロックがタイル境界に
接する場合であれば、左上境界画素r[-1][-1]の代わりに参照可能な位置の画素を使用し
てバウンダリフィルタをかける。
【０２０６】
図46(a)は、予測対象ブロックがタイルの左側の境界に接する場合に、バウンダリフィ
ルタを用いて、予測対象ブロック内位置(x,y)の予測画素値Pred[x][y]を導出する処理を
説明する図である。予測対象ブロックの左側に隣接するブロックはタイル外であり参照できないが、予測対象ブロックの上側に隣接するブロックの画素は参照できる。そこで左上境界画素r[-1][-1]の代わりに左上近傍上境界画素r[0][-1]を参照して、図42(a)、(b)の
代わりに図47(a)に示すバウンダリフィルタをかけて予測画素値Pred[x][y]を導出する。
すなわち、イントラ予測画像生成部310は、予測画像Pred[x][y]を、仮予測画素q[x][y]と上境界画素r[x][-1]、左上近傍上境界画素r[0][-1]を参照して算出し、重み付き加算（加重平均）することで導出する。
【０２０７】
あるいは、左上境界画素r[-1][-1]の代わりに右上近傍上境界画素r[W-1][-1]を参照し
て、図42(a)、(b)の代わりに図47(b)に示すバウンダリフィルタをかけて予測画素値Pred[x][y]を導出する。ここでWは予測対象ブロックの幅である。すなわち、イントラ予測画像生成部310は、仮予測画素q[x][y]と上境界画素r[x][-1]、右上近傍上境界画素r[W-1][-1]を参照して算出し、重み付き加算（加重平均）することで導出する。
【０２０８】
図46(b)は、予測対象ブロックがタイルの上側の境界に接する場合に、バウンダリフィ
ルタを用いて、予測対象ブロック内位置(x,y)の予測画素値Pred[x][y]を導出する処理を
説明する図である。予測対象ブロックの上側に隣接するブロックはタイル外であり参照できないが、予測対象ブロックの左側に隣接するブロックの画素は参照できる。そこで左上境界画素r[-1][-1]の代わりに左上近傍左境界画素r[-1][0]を参照して、図42(a)、(b)の
代わりに図47(c)に示すバウンダリフィルタをかけて予測画素値Pred[x][y]を導出する。
すなわち、イントラ予測画像生成部310は、予測画像Pred[x][y]を、仮予測画素q[x][y]と左境界画素r[-1][y]、左上近傍左境界画素r[-1][0]を参照して算出し、重み付き加算（加重平均）することで導出する。
【０２０９】
あるいは、左上境界画素r[-1][-1]の代わりに左下近傍左境界画素r[-1][H-1]を参照し
て、図42(a)、(b)の代わりに図47(d)に示すバウンダリフィルタをかけて予測画素値Pred[x][y]を導出する。ここでHは予測対象ブロックの高さである。すなわち、イントラ予測画像生成部310は、予測画像Pred[x][y]を、仮予測画素q[x][y]と左境界画素r[-1][y]、左下近傍左境界画素r[-1][H-1]を参照して算出し、重み付き加算（加重平均）することで導出する。
【０２１０】
このように左上境界画素r[-1][-1]を参照可能な画素に置き換えることで、予測対象ブ
ロックの左側あるいは上側の一方がタイル境界に接している時でも、タイルを独立にイントラ予測しつつ、バウンダリフィルタをかけることができ、符号化効率を高めることができる。
【０２１１】
（タイル境界バウンダリフィルタ２）
イントラ予測画像生成部310の未フィルタ参照画像設定部3102において、参照不可能な
未フィルタ参照画像が存在する場合に、未フィルタ参照画像を参照可能な参照画像から生成することによって、タイル境界にバウンダリフィルタを適用する構成を説明する。この構成では、以下のステップを含む処理にしたがって、境界画素（未フィルタ参照画像）r[
x][y]を導出する。
【０２１２】
ステップ１：r[-1][H*2-1]が参照不可能の場合には、x=-1, y=H*2-1からx=-1, y=-1ま
での画素を順に走査する。走査中に参照可能な画素r[-1][y]があれば、走査を終了し、r[-1][y]をr[-1][H*2-1]に設定する。続いて、r[W*2-1][-1]が参照不可能の場合には、x=W*2-1, y=-1からx=0, y=-1までの画素を順に走査する。走査中に参照可能な画素r[x][-1]があれば、走査を終了し、r[x][-1]をr[W*2-1][-1]に設定する。
【０２１３】
ステップ２：x=-1, y=H*2-2からx=-1, y=-1までの画素を順に走査し、走査中にr[-1][y]が参照不可能であれば、r[-1][y+1]をr[-1][y]に設定する。
【０２１４】
ステップ３：x=0..W*2-2, y=-1からx=0, y=-1までの画素を順に走査し、r[x][-1]が参
照不可能であれば、r[x+1][-1]をr[x][-1]に設定する。
【０２１５】
なお、境界画素r[x][y]が参照不可能とは、参照画素が対象画素と同じタイルに存在し
ない、もしくは、参照画素が対象画素と同じスライスに存在しない、もしくは、画面境界の外にある場合である。上記処理を境界画素代替処理（未フィルタ画像代替処理）とも呼ぶ。
【０２１６】
逆量子化・逆変換部３１１は、エントロピー復号部３０１から入力された量子化変換係数を逆量子化して変換係数を求める。逆量子化・逆変換部３１１は、求めた変換係数について逆DCT、逆DST、逆KLT等の逆周波数変換を行い、予測残差信号を算出する。逆量子化
・逆変換部３１１は、算出した残差信号を加算部３１２に出力する。
【０２１７】
加算部３１２は、インター予測画像生成部３０９またはイントラ予測画像生成部３１０から入力されたPUの予測画像と逆量子化・逆変換部３１１から入力された残差信号を画素毎に加算して、PUの復号画像を生成する。加算部３１２は、生成したブロックの復号画像をデブロッキングフィルタ３１３、SAO（サンプル適応オフセット）部３１４、またはＡ
ＬＦ３１５の少なくとも何れかに出力する。
【０２１８】
（インター予測パラメータ復号部の構成）
次に、インター予測パラメータ復号部３０３の構成について説明する。
【０２１９】
図１２は、本実施形態に係るインター予測パラメータ復号部３０３の構成を示す概略図である。インター予測パラメータ復号部３０３は、インター予測パラメータ復号制御部３０３１、AMVP予測パラメータ導出部３０３２、加算部３０３５、マージ予測パラメータ導出部３０３６およびサブブロック予測パラメータ導出部３０３７を含んで構成される。
【０２２０】
インター予測パラメータ復号制御部３０３１は、インター予測に関連する符号（シンタックス要素）の復号をエントロピー復号部３０１に指示し、符号化データに含まれる符号（シンタックス要素）、例えば、PU分割モードpart_mode、マージフラグmerge_flag、マ
ージインデックスmerge_idx、インター予測識別子inter_pred_idc、参照ピクチャインデ
ックスref_idx_lX、予測ベクトルインデックスmvp_lX_idx、差分ベクトルmvdLXを抽出す
る。
【０２２１】
インター予測パラメータ復号制御部３０３１は、まず、マージフラグmerge_flagを抽出する。インター予測パラメータ復号制御部３０３１が、あるシンタックス要素を抽出すると表現する場合は、あるシンタックス要素の復号をエントロピー復号部３０１に指示し、該当のシンタックス要素を符号化データから読み出すことを意味する。
【０２２２】
マージフラグmerge_flagが０、すなわち、AMVP予測モードを示す場合、インター予測パラメータ復号制御部３０３１は、エントロピー復号部３０１を用いて符号化データからAMVP予測パラメータを抽出する。AMVP予測パラメータとして、例えば、インター予測識別子inter_pred_idc、参照ピクチャインデックスrefIdxLX、予測ベクトルインデックスmvp_lX_idx、差分ベクトルmvdLXがある。AMVP予測パラメータ導出部３０３２は予測ベクトルイ
ンデックスmvp_lX_idxから予測ベクトルmvpLXを導出する。詳細は後述する。インター予
測パラメータ復号制御部３０３１は、差分ベクトルmvdLXを加算部３０３５に出力する。
加算部３０３５では、予測ベクトルmvpLXと差分ベクトルmvdLXを加算し、動きベクトルを導出する。
【０２２３】
マージフラグmerge_flagが１、すなわち、マージ予測モードを示す場合、インター予測パラメータ復号制御部３０３１は、マージ予測に係る予測パラメータとして、マージインデックスmerge_idxを抽出する。インター予測パラメータ復号制御部３０３１は、抽出し
たマージインデックスmerge_idxをマージ予測パラメータ導出部３０３６（詳細は後述す
る）に出力し、サブブロック予測モードフラグsubPbMotionFlagをサブブロック予測パラ
メータ導出部３０３７に出力する。サブブロック予測パラメータ導出部３０３７は、サブブロック予測モードフラグsubPbMotionFlagの値に応じて、PUを複数のサブブロックに分
割し、サブブロック単位で動きベクトルを導出する。すなわち、サブブロック予測モードでは、予測ブロックは4x4もしくは8x8という小さいブロック単位で予測される。後述のタイル符号化部2012においては、CUを複数のパーティション（2NxN、Nx2N、NxNなどのPU）
に分割し、パーティション単位で予測パラメータのシンタックスを符号化する方法に対して、サブブロック予測モードでは複数のサブブロックを集合（セット）にまとめ、当該集合毎に予測パラメータのシンタックスを符号化するため、少ない符号量で多くのサブブロックの動き情報を符号化することができる。
【０２２４】
詳細に説明すると、サブブロック予測パラメータ導出部３０３７は、サブブロック予測モードにてサブブロック予測を行う、時空間サブブロック予測部３０３７１、アフィン予測部３０３７２、マッチング動き導出部３０３７３、OBMC予測部30374の少なくとも一つ
を備える。
【０２２５】
（サブブロック予測モードフラグ）
ここで、タイル復号部2002、タイル符号化部2012（詳細は後述する）における、あるPUの予測モードがサブブロック予測モードであるか否かを示すサブブロック予測モードフラグsubPbMotionFlagの導出方法について説明する。タイル復号部2002、タイル符号化部2012は、後述する空間サブブロック予測SSUB、時間サブブロック予測TSUB、アフィン予測AFFINE、マッチング動き導出MATのいずれを用いたかに基づいて、サブブロック予測モードフラグsubPbMotionFlagを導出する。たとえば、あるPUで選択された予測モードをN（たとえばNは選択されたマージ候補を示すラベル）とした場合には、以下の式によりサブブロッ
ク予測モードフラグsubPbMotionFlagを導出してもよい。
【０２２６】
subPbMotionFlag = (N == TSUB) || (N == SSUB) || (N == AFFINE) || (N == MAT)
ここで||は、論理和を示す（以下同様）。
【０２２７】
また、タイル復号部2002、タイル符号化部2012は、空間サブブロック予測SSUB、時間サブブロック予測TSUB、アフィン予測AFFINE、マッチング動き導出MAT、OBMC予測OBMCのう
ち、一部の予測を行う構成でもよい。すなわち、タイル復号部2002、タイル復号部2002が空間サブブロック予測SSUB、アフィン予測AFFINEを行う構成である場合には、以下のようにサブブロック予測モードフラグsubPbMotionFlagを導出してもよい。
【０２２８】
subPbMotionFlag = (N == SSUB)|| (N == AFFINE)
図７は、本実施形態に係るマージ予測パラメータ導出部３０３６の構成を示す概略図である。マージ予測パラメータ導出部３０３６は、マージ候補導出部３０３６１とマージ候補選択部３０３６２、マージ候補格納部３０３６３を備える。マージ候補格納部３０３６３は、マージ候補導出部３０３６１から入力されたマージ候補を格納する。なお、マージ候補は、予測リスト利用フラグpredFlagLX、動きベクトルmvLX、参照ピクチャインデックスrefIdxLXを含んで構成されている。マージ候補格納部３０３６３において、格納されたマージ候補には、所定の規則に従ってインデックスが割り当てられる。
【０２２９】
マージ候補導出部３０３６１は、すでに復号処理が行われた隣接PUの動きベクトルと参照ピクチャインデックスrefIdxLXをそのまま用いてマージ候補を導出する。それ以外にアフィン予測を用いてマージ候補を導出してもよい。この方法を以下で詳細に説明する。マージ候補導出部３０３６１は、アフィン予測を、後述する空間マージ候補導出処理、時間マージ候補導出処理、結合マージ候補導出処理、およびゼロマージ候補導出処理に用いてもよい。なお、アフィン予測はサブブロック単位で行われ、予測パラメータはサブブロック毎に予測パラメータメモリ３０７に格納されている。あるいは、アフィン予測は画素単位で行われてもよい。
【０２３０】
（空間マージ候補導出処理）
空間マージ候補導出処理として、マージ候補導出部３０３６１は、所定の規則に従って、予測パラメータメモリ３０７が記憶している予測パラメータ（予測リスト利用フラグpredFlagLX、動きベクトルmvLX、参照ピクチャインデックスrefIdxLX）を読み出し、読み出した予測パラメータをマージ候補として導出し、マージ候補リストmergeCandList[]（予
測ベクトル候補リストmvpListLX[]）に格納する。読み出される予測パラメータは、復号
対象PUから予め定めた範囲内にあるPU（例えば、図21(b)に示す復号対象PUの左下端、左
上端、右上端にそれぞれ接するPUの全部または一部）のそれぞれに係る予測パラメータである。
【０２３１】
（時間マージ候補導出処理）
時間マージ導出処理として、マージ候補導出部３０３６１は、参照ピクチャにおいて図21(c)に示すコロケートブロックの右下（ブロックBR）、あるいは、復号対象PUの中心の
座標を含むブロック（ブロックC）の予測パラメータを予測パラメータメモリ３０７から
読みだしマージ候補し、マージ候補リストmergeCandList[]に格納する。ブロックCの動きベクトルよりもブロックBRの動きベクトルの方が、空間マージ候補となるブロック位置から離れているので、ブロックBRは空間マージ候補の動きベクトルとは異なる動きベクトルをもつ可能性が高い。従って一般的にブロックBRを優先してマージ候補リストmergeCandList[]に加え、ブロックBRが動きベクトルを持たない（例えばイントラ予測ブロック）場
合や、ブロックBRがピクチャ外に位置する場合は、ブロックCの動きベクトルを予測ベク
トル候補に加える。異なる動きベクトルが予測候補として加わることで、予測ベクトルの選択肢が増え、符号化効率が高まる。参照ピクチャの指定方法は、例えば、スライスヘッダにおいて指定された参照ピクチャインデックスrefIdxLXでも良いし、復号対象PUに隣接するPUの参照ピクチャインデックスrefIdxLXのうち最小のものを用いて指定しても良い。
【０２３２】
例えばマージ候補導出部３０３６１は、ブロックCの位置（xColCtr, yColCtr）とブロ
ックBRの位置（xColBr、yColBr）を、以下の式で導出してもよい。
【０２３３】
xColCtr = xPb + (W>>1)
yColCtr = yPb + (H>>1)
xColBr = xPb + W                        （式BR0）
yColBr = yPb + H
ここで、(xPb,yPb)は対象ブロックの左上座標、(W,H)は対象ブロックの幅と高さである。
【０２３４】
（タイル境界BR、BRmod）
ところで、図21(c)に示す時間マージ候補として参照するブロックの１つであるブロッ
クBRは、図21(d)のように対象ブロックがタイルの右端に位置する場合、図21(e)のようにタイル外に位置する。そこで、マージ候補導出部３０３６１は、ブロックBRの位置を図21(f)に示すように、コロケートブロック内の右下に設定してもよい。この位置をBRmodとも呼ぶ。例えばブロック境界位置である以下の式でBRmodの位置（xColBr、yColBr）を導出
してもよい。
【０２３５】
xColBr = xPb + W - 1                    （式BR1）
yColBr = yPb + H - 1
さらに、BRmodの位置を2のM乗の倍数とするために、以下の右シフトの後に左シフトをす
る処理を加えても良い。例えばMは2、3、4などが適当である。これにより動きベクトルを参照する位置を制限する場合、動きベクトルの格納に必要なメモリを削減できる。
【０２３６】
xColBr = ((xPb + W - 1)>>M)<<M          （式BR2）
yColBr = ((yPb + H - 1)>>M)<<M
また、マージ候補導出部３０３６１は、対象ブロックがタイルの下端に位置しない場合、（式BR1）および（式BR2）におけるBRmodの位置のY座標yColBrを、ブロック境界内位置である以下の式で導出しても良い。
【０２３７】
yColBr = yPb + H                        （式BR3）
また、（式BR3）においても、位置（ブロック境界位置、ラウンドブロック内位置）を2のM乗の倍数に設定しても良い。
【０２３８】
yColBr = ((yPb + H)>>M)<<M              （式BR4）
ブロック境界内位置やラウンドブロック内位置では、タイル外のブロックを参照することがないため、右下位置のブロックBR（あるいはBRmod）を時間マージ候補として参照す
ることができる。なお、時間マージ候補ブロックBRを図21(f)の位置に設定するのは、全
ての対象ブロックの位置によらず適用してもよいし、対象ブロックがタイルの右端に位置する場合に限定してもよい。例えば、ある位置(x,y)のTileIdを導出する関数をgetTileID(x,y)とすると、getTileID(xColBr,yColBr) != “対象ブロックを含むタイルのTileId”
である場合、上記式のいずれかで、BR(BRmod）の位置を導出しても良い。independent_tile_flag=1の場合に、コロケートブロック内の右下BRmodに設定してもよい。例えば、マージ候補導出部３０３６１は、independent_tile_flag=0の場合には、ブロックBRをブロッ
ク境界位置（式BR0）で導出し、independent_tile_flag=1の場合には、ブロックBRをブロック境界内位置（式BR1）あるいは（式BR2）で導出してもよい。
【０２３９】
また、independent_tile_flag=1の場合、対象ブロックがタイルの下端に位置しない時
は、ブロックBRをラウンドブロック境界位置（式BR3）、あるいは、ブロック境界内位置
（式BR4）で導出してもよい。
【０２４０】
このように、コロケートブロックの右下ブロック位置を、図21(f)に示すコロケートタ
イル内の右下位置BRmodに設定することで、independent_tile_flag=1の場合に、時間方向のマージ予測を用いて符号化効率を低下させることなく、タイルシーケンスを独立に復号することができる。
【０２４１】
（結合マージ候補導出処理）
結合マージ導出処理として、マージ候補導出部３０３６１は、既に導出され、マージ候補格納部３０３６３に格納された２つの異なる導出済マージ候補の動きベクトルと参照ピ
クチャインデックスを、それぞれL0、L1の動きベクトルとして組み合わせることで結合マージ候補を導出し、マージ候補リストmergeCandList[]に格納する。
【０２４２】
なお、上述の空間マージ候補導出処理、時間マージ候補導出処理、結合マージ候補導出処理で導出した動きベクトルが、対象ブロックの位置するタイルのコロケートタイル外を一部でも指す場合は、動きベクトルをクリッピングして、コロケートタイル内のみを指すように修正してもよい。この処理はタイル符号化部2002とタイル復号部2012で同じ処理を選択する必要がある。
【０２４３】
（ゼロマージ候補導出処理）
ゼロマージ候補導出処理として、マージ候補導出部３０３６１は、参照ピクチャインデックスrefIdxLXが０であり、動きベクトルmvLXのＸ成分、Ｙ成分が共に０であるマージ候補を導出し、マージ候補リストmergeCandList[]に格納する。
【０２４４】
マージ候補導出部３０３６１によって導出された上記マージ候補はマージ候補格納部３０３６３に格納される。マージ候補リストmergeCandList[]に格納する順番は、図21(b)、(c)の｛L、A、AR、BL、AL、BR/C、結合マージ候補、ゼロマージ候補｝である。BR/Cは、
ブロックBRが利用可能でなければブロックCを使用する、という意味である。なお、利用
可能でない（ブロックがタイル外、イントラ予測等）参照ブロックは、マージ候補リストに格納されない。
【０２４５】
マージ候補選択部３０３６２は、マージ候補格納部３０３６３のマージ候補リストmergeCandList[]に格納されているマージ候補のうち、インター予測パラメータ復号制御部３
０３１から入力されたマージインデックスmerge_idxに対応するインデックスが割り当て
られたマージ候補を、対象PUのインター予測パラメータとして選択する。マージ候補選択部３０３６２は選択したマージ候補を予測パラメータメモリ３０７に記憶するとともに、予測画像生成部３０８に出力する。
【０２４６】
（サブブロック予測部）
次に、サブブロック予測部について説明する。
【０２４７】
（時空間サブブロック予測部３０３７１）
時空間サブブロック予測部３０３７１は、時間的に対象PUに隣接する参照ピクチャ上（たとえば直前のピクチャ）のPUの動きベクトル、もしくは、空間的に対象PUに隣接するPUの動きベクトルから、対象PUを分割して得られるサブブロックの動きベクトルを導出する。具体的には、参照ピクチャ上のPUの動きベクトルを対象PUが参照する参照ピクチャに合わせて動きベクトルをスケーリングすることにより、対象PU中の各サブブロックの動きベクトルspMvLX[xi][yi] (xi=xPb+BW*i, yj=yPb+BH*j, i=0,1,2,・・・,W/BW-1、j=0,1,2,
・・・,H/BH-1)を導出する（時間サブブロック予測）。ここで、(xPb, yPb)は対象PUの左上座標、W, Hは対象PUのサイズ、BW, BHはサブブロックのサイズである。
【０２４８】
また、対象PUに隣接するPUの動きベクトルを、対象PUを分割して得られるサブブロックとの距離に応じて加重平均を計算することで、対象PU中の各サブブロックの動きベクトルspMvLX[xi][yi] (xi=xPb+BW*i, yj=yPb+BH*j, i=0,1,2,・・・,W/BW-1、j=0,1,2,・・・,H/BH-1)を導出してもよい（空間サブブロック予測）。
【０２４９】
上記、時間サブブロック予測の候補TSUB、空間サブブロック予測の候補SSUBを、マージモードの一つのモード（マージ候補）として選択する。
【０２５０】
具体的な時空間サブブロック予測方法として、ATMVP（Adaptive Temporal Motion Vect
or Prediction）とSTMVP（Spatial-Temporal Motion Vector Prediction）について説明
する。
【０２５１】
（動きベクトルスケーリング）
まず、動きベクトルのスケーリングの導出方法を説明する。動きベクトルMv、動きベクトルMvをもつブロックを含むピクチャPic1、動きベクトルMvの参照ピクチャRic2、スケーリング後の動きベクトルsMv、スケーリング後の動きベクトルsMvをもつブロックを含むピクチャPict3、スケーリング後の動きベクトルsMvが参照する参照ピクチャPic4とすると、sMvの導出関数MvScale(Mv, Pic1, Pic2, Pic3, Pic4)は下式で表される。
【０２５２】
sMv2 = MvScale(Mv, Pic1, Pic2, Pic3, Pic4)
= Clip3(-R1, R1-1, sign(distScaleFactor * Mv) * ((abs(distScaleFactor *
Mv) + round1-1) >> shift1))                    （式MVSCALE-1）
distScaleFactor = Clip3(-R2, R2-1, (tb*tx + round2)>>shift2 )
tx = (16384 + abs(td) >> 1 )/ td
td = DiffPicOrderCnt( Pic1, Pic2 )
tb = DiffPicOrderCnt( Pic3, Pic4 )
ここで、round1, round2, shift1, shift2は、逆数を用いて除算を行うためのラウンド値及びシフト値で例えば、round1 = 1<<(shift1-1)、round2 = 1<<(shift2-1)、shift1=8, shift2 = 6などである。DiffPicOrderCnt(Pic1, Pic2)はPic1とPic2の時間情報（例えばPOC）の差を返す関数である。R1, R2, R3は処理を限られた精度で行うために値域を制限するもので例えば、R1 = 32768、R2 = 4096、R3 = 128などである。
【０２５３】
また、スケーリング関数MvScale(Mv, Pic1, Pic2, Pic3, Pic4)は以下の式でもよい。
【０２５４】
MvScale(Mv, Pic1, Pic2, Pic3, Pic4) = 
Mv * DiffPicOrderCnt( Pic3, Pic4 ) / DiffPicOrderCnt( Pic1, Pic2 )    （式MVSCALE-2）
すなわち、Pic1とPic2の時間情報の差と、Pic3とPic4の時間情報の差との比に応じてMvをスケーリングしてもよい。
【０２５５】
（ATMVP、タイル境界ATMVP）
ATMVPは、図21(b)に示す対象ピクチャPCurの対象ブロックの空間隣接ブロック（L、A、AR、BL、AL）の動きベクトルをもとに、対象ブロックのサブブロック毎に動きベクトルを導出し、サブブロック単位で予測画像を生成する方式であり、下記の手順で処理する。
【０２５６】
ステップ１）初期ベクトル導出
空間隣接ブロックL、A、AR、BL、ALの順に、利用可能（available）な最初の隣接ブロッ
クを求める。利用可能な隣接ブロックが見つかった場合、そのブロックが有する動きベクトルと参照ピクチャをATMVPの初期ベクトルIMVと初期参照ピクチャIRefとして、ステップ２に移行する。全ての隣接ブロックが利用可能でない（non available）場合、ATMVFをオフとし、処理を終了する。「ATMVPがオフ」の意味は、マージ候補リストにATMVPによる動きベクトルを格納しないということである。
【０２５７】
ここで、「利用可能な隣接ブロック」の意味は、例えば、隣接ブロックの位置が対象タイルに含まれており、かつ、隣接ブロックが動きベクトルを有する、である。
【０２５８】
ステップ２）初期ベクトルのタイル境界チェック
初期参照ピクチャIRef上において、対象ブロックがIMVを用いて参照するブロックがコロ
ケートタイル内か否かをチェックする。このブロックがコロケートタイル内にある場合、
IMVとIRefを各々対象ブロックのブロックレベルの動きベクトルBMVと参照ピクチャBRefとしてステップ３に移行する。このブロックがコロケートタイル内にない場合、参照ピクチャリストRefPicListXに格納された参照ピクチャRefPicListX[RefIdx](RefIdx=0..参照ピ
クチャ数-1)上で、IMVからスケーリング関数MvScale(IMV, PCur, IRef, PCur, RefPicListX[refIdx])を用いて導出されるsIMVを用いて参照するブロックが、コロケートタイル内
にあるか否かをチェックする。このブロックがコロケートタイル内にある場合、このsIMVとRefPicListX[RefIdx]を各々対象ブロックのブロックレベルの動きベクトルBMVと参照ピクチャBRefとしてステップ３に移行する。
【０２５９】
なお、参照ピクチャリストに格納された全ての参照ピクチャにおいてこのようなブロックが見つからない場合、ATMVFをオフとし、処理を終了する。
【０２６０】
ステップ３）サブブロック動きベクトル
図22(b)に示すように、参照ピクチャBRef上で、対象ブロックを動きベクトルBMVだけずれた（シフトした）位置のブロックをサブブロックに分割し、各サブブロックの有する動きベクトルSpRefMvLX[k][l]（k=0..NBW-1、l=0..NBH-1）と参照ピクチャSpRef[k][l]の情報を取得する。ここで、NBW、NBHは各々、水平および垂直方向のサブブロックの個数である。あるサブブロック(k1,l1)の動きベクトルがない場合、ブロックレベルの動きベクトルBMVと参照ピクチャBRefを、サブブロック(k1,l1)の動きベクトルSpRefMvLX[k1][l1]と参照ピクチャSpRef[k1][l1]としてセットする。
【０２６１】
ステップ４）動きベクトルスケーリング
参照ピクチャ上の各サブブロックの動きベクトルSpRefMvLX[k][l]と参照ピクチャSpRef[k][l]からスケーリング関数MvScale()により対象ブロック上の各サブブロックの動きベ
クトルSpMvLX[k][l]を導出する。
【０２６２】
SpMvLX[k][l] = MvScale(SpRefMvLX[k][l], Bref, SpRef[k][l], PCur, RefPicListX[refIdx0])  （式ATMVP-1）
ここでRefPicListX[refIdx0])は、対象ブロックのサブブロックレベルの参照ピクチャ
であり、例えば、参照ピクチャRefPicListX[refIdxATMVP]、refIdxATMVP = 0とする。
【０２６３】
なお、対象ブロックのサブブロックレベルの参照ピクチャは、参照ピクチャRefPicListX[refIdx0]ではなく、図18(c)に示す、スライスヘッダで通知された時間方向の予測動き
ベクトル導出に用いられるインデックス（collocated_ref_idx）で指定された参照ピクチャでもよい。この場合、対象ブロックのサブブロックレベルの参照ピクチャはRefPicListX[collocated_ref_idx]であり、対象ブロックのサブブロックレベルの動きベクトルSpMvLX[k][l]の算出式は下記である。
【０２６４】
SpMvLX[k][l] = MvScale(SpRefMvLX[k][l], Bref, SpRef[k][l], PCur, RefPicListX[collocated_ref_idx]))  （式ATMVP-2）
ステップ５）サブブロックベクトルのタイル境界チェック
対象ブロックのサブブロックレベルの参照ピクチャにおいて、対象サブブロックがSpMvLX[k][l]を用いて参照するサブブロックがコロケートタイル内にあるか否かをチェックする。あるサブブロック(k2, l2)においてサブブロック動きベクトルSpMvLX[k2][l2]の指す先がコロケートタイル内にない場合には、以下の処理１(処理１A〜処理１D)のいずれかを施す。
・[処理１A] タイル境界パディング
タイル境界パディング（タイル外パディング）は、既に説明したように参照位置を、タイルの上下左右の境界画素の位置でクリッピングすることで実現する。例えば、ピクチャの左上座標を基準とした対象サブブロックの左上座標を(xs,ys)、対象サブブロックの幅
と高さをBW、BW、対象サブブロックが位置する対象タイルの左上座標を(xTs,yTs)、対象
タイルの幅と高さをwT、hT、動きベクトルをspMvLX[k2][l2]とすると、サブブロックレベルの参照画素(xRef, yRef)を下式で導出する。
【０２６５】
xRef + i = Clip3(xTs, xTs+wT-1, xs+(SpMvLX[k2][l2][0]>>log2(M)) + i)  （式ATMVP-3）
yRef + j = Clip3(yTs, yTs+hT-1, ys+(SpMvLX[k2][l2][1]>>log2(M)) + j)
・[処理１B] タイル境界動きベクトル制限（タイル外動きベクトル制限）
サブブロックレベルの動きベクトルSpMvLX[k2][l2]がタイル外を参照しないようにサブブロック動きベクトルSpMvLX[k2][l2]をクリッピングする。タイル境界動きベクトル制限については上述したとおりである。
・[処理１C] タイル境界動きベクトル置換（タイル外の代替動きベクトルによる置換）
サブブロック動きベクトルSpMvLX[k2][l2]の指す先がコロケートタイル内にない場合には、コロケートタイル内にある代替動きベクトルSpMvLX[k3][l3]でコピーする。例えば、(k3, l3)は、(k2, l2)の隣接サブブロックでもよいし、ブロックの中心でもよい。
【０２６６】
SpMvLX[k2][l2][0] = SpMvLX[k3][l3][0]  （式ATMVP-4）
SpMvLX[k2][l2][1] = SpMvLX[k3][l3][1]
・[処理１D] タイル境界ATMVPオフ（タイル外ATMVPオフ）
サブブロック動きベクトルSpMvLX[k2][l2]の指す先がコロケートタイル内にないサブブロック数が所定の閾値を越えた場合、ATMVPをオフにし、処理を終了する。例えば所定の
閾値は対象ブロック内の全サブブロック数の1/2としてもよい。
【０２６７】
なお、処理１はタイル符号化部2002とタイル復号部2012で同じ処理を選択する必要がある。
【０２６８】
ステップ６）マージ候補リストにATMVPを格納する。マージ候補リストに格納するマー
ジ候補の順番の例を図24に示す。このリストの中から、インター予測パラメータ復号制御部3031で導出されたmerge_idxを用いて、対象ブロックのマージ候補が選択される。
【０２６９】
マージ候補としてATMVPが選択された場合、図22(b)に示すように、対象ブロックの各サブブロックからSpMvLX[k][l]シフトした参照ピクチャRefPicListX[refIdxATMVP]上の画像を読み出し、予測画像とする。
【０２７０】
以上ステップ１）〜ステップ６）で説明したATMVPに関するマージ候補リスト導出処理
を図23のフローチャートで説明する。
【０２７１】
時空間サブブロック予測部30371は、対象ブロックの５つの隣接ブロックをサーチする
（S2301）。
【０２７２】
時空間サブブロック予測部30371は、利用可能な最初の隣接ブロックの有無を判定し、
利用可能な隣接ブロックがあればS2303に進み、利用可能な隣接ブロックがなければS2311に進む（S2302）。
【０２７３】
時空間サブブロック予測部30371は、利用可能な隣接ブロックの有する動きベクトルと
参照ピクチャを、対象ブロックの初期ベクトルIMVと初期参照ピクチャIRefとして設定す
る（S2303）。
【０２７４】
時空間サブブロック予測部30371は、対象ブロックの初期ベクトルIMVと初期参照ピクチャIRefをもとに、対象ブロックのブロックベースの動きベクトルBMVと参照ピクチャBRef
をサーチする（S2304）。
【０２７５】
時空間サブブロック予測部30371は、参照ブロックがコロケートタイル内を指すブロッ
クベースの動きベクトルBMVの有無を判定し、BMVがあれば、BRefを取得してS2306に進み
、BMVがなければS2311に進む（S2305）。
【０２７６】
時空間サブブロック予測部30371は、対象ブロックのブロックベースの動きベクトルBMVと参照ピクチャBRefを用いて、コロケートブロックのサブブロックベースの動きベクトルSpRefMvLX[k][l]と参照ピクチャSpRef[k][l]を取得する（S2306）。
【０２７７】
時空間サブブロック予測部30371は、動きベクトルSpRefMvLX[k][l]と参照ピクチャSpRefを用いて、参照ピクチャをRefPicListX[refIdxATMVP]に設定した時の、対象ブロックの
サブブロックベースの動きベクトルspMvLX[k][l]をスケーリングにより導出する（S2307
）。
【０２７８】
時空間サブブロック予測部30371は、参照ピクチャRefPicListX[refIdxATMVP]上で、動
きベクトルspMvLX[k][l]の指す各ブロックが全てコロケートタイル内を参照するか否かを判定する。全ブロックがコロケートタイル内のみを参照する場合、S2310に進み、そうで
ない場合、S2309に進む（S2308）。
【０２７９】
時空間サブブロック予測部30371は、動きベクトルspMvLX[k][l]だけシフトしたブロッ
クの少なくとも一部がコロケートタイル外にある場合、シフト後のサブブロックがコロケートタイル内にあるサブブロックレベルの動きベクトルを持つ、隣接サブブロックのサブブロックレベルの動きベクトルをコピーする（S2309）。
【０２８０】
時空間サブブロック予測部30371は、図24に示すマージ候補リストmergeCandList[]にATMVPの動きベクトルを格納する（S2310）。
【０２８１】
時空間サブブロック予測部30371は、マージ候補リストmergeCandList[]にATMVPの動き
ベクトルを格納しない（S2311）。
【０２８２】
なお、S2309の処理は隣接ブロックの動きベクトルのコピー以外に、５）で説明したよ
うに、参照ピクチャのタイル境界のパディング処理や、対象ブロックのサブブロックレベルの動きベクトルのクリッピング処理であってもよい。また、利用可能でないサブブロック数が所定の閾値より多い時はATMVPをオフにしてS2311に進んでもよい。
【０２８３】
以上の処理により、ATMVPに関するマージ候補リストを導出する。
【０２８４】
このようにATMVPの動きベクトルを導出し、予測画像を生成することで、インター予測
で動きベクトルがコロケートタイル外を指しても、コロケートタイル内の画素値を用いて参照画素を置き換えるので、タイルを独立にインター予測することができる。したがって、参照画素の一部がコロケートタイル内に含まれない場合でも、ATMVPをマージ候補の１
つとして選択することができる。そしてATMVP以外のマージ候補よりも性能が高い場合は
、ATMVPを利用して予測画像を生成できるので、符号化効率を高めることができる。
【０２８５】
（STMVP）
STMVPは、図25(a)に示す対象ピクチャPCurの対象ブロックの空間隣接ブロック（a,b,c,d,…）、および、図25(b)に示す対象ブロックのコロケートブロック（A',B',C',D',…）
の動きベクトルをもとに、対象ブロックのサブブロック毎に動きベクトルを導出し、サブブロック単位で予測画像を生成する方式である。図25(a)のA,B,C,Dは、対象ブロックを分
割したサブブロックの例である。図25(b)のA',B',C',D'は、図25(a)のサブブロックA,B,C,Dのコロケートブロックである。図25(b)のAc',Bc',Cc',Dc'はA',B',C',D'の中心に位置
する領域であり、Abr',Bbr',Cbr',Dbr'はA',B',C',D'の右下に位置する領域である。なお、Abr',Bbr',Cbr',Dbr'は図25(b)に示すA',B',C',D'外の右下位置ではなく、図25(g)に示すA',B',C',D'内の右下位置であってもよい。図25(g)では、Abr',Bbr',Cbr',Dbr'はコロ
ケートタイル内の位置をとる。STMVPは下記の手順で処理する。
【０２８６】
ステップ１）対象ブロックをサブブロックに分割し、サブブロックAの上側隣接ブロッ
クから右方向に、利用可能（available）な最初のブロックを求める。利用可能な隣接ブ
ロックが見つかった場合、その最初のブロックが有する動きベクトルと参照ピクチャをSTMVPの上側ベクトルmvA_aboveと参照ピクチャRefA_aboveとし、カウントcnt=1とする。利
用可能な隣接ブロックがない場合、カウントcnt=0とする。
【０２８７】
ステップ２）サブブロックAの左側隣接ブロックbから下方向に、利用可能な最初のブロックを求める。利用可能な隣接ブロックが見つかった場合、その最初のブロックが有する動きベクトルと参照ピクチャを左側ベクトルmvA_leftと参照ピクチャRefA_leftとし、カ
ウントcntを1インクリメントする。利用可能な隣接ブロックがない場合、カウントcntを
更新しない。
【０２８８】
ステップ３）サブブロックAのコロケートブロックA'において、右下位置A'brおよびA'cの順に利用可能か否かをチェックする。利用可能な領域が見つかった場合、そのブロックが有する最初の動きベクトルと参照ピクチャをコロケートベクトルmvA_colと参照ピクチ
ャRefA_colとし、カウントを1インクリメントする。利用可能なブロックがない場合、カ
ウントcntを更新しない。
【０２８９】
ステップ４）cnt=0（利用可能な動きベクトルが１つもない）の場合、STMVPをオフにし、処理を終了する。
【０２９０】
ステップ５）ctnが0でない場合、対象ピクチャPCurと、対象ブロックの参照ピクチャRefPicListX[collocated_ref_idx]との時間情報を用いて、ステップ１）〜ステップ３）で
求めた利用可能な動きベクトルをスケーリングする。スケーリング後の動きベクトルをsmvA_above,smvA_left,smvA_colとする。
【０２９１】
smvA_above = MvScale(mvA_above , PCur, RefA_above, PCur, RefPicListX[collocated_ref_idx]))  （式STMVP-1）
smvA_left = MvScale(mvA_left, PCur, RefA_left, PCur, RefPicListX[collocated_ref_idx]))
smvA_col = MvScale(mvA_col, PCur, RefA_col, PCur, RefPicListX[collocated_ref_idx]))
利用可能でない動きベクトルは0にセットする。
【０２９２】
ここでスケーリング関数MvScale(Mv, Pic1, Pic2, Pic3, Pic4)は、上述のように動き
ベクトルMvをスケーリングするための関数である。
【０２９３】
ステップ６）smvA_above,smvA_left,smvA_colの平均を算出し、サブブロックAの動きベクトルspMvLX[A]としてセットする。サブブロックAの参照ピクチャはRefPicListX[collocated_ref_idx]である。
【０２９４】
spMvLX[A] = (smvA_above+smvA_left+smvA_col)/cnt  （式STMVP-2）
整数演算のために例えば、以下のように導出しても良い。cnt == 2の場合、2つのベク
トルを順にmvA_cnt0, mvA_cnt1と記載すると、以下の式で導出してもよい。
【０２９５】
spMvLX[A] = (smvA_cnt0+smvA_cnt1)>>1
cnt == 3の場合、以下の式で導出してもよい。
【０２９６】
spMvLX[A] = (5*smvA_above+5*smvA_1eft+6*smvA_col)>>4
ステップ７）参照ピクチャRefPicListX[collocated_ref_idx]において、コロケートブ
ロックをspMvLX[A]だけシフトした位置のブロックがコロケートタイル内か否かをチェッ
クする。ブロックの一部あるいは全部がコロケートタイル内にない場合、以下の処理２(
処理２A〜処理２D)のいずれかを施す。
・[処理２A] タイル境界パディング
タイル境界パディング（タイル外パディング）は、既に説明したように参照位置を、タイルの上下左右の境界画素の位置でクリッピングすることで実現する。例えば、ピクチャの左上座標を基準としたサブブロックAの左上座標を(xs,ys)、サブブロックAの幅と高さ
をBW、BH、サブブロックAが位置する対象タイルの左上座標を(xTs,yTs)、対象タイルの幅と高さをwT、hTとすると、サブブロックAの
参照画素(xRef, yRef)を下式で導出する。
【０２９７】
xRef + i = Clip3(xTs, xTs+wT-1, xs+(spMvLX[A][0]>>log2(M))+i)  （式STMVP-3）
yRef + j = Clip3(yTs, yTs+hT-1, ys+(spMvLX[A][1]>>log2(M))+j)
なお、処理２はタイル符号化部2002とタイル復号部2012で同じ処理を選択する必要がある。
・[処理２B] タイル境界動きベクトル制限
サブブロックレベルの動きベクトルspMvLX[A]がタイル外を参照しないようにサブブロ
ック動きベクトルspMvLX[A]をクリッピングする。タイル境界動きベクトル制限について
は上述したとおりである。
・[処理２C] タイル境界動きベクトル置換（代替動きベクトルによる置換）
サブブロック動きベクトルSpMvLX[k2][l2]の指す先がコロケートタイル内にない場合には、コロケートタイル内にある代替動きベクトルSpMvLX[k3][l3]でコピーする。例えば、(k3, l3)は、(k2, l2)の隣接サブブロックでもよいし、ブロックの中心でもよい。
【０２９８】
SpMvLX[k2][l2][0] = SpMvLX[k3][l3][0]  （式STMVP-4）
SpMvLX[k2][l2][1] = SpMvLX[k3][l3][1]
・[処理２D] タイル境界STMVPオフ
サブブロック動きベクトルSpMvLX[k2][l2]の指す先がコロケートタイル内にないサブブロック数が所定の閾値を越えた場合、STMVPをオフにし、処理を終了する。例えば所定の
閾値は対象ブロック内の全サブブロック数の1/2としてもよい。
【０２９９】
ステップ８）上記ステップ１）〜ステップ７）の処理をサブブロックB,C,D等、対象ブ
ロックの各サブブロックに対して実行し、図25(d)、(e)、(f)のようにサブブロックの動
きベクトルを求める。ただし、サブブロックBでは、上側隣接ブロックはdから右方向にサーチする。サブブロックCでは、上側隣接ブロックはAであり、左側隣接ブロックはaから
下方向にサーチする。サブブロックDでは、上側隣接ブロックはBであり、左側隣接ブロックはCである。
【０３００】
ステップ９）マージ候補リストにSTMVPの動きベクトルを格納する。マージ候補リスト
に格納するマージ候補の順番を図24に示す。このリストの中から、インター予測パラメータ復号制御部3031で導出されたmerge_idxを用いて、対象ブロックのマージ候補が選択さ
れる。
【０３０１】
マージ候補としてSTMVPが選択された場合、対象ブロックの各サブブロックから動きベ
クトル分シフトした参照ピクチャRefPicListX[collocated_ref_idx]上の画像を読み出し
、予測画像とする。
【０３０２】
以上ステップ１）〜ステップ９）で説明したSTMVPに関するマージ候補リスト導出処理
を図26(a)のフローチャートで説明する。
【０３０３】
時空間サブブロック予測部30371は、対象ブロックをサブブロックに分割する(S2601)。
【０３０４】
時空間サブブロック予測部30371は、サブブロックの上側、左側、時間方向の隣接ブロ
ックをサーチする（S2602）。
【０３０５】
時空間サブブロック予測部30371は、利用可能な隣接ブロックの有無を判定し、利用可
能な隣接ブロックがあればS2604に進み、利用可能な隣接ブロックが１個もなければS2610に進む（S2603）。
【０３０６】
時空間サブブロック予測部30371は、対象ピクチャと複数の隣接ブロックの参照ピクチ
ャ間の時間的な距離に応じて、利用可能な隣接ブロックの有する動きベクトルをスケーリングする（S2604）。
【０３０７】
時空間サブブロック予測部30371は、スケーリングした動きベクトルの平均値を算出し
、対象サブブロックの動きベクトルspMvLX[]としてセットする（S2605）。
【０３０８】
時空間サブブロック予測部30371は、参照ピクチャ上のコロケートサブブロックを動き
ベクトルspMvLX[]だけシフトしたブロックがコロケートタイル内にあるか否かを判定し、コロケートタイル内にあればS2608に進み、一部分でもコロケートタイル内になければS2607に進む（S2606）。
【０３０９】
時空間サブブロック予測部30371は、動きベクトルspMvLX[]だけシフトしたブロックが
コロケートタイル外にある場合、動きベクトルspMvLX[]をクリッピングする（S2607）。
【０３１０】
時空間サブブロック予測部30371は、処理中のサブブロックが対象ブロックの最後のサ
ブブロックか否かをチェックし（S2608）、最後のサブブロックであればS2610に進み、そうでなければ、処理対象を次のサブブロックに移してS2602に進み（S2609）、S2602〜S2608を繰り返し処理する。
【０３１１】
時空間サブブロック予測部30371は、図24に示すマージ候補リストmergeCandList[]にSTMVPの動きベクトルを格納する（S2610）。
【０３１２】
時空間サブブロック予測部30371は、利用可能な動きベクトルがない場合、マージ候補
リストmergeCandList[]にSTMVPの動きベクトルを格納せず、処理を終了する（S2611）。
【０３１３】
なお、S2607の処理は対象サブブロックの動きベクトルのクリッピング処理以外に、７
）で説明したように、参照ピクチャのタイル境界のパディング処理であってもよい。
【０３１４】
以上の処理により、STMVPに関するマージ候補リストを導出する。
【０３１５】
このようにSTMVPの動きベクトルを導出し、予測画像を生成することで、インター予測
で動きベクトルがコロケートタイル外を指しても、コロケートタイル内の画素値を用いて参照画素を置き換えるので、タイルを独立にインター予測することができる。したがって
、参照画素の一部がコロケートタイル内に含まれない場合でも、STMVPをマージ候補の１
つとして選択することができる。そしてSTMVP以外のマージ候補よりも性能が高い場合は
、STMVPを利用して予測画像を生成できるので、符号化効率を高めることができる。
【０３１６】
（アフィン予測部）
アフィン予測部30372、30321は、対象PUのアフィン予測パラメータを導出する。本実施形態では、アフィン予測パラメータとして、対象PUの２つの制御点（V0、V1）の動きベクトル（mv0_x, mv0_y）（mv1_x, mv1_y）を導出する。具体的には、対象PUの隣接PUの動きベクトルから予測することにより、各制御点の動きベクトルを導出してもよいし（アフィン予測部30372）、制御点の動きベクトルとして導出された予測ベクトルと符号化データ
から導出される差分ベクトルの和により、各制御点の動きベクトルを導出してもよい（アフィン予測部30321）。
【０３１７】
（サブブロックの動きベクトル導出処理）
以下、更に具体的な実施構成の例として、アフィン予測部30372、30321がアフィン予測を用いて、各サブブロックの動きベクトルmvLXを導出する処理の流れを、ステップに分けて説明する。アフィン予測部30372、30321がアフィン予測を用いて、対象サブブロックの動きベクトルmvLXを導出する処理は、下記(STEP1)〜(STEP3)の３つの工程を含んでいる。
【０３１８】
（STEP1）制御点ベクトルの導出
アフィン予測部30372、30321が候補を導出するためのアフィン予測に用いる２つの制御点として、対象ブロックの代表点（ここではブロックの左上の点V0及びブロックの右上の点V1）の各々の動きベクトルを導出する工程である。なお、ブロックの代表点は、対象ブロック上の点を用いる。本明細書では、アフィン予測の制御点に用いるブロックの代表点を「ブロック制御点」と記載する。
【０３１９】
まず、AMVPモード及びマージモードの(STEP1)の処理について、図30を用いて各々説明
する。図30は、AMVPモード及びマージモードにおける制御点の動きベクトルの導出のために利用される参照ブロックの位置の例を示す図である。
【０３２０】
（AMVPモードにおける制御点の動きベクトルの導出）
アフィン予測部30321は、２つの制御点（V0、V1）の予測ベクトルmvpVNLXと差分ベクトルを加算して、各々動きベクトルmvN=(mvN_x,mvN_y)を導出する。Nは制御点を表す。
【０３２１】
より具体的には、アフィン予測部30321は、制御点VN(N=0..1)の予測ベクトル候補を導
出し、予測ベクトル候補リストmvpListVNLX[]に格納する。更に、アフィン予測部30321は、符号化データから点VNの予測ベクトルインデックスmvpVN_LX_idx、差分ベクトルmvdVNLXから、制御点VNの動きベクトル(mvN_x, mvN_y)を以下の式で導出する。
【０３２２】
mvN_x = mvNLX[0] = mvpListVNLX[mvpVN_LX_idx][0] + mvdVNLX[0]  （式AFFIN-1）
mvN_y = mvNLX[1] = mvpListVNLX[mvpVN_LX_idx][1] + mvdVNLX[1]
アフィン予測部30321は、図30(a)に示すように、代表点の一つに隣接するブロックA、B及びCのいずれかをmvpV0_LX_idxを参照して、参照ブロック（AMVP参照ブロック）として
選択する。そして、選択されたAMVP参照ブロックの動きベクトルを代表点V0の予測ベクトルmvpV0LXとする。更に、アフィン予測部30321は、ブロックD及びEのいずれかをmvpV1_LX_idxを参照して、AMVP参照ブロックとして選択する。そして、選択されたAMVP参照ブロックの動きベクトルを代表点V1の予測ベクトルmvpV1LXとする。なお、(STEP1)における制御点の位置は上記に限定されず、V1の代わりに図30(b)に示すブロックの左下の点V2の位置
でもよい。この場合、ブロックF及びGのいずれかをmvpV2_LX_idxを参照して、AMVP参照ブロックとして選択する。そして、選択されたAMVP参照ブロックの動きベクトルを代表点V2
の予測ベクトルmvpV2LXとする。
【０３２３】
例えば図30(c-2)のように、対象ブロックの左側がタイル境界に接する場合、制御点はV0とV1であり、制御点V0の参照ブロックはBとなる。この場合、mvpV0_L0_idxは不要である。なお、参照ブロックBがイントラ予測の場合、アフィン予測をオフ（アフィン予測しな
い、affine_flag=0）にしてもよいし、制御点V1の予測ベクトルをコピーして制御点V0の
予測ベクトルとし、アフィン予測してもよい。これらはタイル符号化部2012のアフィン予測部11221と同じ処理をすればよい。
【０３２４】
また、図30(c-1)のように、対象ブロックの上側がタイル境界に接する場合、制御点はV0とV2であり、制御点V0の参照ブロックはCとなる。この場合、mvpV0_L0_idxは不要である。なお、参照ブロックCがイントラ予測の場合、アフィン予測をオフ（アフィン予測しな
い）にしてもよいし、制御点V2の予測ベクトルをコピーして制御点V0の予測ベクトルとし、アフィン予測してもよい。これらはタイル符号化部2012のアフィン予測部11221と同じ
処理をすればよい。
【０３２５】
（マージモードにおける制御点の動きベクトルの導出）
アフィン予測部30372は、図30(d)に示すようなL、A、AR、LB、ALを含むブロックに対し、予測パラメータメモリ307を参照し、アフィン予測が利用されているか否かをチェック
する。ブロックL、A、AR、LB、ALの順にサーチし、最初に見つかったアフィン予測を利用するブロック（ここでは図30(d)のLとする）を参照ブロック（マージ参照ブロック）として選択し、動きベクトルを導出する。
【０３２６】
アフィン予測部30372は、選択されたマージ参照ブロックの３点（図30(e)の点v0、点v1、点v2）を含むブロックの動きベクトル(mvvN_x,mvvN_y)(N=0..2)から、制御点（例えばV0、V1）の動きベクトル(mvN_x,mvN_y)(N=0..1)を導出する。なお、図30(e)に示す例では
、対象ブロックの横幅はW、高さはHであり、マージ参照ブロック（図の例では、Lを含む
ブロック）の横幅はw、高さはhである。
【０３２７】
mv0_x = mv0LX[0] = mvv0_x+(mvv1_x-mvv0_x)/w*w-(mvv2_y-mvv0_y)/h*(h-H)  （式AFFINE-2）
mv0_y = mv0LX[1] = mvv0_y+(mvv2_y-mvv0_y)/h*w+(mvv1_x-mvv0_x)/w*(h-H)
mv1_x = mv1LX[0] = mvv0_x+(mvv1_x-mvv0_x)/w*(w+W)-(mvv2_y-mvv0_y)/h*(h-H)
mv1_y = mv1LX[1] = mvv0_y+(mvv2_y-mvv0_y)/h*(w+W)+(mvv1_x-mvv0_x)/w*(h-H)
導出した動きベクトルmv0、mv1の参照ピクチャが、対象ブロックの参照ピクチャと異なる場合は、参照ピクチャ各々と対象ピクチャのピクチャ間距離に基づいてスケーリングしてもよい。
【０３２８】
次に、アフィン予測部30372、30321が(STEP1)で導出した制御点V0、V1の動きベクトル(mvN_x,mvN_y)(N=0..1)がタイル外を指す（参照ピクチャにおいて、コロケートブロックをmvNだけシフトした位置のブロックの一部、あるいは全部がコロケートタイル内に無い）
場合、下記の処理４（処理４A〜処理４D）のいずれかを施す。
・[処理４A] タイル境界パディング
STEP3でタイル境界パディング処理する。この場合、(STEP1)では特に追加処理を行わない。タイル境界パディング（タイル外パディング）は、既に説明したように、参照位置をタイルの上下左右の境界画素の位置でクリッピングすることで実現する。例えば、ピクチャの左上座標を基準とした対象サブブロックの左上座標を(xs,ys)、対象ブロックの幅と
高さをW、H、対象サブブロックが位置する対象タイルの左上座標を(xTs,yTs)、対象タイ
ルの幅と高さをwT、hTとすると、サブブロックレベルの参照画素(xRef, yRef)を下式で導出する。
【０３２９】
xRef + i = Clip3(xTs, xTs+wT-1, xs+(SpMvLX[k2][l2][0]>>log2(M)) + i)  （式AFFINE-3）
yRef + j = Clip3(yTs, yTs+hT-1, ys+(SpMvLX[k2][l2][1]>>log2(M)) + j)
・[処理４B] タイル境界動きベクトル制限
サブブロックレベルの動きベクトルspMvLX[k2][l2]がタイル外を参照しないようにサブブロック動きベクトルspMvLX[k2][l2]をクリッピングする。タイル境界動きベクトル制限については上述したとおりである。
・[処理４C] タイル境界動きベクトル置換（代替動きベクトル置き換え）
コロケートタイル内を指す動きベクトルを持つ隣接サブブロックから動きベクトルをコピーする。
・[処理４D] タイル境界アフィンオフ
コロケートタイル外を参照すると判定される場合には、affine_flag=0にセットする（
アフィン予測しない）。この場合は以上の処理を行わない。
【０３３０】
なお、処理４はタイル符号化部2002のアフィン予測部とタイル復号部2012のアフィン予測部で同じ処理を選択する必要がある。
【０３３１】
（STEP2）サブブロックベクトルの導出
アフィン予測部30372、30321が、(STEP1)で導出された対象ブロックの代表点であるブ
ロック制御点（制御点V0とV1、あるいは、V0とV2）の動きベクトルから、対象ブロックに含まれる各サブブロックの動きベクトルを導出する工程である。(STEP1)と(STEP2)によって、各サブブロックの動きベクトルspMvLXが導出される。なお、以下では制御点V0とV1の例を説明するが、V1の動きベクトルをV2の動きベクトルに置き換えれば、制御点V0とV2でも同様の処理で、各サブブロックの動きベクトルを導出することができる。
【０３３２】
図１３(a)は、対象ブロックを構成する各サブブロックの動きベクトルspMvLXを、制御
点Ｖ０の動きベクトル(mv0_x, mv0_y)およびＶ１の動きベクトル(mv1_x, mv1_y)から導出する例を示す図である。各サブブロックの動きベクトルspMvLXは、図１３(a)に示すよう
に、各サブブロックの中心に位置する点毎の動きベクトルとして導出する。
【０３３３】
アフィン予測部30372、30321は制御点V0とV1の動きベクトル(mv0_x,mv0_y)、(mv1_x,mv1_y)に基づいて、対象PU中の各サブブロックの動きベクトルspMvLX[xi][yi] (xi=xb+BW*i、yj=yb+BH*j、i=0,1,2,・・・,W/BW-1、j=0,1,2,・・・,H/BH-1)を下記の式を用いて、
導出する。
【０３３４】
spMvLX[xi][yi][0]=mv0_x+(mv1_x-mv0_x)/W*(xi+BW/2)-(mv1_y-mv0_y)/W*(yi+BH/2)  
（式AFFINE-4）
spMvLX[xi][yi][1]=mv0_y+(mv1_y-mv0_y)/W*(xi+BW/2)+(mv1_x-mv0_x)/W*(yi+BH/2)
ここで、xb、ybは、対象PUの左上座標、W、Hは対象ブロックの幅と高さ、BW、BHはサブブロックの幅と高さである。
【０３３５】
図13(b)は、対象ブロック（幅W、高さH）を幅BW、高さBHのサブブロックに分割した例
を示す図である。
【０３３６】
サブブロック位置(i, j)及びサブブロック座標(xi, yj)の点は、図13(b)におけるx軸に平行な破線とy軸に平行な破線との交点である。図13(b)には、一例として、サブブロック位置(i,j)=(1,1)の点、及び当該サブブロック位置(1, 1)に対するサブブロック座標(xi,yj)=(x1,y1)=(BW+BW/2, BH+BH/2)の点が示されている。
【０３３７】
（STEP3）サブブロック動き補償
動き補償部３０９１が、インター予測パラメータ復号部３０３から入力された、予測リスト利用フラグpredFlagLX、参照ピクチャインデックスrefIdxLX、(STEP2)で導出したサ
ブブロックの動きベクトルspMvLXに基づいて、affine_flag=1の場合に、サブブロック単
位の動き補償を行う工程である。具体的には、参照ピクチャメモリ３０６から、参照ピクチャインデックスrefIdxLXで指定された参照ピクチャ上の、対象サブブロックの位置を起点として、動きベクトルspMvLXだけずれた位置にあるブロックを読み出しフィルタリングすることによって、動き補償画像PredLXを生成する。
【０３３８】
(STEP2)で導出したサブブロックの動きベクトルがタイル外を指す場合、タイル境界を
パディングして画素を読み出す。
【０３３９】
なお、タイル復号部2012では、タイル符号化部2002から通知されたaffine_flagがあれ
ば、affine_flag=1の場合にのみ、上記処理を実施してもよい。
【０３４０】
図31(a)は上記のアフィン予測の動作を示すフローチャートである。
【０３４１】
アフィン予測部30372、30321は制御点の動きベクトルを導出する（S3101)。
【０３４２】
次にアフィン予測部30372、30321は導出した制御点の動きベクトルがタイル外を指すか否かを判定する（S3102)。動きベクトルがタイル外を指さない場合（S3102でN）、S3104
に進む。動きベクトルが一部でもタイル外を指す場合（S3102でY)、S3103に進む。
【０３４３】
動きベクトルが一部でもタイル外を指す場合、アフィン予測部30372、30321は上記で説明した処理４のいずれか、たとえば動きベクトルをクリッピングし、動きベクトルがタイル内を指すように修正する。
【０３４４】
このS3101〜S3103は上記の(STEP1)に対応する処理である。
【０３４５】
アフィン予測部30372、30321は導出した制御点の動きベクトルをもとに、各サブブロックの動きベクトルを導出する(S3104)。S3104は上記(STEP2)に対応する処理である。
【０３４６】
動き補償部３０９１はaffine_flag=1か否かを判定する(S3105)。affine_flag=1でない
場合（S3105でN）、動き補償部３０９１はアフィン予測を実施せず、アフィン予測処理を終了する。affine_flag=1の場合（S3105でY）、S3106に進む。
【０３４７】
動き補償部３０９１は、サブブロックの動きベクトルがタイル外を指すか否かを判定する(3106)。動きベクトルがタイル外を指さない場合（S3106でN）、S3108に進む。動きベ
クトルが一部でもタイル外を指す場合（S3106でY)、S3107に進む。
【０３４８】
サブブロックの動きベクトルが一部でもタイル外を指す場合、動き補償部３０９１はタイル境界をパディングする(S3107)。
【０３４９】
動き補償部３０９１は、サブブロックの動きベクトルを用いてアフィン予測による動き補償画像を生成する(S3108)。
【０３５０】
このS3105〜S3108は上記(STEP3)に対応する処理である。
【０３５１】
図31(b)は、図31(a)のS3101で、AMVP予測の場合に制御点を決定する一例を示すフロー
チャートである。
【０３５２】
アフィン予測部30321は、対象ブロックの上側がタイル境界に接するか否かを判定する(S3110)。タイルの上側境界に接する場合（S3110でY）、S3111に進み、制御点をV0、V2に
設定する(S3111)。そうでない場合（S3110でN）、S3112に進み、制御点をV0、V1に設定する(S3112)。
【０３５３】
アフィン予測において、隣接ブロックがタイル外に位置したり、動きベクトルがタイル外を指す場合であっても、上記のように制御点を設定、アフィン予測の動きベクトルを導出、予測画像を生成することで、タイル内の画素値を用いて参照画素を置き換えることができる。従って、アフィン予測処理の使用頻度の低下を抑制しつつ、タイルを独立にインター予測できるので符号化効率を高めることができる。
【０３５４】
（マッチング動き導出部３０３７３）
マッチング動き導出部３０３７３は、バイラテラルマッチングまたはテンプレートマッチングの何れかのマッチング処理を行うことにより、PUを構成するブロック又はサブブロックの動きベクトルspMvLXを導出する。図１４は、(a)バイラテラルマッチング（Bilateral matching）、(b)テンプレートマッチング（Template matching）を説明するための図
である。マッチング動き導出モードは、マージモードの一つのマージ候補（マッチング候補）として選択される。
【０３５５】
マッチング動き導出部３０３７３は、物体が等速運動をすると仮定して、複数の参照ピクチャにおける領域のマッチングにより動きベクトルを導出する。バイラテラルマッチングでは、ある物体が、参照ピクチャＡのある領域、対象ピクチャCur_Picの対象PU、参照
ピクチャＢのある領域を等速運動で通過するものと仮定して、参照ピクチャＡ、Ｂ間のマッチングにより対象PUの動きベクトルを導出する。テンプレートマッチングでは、対象PUの隣接領域の動きベクトルと対象PUの動きベクトルが等しいと仮定して、対象PUの隣接領域Temp_Cur（テンプレート）と参照ピクチャ上の参照ブロックの隣接領域Temp_L0のマッ
チングにより動きベクトルを導出する。マッチング動き導出部では、対象PUを複数のサブブロックに分割し、分割したサブブロック単位で後述のバイラテラルマッチングもしくはテンプレートマッチングを行うことにより、サブブロックの動きベクトルspMvLX[xi][yi]
(xi=xPb+BW*i、yj=yPb+BH*j、i=0,1,2,・・・,W/BW-1、j=0,1,2,・・・,H/BH-1)を導出
する。
【０３５６】
図１４の（ａ）に示すように、バイラテラルマッチングでは、対象ピクチャCur_Picに
おける対象ブロックCur_blockの動きベクトルを導出するために、２枚の参照ピクチャが
参照される。より具体的には、まず、対象ブロックCur_blockの座標を（xCur,yCur）と表現したとき、参照ピクチャインデックスrefIdxL0によって指定される参照ピクチャRef0（参照ピクチャＡと呼ぶ）内の領域であって、
（xPos0,yPos0）=（xCur+mv0[0], yCur+mv0[1]）  （式FRUC-1）
によって特定される左上座標（xPos0,yPos0）を有するBlock_Aと、例えば参照ピクチャインデックスrefIdxL1によって指定される参照ピクチャRef1（参照ピクチャＢと呼ぶ）内の領域であって、
（xPos1,yPos1）=(xCur+mv1[0], xCur+mv1[1]) =（xCur-mv0[0]*DiffPicOrderCnt(Cur_Pic,Ref1)/ DiffPicOrderCnt(Cur_Pic,Ref0), yCur-mv0[1]*DiffPicOrderCnt(Cur_Pic,Ref1)/ DiffPicOrderCnt(Cur_Pic,Ref0)）          （式FRUC-2）
によって特定される左上座標（xPos1,yPos1）を有するBlock_Bとが設定される。ここで、DiffPicOrderCnt(Cur_Pic,Ref0)、及びDiffPicOrderCnt(Cur_Pic,Ref1)は、図１４の（ａ）に示すように、それぞれ、対象ピクチャCur_Picと参照ピクチャＡとの時間情報の差を
返す関数、及び対象ピクチャCur_Picと参照ピクチャＢとの時間情報の差を返す関数を表
している。
【０３５７】
次に、Block_AとBlock_Bとのマッチングコストが最小となるように、（mv0[0],mv0[1]
）が決定される。このようにして導出された（mv0[0],mv0[1]）が、対象ブロックに付与
される動きベクトルとなる。この対象ブロックに付与された動きベクトルをもとに、対象ブロックを分割したサブブロック毎に動きベクトルspMVL0を導出する。
【０３５８】
一方、図１４の（ｂ）は、上記マッチング処理のうち、テンプレートマッチング（Template matching）について説明するための図である。
【０３５９】
図１４の（ｂ）に示すように、テンプレートマッチングでは、対象ピクチャCur_Picに
おける対象ブロックCur_blockの動きベクトルを導出するために、一度に１枚の参照ピク
チャが参照される。
【０３６０】
より具体的には、例えば参照ピクチャインデックスrefIdxL0によって指定される参照ピクチャRef0（参照ピクチャＡと呼ぶ）内の領域であって、
（xPos0,yPos0）=（xCur+mv0[0], yCur+mv0[1]）  （式FRUC-3）
によって特定される左上座標（xPos0, yPos0）を有する参照ブロックBlock_Aが特定され
る。ここで、（xCur, yCur）は、対象ブロックCur_blockの左上座標である。
【０３６１】
次に、対象ピクチャCur_Picにおいて対象ブロックCur_blockに隣接したテンプレート領域Temp_Curと、参照ピクチャＡにおいてBlock_Aに隣接したテンプレート領域Temp_L0とが設定される。図１４の（ｂ）に示す例において、テンプレート領域Temp_Curは、対象ブロックCur_blockの上側に隣接する領域及び対象ブロックCur_blockの左側に隣接する領域とから構成されている。また、テンプレート領域Temp_L0は、Block_Aの上側に隣接する領域及びBlock_Aの左側に隣接する領域とから構成されている。
【０３６２】
次にTemp_CurとTemp_L0とのマッチングコストが最小になる（mv0[0],mv0[1]）が決定され、対象ブロックに付与される動きベクトルとなる。この対象ブロックに付与された動きベクトルをもとに、対象ブロックを分割したサブブロック毎に動きベクトルspMvL0を導出する。
【０３６３】
また、テンプレートマッチングでも、２枚の参照ピクチャRef0、Ref1に対して処理してもよい。この場合、上記に説明した参照ピクチャRef0のマッチングと参照ピクチャRef1のマッチングを順に行う。参照ピクチャインデックスrefIdxL1によって指定される参照ピクチャRef1（参照ピクチャBと呼ぶ）内の領域であって、
（xPos1,yPos1）=（xCur+mv1[0], yCur+mv1[1]）  （式FRUC-4）
によって特定される左上座標（xPos1, yPos1）を有する参照ブロックBlock_Bが特定され
、参照ピクチャBにおいてBlock_Bに隣接したテンプレート領域Temp_L1とが設定される。
最終的にTemp_CurとTemp_L1とのマッチングコストが最小になる（mv1[0],mv1[1]）が決定され、対象ブロックに付与される動きベクトルとなる。この対象ブロックに付与された動きベクトルをもとに、対象ブロックを分割したサブブロック毎に動きベクトルspMvL1を導出する。
【０３６４】
（マッチング処理による動きベクトル導出処理）
マッチングモードにおける動きベクトル導出（パターンマッチベクトル導出）処理の流れについて図32のフローチャートを参照して説明する。
【０３６５】
図32に示す処理は、マッチング予測部30373により実行される。図32(a)はバイラテラルマッチング処理のフローチャートであり、図32(b)はテンプレートマッチング処理のフロ
ーチャートである。
【０３６６】
なお、図32(a)に示す各ステップのうち、S3201〜S3205は、ブロックレベルで実行され
るブロックサーチである。すなわち、パターンマッチを用いて、ブロック（CUまたはPU）全体で動きベクトルを導出する。
【０３６７】
また、S3206〜S3207は、サブブロックレベルで実行されるサブブロックサーチである。すなわち、パターンマッチを用いて、ブロックを構成するサブブロック単位で動きベクトルを導出する。
【０３６８】
まず、S3201において、マッチング予測部30373は、対象ブロックにおけるブロックレベルの初期ベクトル候補を設定する。初期ベクトル候補は、対象ブロックのAMVP候補、マージ候補等の隣接ブロックの動きベクトルである。
【０３６９】
次に、S3202では、マッチング予測部30373は、上記で設定した初期ベクトル候補の中から、マッチングコストが最小となるベクトルをサーチし、ベクトル探索のベースとなる初期ベクトルとする。マッチングコストは、例えば下式のように表される。
【０３７０】
SAD = ΣΣabs(Block_A[x][y]-Block_B[x][y])                （式FRUC-5）
ここで、ΣΣはxおよびyについての和であり、Block_A[][]とBlock_B[][]は各々、ブロックの左上座標が（式FRUC-1）、（式FRUC-2）の(xPos0,yPos0)、(xPos1,yPos1)で表されるブロックであり、(mv0[0],mv0[1])に初期ベクトル候補を代入する。そして、マッチング
コストが最小となるベクトルを(mv0[0],mv0[1])に再度セットする。
【０３７１】
次に、S3203では、マッチング予測部30373は、S3202で求めた初期ベクトルがタイル外
を指す（参照ピクチャにおいて、コロケートブロックをmvN(N=0..1)だけシフトした位置
のブロックの一部、あるいは全部がコロケートタイル内に無い）かどうかを判定する。初期ベクトルがタイル外を指さない場合（S3203でN）、S3205に進む。初期ベクトルが一部
でもタイル外を指す場合（S3203でY）、S3204に進む。
【０３７２】
S3204では、マッチング予測部30373は、以下の処理５（処理５A〜処理５C）のいずれかを実行する。
・[処理5A] タイル境界パディング
動き補償部3091でタイル境界パディングする。
【０３７３】
初期ベクトル(mv0[0],mv0[1])の指す画素がタイル外を参照しないようにクリッピング
する。ピクチャの左上座標を基準とした対象ブロックの左上座標を(xs,ys)、対象ブロッ
クの幅と高さをW、H、対象ブロックが位置する対象タイルの左上座標を(xTs,yTs)、対象
タイルの幅と高さをwT、hTとすると、サブブロックの参照画素(xRef, yRef)を下式で導出する。
【０３７４】
xRef + i = Clip3(xTs, xTs+wT-1, xs+(mv0[0]>>log2(M)) + i)  （式FRUC-6）
yRef + j = Clip3(yTs, yTs+hT-1, ys+(mv1[1]>>log2(M)) + j)
・[処理5B] タイル境界動きベクトル制限
初期ベクトルの動きベクトルmv0がタイル外を参照しないように初期ベクトルmv0をクリッピングする。タイル境界動きベクトル制限については上述したとおりである。
・[処理5C] タイル境界動きベクトル置換（代替動きベクトル置き換え）
動きベクトルmv0の指す先がコロケートタイル内にない場合には、コロケートタイル内
にある代替動きベクトルでコピーする。
・[処理5D] タイル境界バイラテラルマッチングオフ
コロケートタイル外を参照すると判定される場合には、バイラテラルマッチングのオン
・オフを示すBM_flagを0にセットし、バイラテラルマッチングは実施しない（endに進む
）。
なお、処理５はタイル符号化部2002とタイル復号部2012で同じ処理を選択する必要がある。
【０３７５】
S3205では、マッチング予測部30373は、対象ブロックにおけるブロックレベルのローカルサーチ（局所的探索）を行う。ローカルサーチでは、S3202あるいはS3204で導出された初期ベクトルを中心とする局所領域（例えば初期ベクトルを中心とする±D画素の領域）
をさらにサーチし、マッチングコストが最小となるベクトルを探索し、最終的な対象ブロックの動きベクトルとする。
【０３７６】
続いて、対象ブロックに含まれる各サブブロックについて、以下の処理を行う（S3206
〜S3207）。
【０３７７】
S3206では、マッチング予測部30373は、対象ブロックにおけるサブブロックの初期ベクトルを導出（初期ベクトルサーチ）する。サブブロックの初期ベクトル候補は、S3205で
導出したブロックレベルの動きベクトル、当該サブブロックの時空間方向の隣接ブロックの動きベクトル、当該サブブロックのATMVPあるいはSTMVPベクトル等である。これらの候補ベクトルの中から、マッチングコストが最小となるベクトルを当該サブブロックの初期ベクトルとする。なお、サブブロックの初期ベクトル探索に利用するベクトル候補は上述のベクトルに限定されない。
【０３７８】
次に、S3207では、マッチング予測部30373は、S3206で選択されたサブブロックの初期
ベクトルを中心とする局所領域（例えば初期ベクトルを中心とする±D画素の領域）で、
ステップサーチ等（ローカルサーチ）を行う。そして、サブブロックの初期ベクトル付近のベクトル候補のマッチングコストを導出し、最小となるベクトルをサブブロックの動きベクトルとして導出する。
【０３７９】
そして、対象ブロックに含まれる全てのサブブロックについて処理が完了すると、バイラテラルマッチングのパターンマッチベクトル導出処理が終了する。
【０３８０】
次にテンプレートマッチングのパターンマッチベクトル導出処理を、図32(b)を用いて
説明する。図32(b)に示す各ステップのうち、S3211〜S3205は、ブロックレベルで実行さ
れるブロックサーチである。また、S3214〜S3207は、サブブロックレベルで実行されるサブブロックサーチである。
【０３８１】
まず、S3211において、マッチング予測部30373は、対象ブロックのテンプレートTemp_Cur（対象ブロックの上隣接領域と左隣接領域の双方）がタイル内に存在するか否かを判定する。存在する場合（S3211でY）、図14(c)に示すように、Temp_Curに対象ブロックの上
隣接領域と左隣接領域をセットし、対象ブロックのテンプレートを取得する(S3213)。そ
うでなければ（S3211でN）、S3212に進み、以下の処理６（処理６A〜処理６E）のいずれ
かを実行する。
・[処理6A] タイル境界パディング
動き補償部3091でタイル境界パディングする。
・[処理6B] タイル境界動きベクトル制限
動きベクトルがタイル外を参照しないように動きベクトルをクリッピングする。タイル境界動きベクトル制限については上述したとおりである。
・[処理6C] タイル境界動きベクトル置換（代替動きベクトル置き換え）
サブブロック動きベクトルの指す先がコロケートタイル内にない場合には、コロケートタイル内にある代替動きベクトルでコピーする。
・[処理6D] テンプレートマッチングオフ
コロケートタイル外を参照すると判定される場合には、テンプレートマッチングのオン、オフを示すTM_flagを0にセットし、テンプレートマッチングは実施しない（endに進む
）。
・[処理6E] 上隣接領域と左隣接領域のどちらか片方がタイル内にある場合、その隣接領
域をテンプレートとしてセットする。
なお、処理６はタイル符号化部2002とタイル復号部2012で同じ処理を選択する必要がある。
【０３８２】
次に、S3201では、マッチング予測部30373は、対象ブロックにおけるブロックレベルの初期ベクトル候補を設定する。S3201の処理は図32(a)のS3201と同じである。
【０３８３】
次に、S3202では、マッチング予測部30373は、上記で設定した初期ベクトル候補の中から、マッチングコストが最小となるベクトルをサーチし、ベクトル探索のベースとなる初期ベクトルとする。マッチングコストは、例えば下式のように表される。
【０３８４】
SAD = ΣΣabs(Temp_Cur[x][y]-Temp_L0[x][y])  （式FRUC-7）
ここで、ΣΣはxおよびyについての和であり、Temp_L0[][]は、図14(b)に示す対象ブロックのテンプレートであり、（式FRUC-3）で示される(xPos0,yPos0)を左上座標とするBlock_Aの上側および左側に隣接する領域である。（式FRUC-3）の(mv0[0],mv0[1])には初期ベ
クトル候補を代入する。そして、マッチングコストが最小となるベクトルを(mv0[0],mv0[1])に再度セットする。なお、S3212でテンプレートに対象ブロックの上側あるいは左側領域のみセットした場合、Temp_L0[][]も同じ形状にする。
【０３８５】
S3203およびS3204の処理は、図32(a)のS3203およびS3204と同じ処理である。なお図32(b)のS3204の処理５において、テンプレートマッチングをオフにする場合、TM_flagを0に
セットする。
【０３８６】
S3205では、マッチング予測部30373は、対象ブロックにおけるブロックレベルのローカルサーチ（局所的探索）を行う。ローカルサーチでは、S3202あるいはS3204で導出された初期ベクトルを中心とする局所領域（例えば初期ベクトルを中心とする±D画素の領域）
をさらにサーチし、マッチングコストが最小となるベクトルを探索し、最終的な対象ブロックの動きベクトルとする。
【０３８７】
続いて、対象ブロックに含まれる各サブブロックについて、以下の処理を行う（S3214
〜S3207）。
【０３８８】
S3214では、マッチング予測部30373は、図14(d)に示すように、対象ブロックにおける
サブブロックのテンプレートを取得する。S3212でテンプレートに対象ブロックの上側あ
るいは左側領域のみセットした場合、S3214でもサブブロックのテンプレートを同じ形状
にする。
【０３８９】
S3206では、マッチング予測部30373は、対象ブロックにおけるサブブロックの初期ベクトルを導出（初期ベクトルサーチ）する。サブブロックの初期ベクトル候補は、S3205で
導出したブロックレベルの動きベクトル、当該サブブロックの時空間方向の隣接ブロックの動きベクトル、当該サブブロックのATMVPあるいはSTMVPベクトル等である。これらの候補ベクトルの中から、マッチングコストが最小となるベクトルを当該サブブロックの初期ベクトルとする。なお、サブブロックの初期ベクトル探索に利用するベクトル候補は上述のベクトルに限定されない。
【０３９０】
次に、S3207では、マッチング予測部30373は、S3206で選択されたサブブロックの初期
ベクトルを中心とするステップサーチ（ローカルサーチ）を行う。そして、サブブロックの初期ベクトルを中心とする局所領域（例えば初期ベクトルを中心とするサーチレンジ内（±D画素の領域））のベクトル候補のマッチングコストを導出し、最小となるベクトル
をサブブロックの動きベクトルとして導出する。ここで、マッチング予測部30373は、ベ
クトル候補が初期ベクトルを中心とするサーチレンジと一致する（もしくはサーチレンジの外）場合、そのベクトル候補は探索しない。
【０３９１】
そして、対象ブロックに含まれる全てのサブブロックについて処理が完了すると、テンプレートマッチングのパターンマッチベクトル導出処理が終了する。
【０３９２】
以上は参照ピクチャがRef0の場合であったが、参照ピクチャをRef1とした場合も、上記と同じ処理でテンプレートマッチングを実施することができる。さらに、参照ピクチャが２枚の場合、導出した２つの動きベクトルを用いて、動き補償部3091では双予測処理を行う。
【０３９３】
動き補償部3091に出力するfruc_merge_idxは下式で導出する。
【０３９４】
fruc_merge_idx = fruc_merge_idx & BM_flag & (TM_flag<<1)  （式FRUC-8）
なお、タイル復号部2012でfruc_merge_idxが通知される場合は、パターンマッチベクトル導出処理の前にBM_flagとTM_flagを導出し、フラグの値が真のマッチング処理のみ実施してもよい。
【０３９５】
BM_flag = fruc_merge_idx & 1                              （式FRUC-9）
TM_flag = (fruc_merge_idx & 10)>>1
なお、テンプレートがタイル外に位置することでテンプレートマッチングをオフにする場合、fruc_merge_idx=0(マッチング処理なし)、fruc_merge_idx=1(バイラテラルマッチ
ング)の２択となり、fruc_merge_idxは1bitで表現することができる。
【０３９６】
（タイル境界サーチレンジ）
また、タイルの独立符号化、復号を行う場合（independent_tile_flagが1の場合）、動きベクトルのサーチ処理でコロケートタイル外の画素を参照しないようにサーチレンジD
を設定してもよい。例えば、バイラテラルマッチング処理、テンプレートマッチング処理のサーチレンジDを、対象ブロックの位置とサイズ、あるいは、対象サブブロックの位置
とサイズに合わせて設定してもよい。
【０３９７】
具体的には、マッチング予測部30373は、コロケートタイル内の画素のみを参照する範
囲として、図48に示す対象ブロックの左方向のサーチレンジD1x、対象ブロックの右方向
のサーチレンジD2x、対象ブロックの上方向のサーチレンジD1y、対象ブロックの下方向のサーチレンジD2yを下記で導出する。
【０３９８】
D1x = xPosX+mvX[0]-xTs                （式FRUC-11）
D2x = xTS+wT-(xPosX+mvX[0]+W)
D1y = yPosX+mvX[1]-yTS
D2y = yTS+hT-(yPosX+mvX[1]+H)
マッチング予測部30373は、（式FRUC-11）で求めたD1x、D2x、D1y、D2yとデフォルトサーチレンジDdefの最小値を対象ブロックのサーチレンジDに設定する。
【０３９９】
D=min(Dx1,Dx2,Dy1,Dy2,Ddef)                              （式FRUC-12）
また、以下の導出方法でもよい。マッチング予測部30373は、コロケートタイル内の画
素のみを参照する範囲として、図48に示す対象ブロックの左方向のサーチレンジD1x、対
象ブロックの右方向のサーチレンジD2x、対象ブロックの上方向のサーチレンジD1y、対象ブロックの下方向のサーチレンジD2yを下記で導出する。
【０４００】
D1x = clip3(0,Ddef,xPosX+mvX[0]-xTs)                （式FRUC-11b）
D2x = clip3(0,Ddef,xTS+wT-(xPosX+mvX[0]+W))
D1y = clip3(0,Ddef,yPosX+mvX[1]-yTS)
D2y = clip3(0,Ddef,yTS+hT-(yPosX+mvX[1]+H))
マッチング予測部30373は、（式FRUC-11b）で求めたD1x、D2x、D1y、D2yの最小値を対
象ブロックのサーチレンジDに設定する。
【０４０１】
D=min(Dx1,Dx2,Dy1,Dy2)                              （式FRUC-12b）
なお、タイル境界を固定値でパディングする構成をさらに用いて、パディングの幅と高さをxPad、yPadとすると、（式FRUC-11）、（式FRUC-11b）の代わりに下式を用いてもよ
い。
【０４０２】
D1x = xPosX+mvX[0]-(xTs-xPad)        （式FRUC-13）
D2x = xTS+wT+xPad-(xPosX+mvX[0]+W)
D1y = yPosX+mvX[1]-(yTS-yPad)
D2y = yTS+hT+yPad-(yPosX+mvX[1]+H)
あるいは、下式を用いてもよい。
【０４０３】
D1x = clip3(0,Ddef,xPosX+mvX[0]-(xTs-xPad))        （式FRUC-13b）
D2x = clip3(0,Ddef,xTS+wT+xPad-(xPosX+mvX[0]+W))
D1y = clip3(0,Ddef,yPosX+mvX[1]-(yTS-yPad))
D2y = clip3(0,Ddef,yTS+hT+yPad-(yPosX+mvX[1]+H))
マッチング処理において、テンプレートがタイル外に位置したり、動きベクトルがタイル外を指す場合であっても、上記のように動きベクトルを導出、予測画像を生成することで、タイル内の画素値を用いて参照画素を置き換えることができる。従って、マッチング処理の使用頻度の低下を抑制しつつ、タイルを独立にインター予測できるので符号化効率を高めることができる。
【０４０４】
（OBMC処理）
本実施形態に係る動き補償部３０９１はOBMC処理を用いて予測画像を生成してもよい。ここで、OBMC（Overlapped block motion compensation）処理について説明する。OBMC処理とは、対象ブロックのインター予測パラメータ（以下、動きパラメータ）を用いて生成される対象サブブロックの補間画像PredCと、対象サブブロックの隣接ブロックの動きパ
ラメータを用いて生成される対象ブロックの補間画像PredRNを用いて、対象ブロックの補間画像（動き補償画像）を生成する処理である。ブロック境界との距離が近い対象ブロック内の画素（境界画素）において、隣接ブロックの動きパラメータに基づく補間画像PredRNにより、対象ブロックの補間画像を補正する処理がサブブロック単位で行われる。
【０４０５】
図33は、本実施形態に係る隣接ブロックの動きパラメータを利用して予測画像を生成する領域の一例を示す図である。ブロック単位の予測では、ブロック内の動きパラメータは同じであるため、図33(a)に示すように、ブロック境界から所定の距離内にある斜線のサ
ブブロックの画素がOBMC処理の適用対象となる。サブブロック単位の予測では、サブブロック毎に動きパラメータは異なるため、図33(b)に示すように、各サブブロックの画素がOBMC処理の適用対象となる。
【０４０６】
なお、対象ブロックと隣接ブロックの形状は必ずしも同じではないので、OBMC処理はブ
ロックを分割したサブブロック単位で実施するのが望ましい。サブブロックのサイズは4x4、8x8〜ブロックサイズまで様々な値をとることができる。
【０４０７】
（OBMC処理の流れ）
図34は、本実施形態に係るOBMC予測部30374が実施するパラメータ導出処理を示すフロ
ーチャートである。
【０４０８】
OBMC予測部30374は、対象サブブロックに対し、上側、左側、下側、右側の各方向に隣
接する隣接ブロックの有無および利用可能性を判定する。図34では、上、左、下、右の各方向に対し全てのサブブロックの処理を実施したのち、次の方向の処理に移行する方法をとっているが、あるサブブロックに対し全ての方向を処理した後、次のサブブロックの処理に移行する方法をとることもできる。図34において、対象サブブロックに対する隣接ブロックの方向は、i=1は上側、i=2は左側、i=3は下側、i=4は右側とする。
【０４０９】
まず、OBMC予測部30374は、OBMC処理の必要性と隣接ブロックの有無をチェックする（S3401）。予測単位がブロック単位で、対象サブブロックがiの示す方向のブロック境界に
接していない場合は、OBMC処理に必要な隣接ブロックがないので（S3401でN）、S3404に
進み、フラグobmc_flag[i]を0にする。そうでなければ（予測単位がブロック単位で対象
サブブロックがブロック境界に接する場合、あるいは、処理単位がサブブロックの場合）、OBMC処理に必要な隣接ブロックがあるので（S3401でY）、S3402に進む。
【０４１０】
例えば図33(a)のサブブロックSCU1[3][0]は左側、下側、右側はブロック境界に接しな
いので、obmc_flag[2]=0、obmc_flag[3]=0、obmc_flag[4]=0である。また、サブブロックSCU2[0][2]は上側、下側、右側がブロック境界に接しないので、obmc_flag[1]=0、obmc_flag[3]=0、obmc_flag[4]=0である。また、白色のサブブロックはブロック境界に全く接しないサブブロックであるので、obmc_flag[1]=obmc_flag[2]=obmc_flag[3]=obmc_flag[4]=0である。
【０４１１】
次にOBMC予測部30374は、隣接ブロックの利用可能性として、iで示す方向の隣接ブロックがイントラ予測ブロックあるいはタイル外のブロックであるかをチェックする（S3402
）。隣接ブロックがイントラ予測ブロックあるいはタイル外のブロックの場合（S3402でY）、S3404に進み、対応する方向iのobmc_flag[i]を0にセットする。そうでなければ（隣
接ブロックがインター予測ブロック、かつ、タイル内のブロックの場合）（S3402でN）、S3403に進む。
【０４１２】
例えば、図33(c)の場合、タイル内の対象ブロックCU3の対象サブブロックSCU3[0][0]に対し、左側の隣接ブロックはタイル外であるので、対象サブブロックSCU3[0][0]のobmc_flag[2]は0にセットする。また、タイル内の対象ブロックCU4の対象サブブロックSCU4[3][0]に対し、上側の隣接ブロックはイントラ予測であるので、対象サブブロックSCU4[3][0]のobmc_flag[1]は0にセットする。
【０４１３】
次にOBMC予測部30374は、隣接ブロックの利用可能性として、iが示す方向の隣接ブロックと対象サブブロックの動きパラメータが等しいどうかをチェックする（S3403）。動き
パラメータが等しい場合（S3403でY）、S3404に進み、obmc_flag[i]=0にセットする。そ
うでなければ（動きパラメータが異なる場合）（S3403でN）、S3405に進む。
【０４１４】
サブブロックとその隣接ブロックの動きパラメータが等しいか否かは下式で判定する。
【０４１５】
((mvLX[0]!=mvLXRN[0]) || (mvLX[1]!=mvLXRN[1]) || (refIdxLX!=refIdxLXRN))?  
（式OBMC-1）
ここで、タイル内の対象サブブロックの動きベクトル(mvLX[0],mvLX[1])、参照ピクチャ
インデックスrefIdxLX、iが示す方向の隣接ブロックの動きベクトル(mvLXRN[0],mvLXRN[1])、参照ピクチャインデックスrefIdxLXRNである。
【０４１６】
例えば、図33(c)において、対象サブブロックSCU4[0][0]の動きベクトル(mvLX[0],mvLX[1])、参照ピクチャインデックスrefIdxLX、左側隣接ブロックの動きベクトル(mvLXR2[0],mvLXR2[1])、参照ピクチャインデックスrefIdxLXR2とすると、動きベクトルと参照ピク
チャインデックスが同じ場合、例えば、((mvLX[0]==mvLXRN[0]) && (mvLX[1]==mvLXRN[1]) && (refIdxLX==refIdxLXRN))が真である場合は、対象サブブロックのobmc_flag[2]=0である。
【０４１７】
なお、上式では動きベクトルと参照ピクチャインデックスを使用したが、下式のように動きベクトルとPOCを用いて判定してもよい。
【０４１８】
((mvLX[0]!=mvLXRN[0]) || (mvLX[1]!=mvLXRN[1]) || (refPOC!=refPOCRN))?      
（式OBMC-2）
ここでrefPOCは対象サブブロックのPOCであり、refPOCRNは隣接ブロックのPOCである。
【０４１９】
次にOBMC予測部30374は、隣接ブロックの動きベクトルが指す領域が全てタイル内（参
照ピクチャにおいて、コロケートブロックをmvN(N=0..4)だけシフトした位置のブロック
の一部、あるいは全部がコロケートタイル内に無い）か否かを判定する(S3405)。動きベ
クトルが指す領域が全てタイル内の場合（S3405でY）、S3407に進む。そうでない場合（
動きベクトルが指す領域が一部でもタイル外にある場合）（S3405でN）、S3406に進む。
【０４２０】
隣接ブロックの動きベクトルがタイル外を指す場合、以下の処理３のいずれかを施す(S3406)。
・[処理3A] タイル境界パディング
動き補償部3091でタイル境界パディングを実施する。タイル境界パディング（タイル外パディング）は、既に説明したように参照位置を、タイルの上下左右の境界画素の位置でクリッピングすることで実現する。例えば、ピクチャの左上座標を基準とした対象サブブロックの左上座標を(xs,ys)、対象サブブロックの幅と高さをBW、BH、対象サブブロック
が位置する対象タイルの左上座標を(xTs,yTs)、対象タイルの幅と高さをwT、hT、隣接ブ
ロックの動きベクトル(MvLXRN[0], MvLXRN[1])とすると、サブブロックの参照画素(xRef,
yRef)を下式で導出する。
【０４２１】
xRef + i = Clip3(xTs, xTs+wT-BW, xs+ (MvLXRN[0]>>log2(M)))  （式OBMC-3）
yRef + j = Clip3(yTs, yTs+hT-BH, ys+ (MvLXRN[1]>>log2(M)))
・[処理3B] タイル境界動きベクトル制限
隣接ブロックの動きベクトルMvLXRNがタイル外を参照しないようにクリッピングする。・[処理3C] タイル境界動きベクトル置換（代替動きベクトル置き換え）
コロケートタイル内を指す動きベクトルを持つ隣接サブブロックから動きベクトルをコピーする。
・[処理3D] タイル境界OBMCオフ
方向iの隣接ブロックの動きベクトル(MvLXRN[0], MvLXRN[1])で参照画像を参照すると
、コロケートタイル外を参照すると判定される場合には、obmc_flag[i]=0にセットする（方向iではOBMC処理を実施しない）。この場合はS3407を飛ばして先に進む。
【０４２２】
なお、処理３はタイル符号化部2002とタイル復号部2012で同じ処理を選択する必要がある。
【０４２３】
OBMC予測部30374は、隣接ブロックの動きベクトルがタイル内を示す場合、あるいは処
理３を実施した場合、obmc_flag[i]=1にセットする（S3407)。
【０４２４】
次にOBMC予測部30374は、サブブロックの全ての方向(i=1〜4)に対し、上記S3401〜S3407の処理を実施した後、終了する。
【０４２５】
OBMC予測部30374は、上記で導出した予測パラメータ（obmc_flagと各サブブロックの隣接ブロックの動きパラメータ）をインター予測画像生成部309に出力し、インター予測画
像生成部309はobmc_flagを参照してOBMC処理の要否を判定しながら、対象ブロックに対し、OBMC処理を施す（詳細は（動き補償）で説明する）。
【０４２６】
なお、タイル復号部2012では、タイル符号化部2002から通知されたobmc_flagがあればobmc_flag[i]にセットし、obmc_flag[i]=1の場合にのみ、上記処理を実施してもよい。
【０４２７】
（BTM）
BTM予測部3038は、マージ予測パラメータ導出部3036により導出された双方向の動きベ
クトルを用いて生成された予測画像をテンプレートととし、バイラテラルテンプレートマッチング（BTM）処理を実行することにより、精度の高い動きベクトルを導出する。
【０４２８】
（動きベクトル導出処理の例）
マージモードにおいて導出した２つの動きベクトルが対象ブロックに対し逆向きであれば、BTM予測部3038はバイラテラルテンプレートマッチング（BTM）処理を行う。
【０４２９】
図35を参照してバイラテラルテンプレートマッチング（BTM）処理を説明する。図35(a)はBTM予測における参照ピクチャとテンプレートとの関係を示す図であり、(b)は処理の流れを示す図であり、(c)はBTM予測におけるテンプレートを説明する図である。
【０４３０】
図35(a)および(c)に示すように、BTM予測部3038は、まず、マージ予測パラメータ導出
部3036で導出された複数の動きベクトル（例えばmvL0およびmvL1）から対象ブロックCur_blockの予測ブロックを生成し、これをテンプレートとする。具体的には、mvL0により生
成された動き補償画像predL0と、mvL1により生成された動き補償画像predL1から予測ブロックCur_Tempを生成する。
【０４３１】
Cur_Temp[x][y] = Clip3( 0, (1<<bitDepth)-1, (predL0[x][y]+predL1[x][y]+1)>>1
)  （式BTM-1）
次に、BTM予測部3038は、mvL0、mvL1を各々中心（初期ベクトル）とする±D画素の範囲で、動きベクトル候補を設定し、各動きベクトル候補が生成する動き補償画像PredL0、PredL1とテンプレートとのマッチングコストを導出する。そして、マッチングコストが最小となるベクトルmvL0'、mvL1'を対象ブロックの更新された動きベクトルとする。ただし、サーチ範囲は参照ピクチャRef0およびRef1上のコロケートタイル内に限定する。
【０４３２】
次に、図35(b)を参照してBTM予測の流れを説明する。まず、BTM予測部3038はテンプレ
ートを取得する(S3501)。テンプレートは上述した通り、マージ予測パラメータ導出部3036で導出された動きベクトル（例えばmvL0およびmvL1）から生成する。次に、BTM予測部3038はコロケートタイル内のローカルサーチを行う。ローカルサーチはS3502〜S3505のように、複数の異なる精度のサーチを繰り返すことによって行ってもよい。例えば、ローカルサーチは、M画素精度サーチL0処理(S3502)、N画素精度サーチL0処理(S3503)、M画素精度
サーチL1処理(S3504)、N画素精度サーチL1処理(S3505)の順に行う。ここでM>Nであり、例えば、M=1画素精度、N=1/2画素精度とすることができる。
【０４３３】
M画素精度LXサーチ処理(X=0..1)は、タイル内で、mvLXが示す座標を中心としたサーチ
を実施する。また、N画素精度サーチLX処理は、タイル内で、M画素精度サーチLX処理でマッチングコストが最小となった座標を中心としたサーチを実施する。
【０４３４】
なお、タイル境界をあらかじめパディングして拡張してもよい。この場合、動き補償部3091でも同様にパディング処理をする。
【０４３５】
また、independent_tile_flagが1の場合に、各タイルを独立に復号できるよう、（式FRUC-11）〜（式FRUC-13）に示すようにサーチレンジDを適応的に変更して、動きベクトル
のサーチ処理でコロケートタイル外の画素を参照しないようにしてもよい。BTM処理では
（式FRUC-11）と（式FRUC-13）の(mvX[0],mvX[1])は(mvLX[0],mvLX[1])と置き換える。
【０４３６】
このようにマージモードで導出した動きベクトルを修正することで、予測画像を改善することができる。そして、修正された動きベクトルをタイル内に限定することで、バイラテラルテンプレートマッチング処理の使用頻度の低下を抑制しつつ、タイルを独立にインター予測できるので符号化効率を高めることができる。
【０４３７】
図８は、本実施形態に係るAMVP予測パラメータ導出部３０３２の構成を示す概略図である。AMVP予測パラメータ導出部３０３２は、ベクトル候補導出部３０３３とベクトル候補選択部３０３４、およびベクトル候補格納部３０３６を備える。ベクトル候補導出部３０３３は、参照ピクチャインデックスrefIdxに基づいて予測パラメータメモリ３０７が記憶する既に処理済みのPUの動きベクトルmvLXから予測ベクトル候補を導出し、ベクトル候補格納部３０３６の予測ベクトル候補リストmvpListLX[]に格納する。
【０４３８】
ベクトル候補選択部３０３４は、予測ベクトル候補リストmvpListLX[]の予測ベクトル
候補のうち予測ベクトルインデックスmvp_lX_idxが示す動きベクトルmvpListLX[mvp_lX_idx]を予測ベクトルmvpLXとして選択する。ベクトル候補選択部３０３４は、選択した予測ベクトルmvpLXを加算部３０３５に出力する。
【０４３９】
なお、予測ベクトル候補は、復号処理が完了したPUであって、復号対象PUから予め定めた範囲のPU（例えば、隣接PU）の動きベクトルをスケーリングすることで導出する。なお、隣接PUは、復号対象PUに空間的に隣接するPU、例えば、左PU、上PUの他、復号対象PUに時間的に隣接する領域、例えば、復号対象PUと同じ位置を含み、表示時刻が異なるPUの予測パラメータから得られた領域を含む。なお、時間マージ候補の導出で述べたように、コロケートブロックの右下ブロック位置を、図21(f)に示すタイル内の右下位置に変更する
ことで、independent_tile_flag=1の場合に、符号化効率を低下させることなくタイルシ
ーケンスを独立にAMVP予測を用いて復号することができる。
【０４４０】
加算部３０３５は、AMVP予測パラメータ導出部３０３２から入力された予測ベクトルmvpLXとインター予測パラメータ復号制御部３０３１から入力された差分ベクトルmvdLXを加算して動きベクトルmvLXを算出する。加算部３０３５は、算出した動きベクトルmvLXを予測画像生成部３０８および予測パラメータメモリ３０７に出力する。
【０４４１】
なお、マージ予測パラメータ導出部3036において導出された動きベクトルをそのままインター予測画像生成部309に出力せず、BTM予測部3038を介して出力してもよい。
【０４４２】
（LIC予測部3039）
LIC（Local Illumination Compensation）予測は、マージ予測、サブブロック予測、AMVP予測等で導出した動きベクトルが指す参照ピクチャ上の領域の隣接領域Ref_Temp（図36(a)）、および、対象ブロックの隣接領域Cur_Temp（図36(b)）の画素値から対象ブロック
Cur_blockの画素値を線形予測する処理である。下式のように、参照ピクチャ上の領域の
隣接領域Ref_Tempから求めた対象ブロックの隣接領域の予測値Cur_Temp'と、対象ブロッ
クの隣接領域Cur_Tempとの二乗誤差SSDが最小になるスケール係数aとオフセットbの組み
合わせを算出する。
【０４４３】
Cur_Temp'[][] = a*Ref_Temp[][]+b                （式LIC-1）
SSD = ΣΣ(Cur_Temp'[x][y]-Cur_Temp[x][y])^2
ここで、ΣΣはxおよびyについての和である。
【０４４４】
なお、図36ではa、bの算出に用いる画素値はサブサンプリングされているが、サブサンプリングせず、領域内の全画素値を用いてもよい。
【０４４５】
また、対象ブロックの隣接領域Cur_Temp、あるいは、参照ブロックの隣接領域Ref_Tempのいずれかの領域の一部がタイルあるいはコロケートタイル外に位置する場合、タイルあるいはコロケートタイル内の画素のみを使用してもよい。例えば、参照ブロックの上側隣接領域がコロケートタイル外にある場合、Cur_TempおよびRef_Tempは対象ブロックおよび参照ブロックの左側隣接領域の画素のみを使用する。例えば、参照ブロックの左側隣接領域がコロケートタイル外にある場合、Cur_TempおよびRef_Tempは対象ブロックおよび参照ブロックの上側隣接領域の画素のみを使用してもよい。
【０４４６】
あるいは、対象ブロックの隣接領域Cur_Temp、あるいは、参照ブロックの隣接領域Ref_Tempのいずれかの領域の一部がタイルあるいはコロケートタイル外に位置する場合、LIC
予測をオフとし、動き補償部3091ではLIC予測を実施しなくてもよい。
【０４４７】
あるいは、対象ブロックの隣接領域Cur_Temp、あるいは、参照ブロックの隣接領域Ref_Tempのいずれかの領域の一部がタイルあるいはコロケートタイル外に位置する場合、タイルあるいはコロケートタイルに含まれる領域のサイズが閾値より大きければ、タイルあるいはコロケートタイル内の画素を用いて領域をセットし、そうでなければLIC予測をオフ
としてもよい。例えば、参照ブロックの上側隣接領域がコロケートタイル外にあり、閾値TH=16の場合、対象ブロックの高さHが16より大きければCur_TempおよびRef_Tempは対象ブロックおよび参照ブロックの左側隣接領域の画素を使用し、対象ブロックの高さHが16以
下であればLIC予測をオフにする。
【０４４８】
なお、使用する画素はサブサンプリングされてもよいし、サブサンプリングせず、領域内の全画素値を用いてもよい。
【０４４９】
これらの処理は、タイル符号化部2002とタイル復号部2012で同じ処理を選択する必要がある。
【０４５０】
算出したaおよびbは、動きベクトル等とともに動き補償部3091に出力される。
【０４５１】
（インター予測画像生成部３０９）
図１１は、本実施形態に係る予測画像生成部３０８に含まれるインター予測画像生成部３０９の構成を示す概略図である。インター予測画像生成部３０９は、動き補償部（予測画像生成装置）３０９１、重み予測部３０９４を含んで構成される。
【０４５２】
（動き補償）
動き補償部３０９１は、インター予測パラメータ復号部３０３から入力された、インター予測パラメータ（予測リスト利用フラグpredFlagLX、参照ピクチャインデックスrefIdxLX、動きベクトルmvLX、オンオフフラグ等）に基づいて、参照ピクチャメモリ３０６から
、参照ピクチャインデックスrefIdxLXで指定された参照ピクチャRefXにおいて、復号対象PUの位置を起点として、動きベクトルmvLXだけずれた位置にあるブロックを読み出すことによって補間画像（動き補償画像）を生成する。ここで、動きベクトルmvLXの精度が整数精度でない場合には、動き補償フィルタと呼ばれる小数位置の画素を生成するためのフィルタを施して、動き補償画像を生成する。
【０４５３】
動き補償部３０９１に入力される動きベクトルmvLXまたは動きベクトルmvLXNが1/M画素精度（Mは2以上の自然数）である場合、補間フィルタにより、整数画素位置の参照ピクチャの画素値から、補間画像を生成する。つまり、位相nFracに対応するNTAPタップの補間
フィルタ係数mcFilter[nFrac][k](k=0..NTAP-1)と、参照ピクチャの画素の積和演算とか
ら、上述した補間画像Pred[][]を生成する。
【０４５４】
動き補償部３０９１は、まず、予測ブロック内座標(x, y)に対応する整数位置(xInt, yInt)および位相(xFrac, yFrac)を以下の式で導出する。
【０４５５】
xInt = xb + (mvLX[0] >> (log2(M))) + x                  （式INTER-1）
xFrac = mvLX[0] & (M-1)
yInt = yb + (mvLX[1] >> (log2(M))) + y
yFrac = mvLX[1] & (M-1)
ここで、(xb, yb)は、ブロックの左上座標、x=0..nW-1、y=0..nH-1、Mは、動きベクトルmvLXの精度（1/M画素精度）を示す。
【０４５６】
動き補償部３０９１は、参照ピクチャrefImgに補間フィルタを用いて水平補間処理を行うことで、一時的画像temp[][]を導出する。以下のΣはk = 0..NTAP-1のkに関する和、shift1は値のレンジを調整する正規化パラメータ、offset1=1<<(shift1-1)である。
【０４５７】
temp[x][y] = (ΣmcFilter [xFrac][k]*refImg[xInt+k-NTAP/2+1][yInt]+offset1) >> shift1                                          （式INTER-2）
なお、参照ピクチャ上の画素refImg[xInt+k-NTAP/2+1][yInt]の参照時には後述するパ
ディングを行う。
【０４５８】
続いて、動き補償部３０９１は、一時的画像temp[][]を垂直補間処理により、補間画像Pred[][]を導出する。以下のΣはk = 0..NTAP-1のkに関する和、shift2は値のレンジを調整する正規化パラメータ、offset2=1<<(shift2-1)である。
【０４５９】
Pred[x][y] = (ΣmcFilter[yFrac][k]*temp[x][y+k-NTAP/2+1]+offset2) >> shift2
（式INTER-3）
なお、双予測の場合は、上記のPred[][]をリストL0、L1毎に導出し（補間画像PredL0[][]とPredL1[][]と呼ぶ）、補間画像PredL0[][]と補間画像PredL1[][]から補間画像Pred[][]を生成する。
【０４６０】
なお、入力される動きベクトルmvLXまたは動きベクトルmvLXNが、対象ブロックの位置
するタイルのコロケートタイルの外を一部でも指す場合は、あらかじめタイル境界をパディングすることで、タイルを独立にインター予測することができる。
【０４６１】
（パディング）
上述の（式INTER-2）では、参照ピクチャ上の画素refImg[xInt+k-NTAP/2+1][yInt]を参照するが、実際には存在しない画面外の画素値を参照する場合には、以下の画面境界パディング（画面外パディング）を行う。画面境界パディングは、参照画素の位置(xIntL+i, yIntL+j)の画素値として、以下の位置xRef + i, yRef+ jの画素値refImg[xRef+i][yRef+j
]を用いることで実現する。
【０４６２】
xRef + i = Clip3( 0, pic_width_in_luma_samples - 1, xIntL + i )  （式PAD-3）
yRef + j = Clip3( 0, pic_height_in_luma_samples - 1, yIntL + j )
なお、画面境界パディング（式PAD-3）に変えて、タイル境界パディング（式PAD-1）を行っても良い。
【０４６３】
（OBMC補間画像生成）
OBMCでは、対象ブロックのインター予測パラメータに基づいて導出される対象サブブロックの補間画像、および、隣接ブロックのインター予測パラメータに基づいて導出される補間画像という、２種類の補間画像を生成し、これらの重み付加算処理により最終的に予測に用いる補間画像を生成する。ここで、対象ブロックのインター予測パラメータに基づいて導出される対象サブブロックの補間画像を補間画像PredC（第１のOBMC補間画像）、
隣接ブロックのインター予測パラメータに基づいて導出される補間画像を補間画像PredRN（第２のOBMC補間画像）と呼ぶ。なお、Nは対象サブブロックの上側(A)、左側(L)、下側(B)、右側(R)のいずれかを示す。OBMC処理を行わない（OBMCオフ）場合には、補間画像PredCがそのまま、対象サブブロックの動き補償画像PredLXとなる。OBMC処理を行う（OBMCオン）場合には、補間画像PredCと補間画像PredRNから対象サブブロックの動き補償画像PredLXが生成される。
【０４６４】
動き補償部３０９１は、インター予測パラメータ復号部３０３から入力された対象サブブロックのインター予測パラメータ（予測リスト利用フラグpredFlagLX、参照ピクチャインデックスrefIdxLX、動きベクトルmvLX、OBMCフラグobmc_flag）に基づいて、補間画像
を生成する。
【０４６５】
図34(b)は、動き補償部３０９１のOBMC予測での補間画像生成の動作を説明するフロー
チャートである。
【０４６６】
まず、動き補償部３０９１は、予測パラメータに基づいて、補間画像PredC[x][y]（x=0..BW-1, y=0..BH-1）を生成する(S3411)。
【０４６７】
次にobmc_flag[i]=1か否かを判定する(S3413)。obmc_flag[i]=0の場合（S3413でN）、
次の方向(i=i+1)に進む。obmc_flag[i]=1の場合（S3413でY）、補間画像PredRN[x][y]を
生成する(S3414)。つまり、obmc_flag[i]=1となるiが示す方向のサブブロックに対してのみ、インター予測パラメータ復号部３０３から入力された隣接ブロックの予測リスト利用フラグpredFlagLX[xPbN][yPbN]、参照ピクチャインデックスrefIdxLX[xPbN][yPbN]、動きベクトルmvLX[xPbN][yPbN]に基づいて、補間画像PredRN[x][y]（x=0..BW-1, y=0..BH-1）を生成し(S3414)、以下で説明する補間画像PredC[x][y]と補間画像PredRN[x][y]の加重平均処理を実施し(S3415)、補間画像PredLXを生成する(S3416)。なお、(xPbN、yPbN)は隣接ブロックの左上座標である。
【０４６８】
次に加重平均処理を実施する（S3415)。
【０４６９】
OBMC処理を行う構成においては、動き補償部３０９１は補間画像PredC[x][y]と補間画
像PredRN[x][y]の加重平均処理を行うことにより、補間画像PredC[x][y]を更新する。詳
細に説明すると、動き補償部３０９１は、インター予測パラメータ復号部３０３から入力されたOBMCフラグobmc_flag[i]=１（OBMC処理が有効）の場合、iが示す方向のサブブロック境界のS個の画素に対し以下の加重平均処理を行う。
【０４７０】
PredC[x][y]＝((w1*PredC[x][y]＋w2*PredRN[x][y])+o)>>shift  （式INTER-4）
ここで、加重平均処理における重みw1、w2について説明する。加重平均処理における重みw1、w2は、サブブロック境界からの対象画素の距離（画素数）に応じて決定する。w1+w2=(1<<shift)、o=1<<(shift-1)の関係がある。
【０４７１】
OBMC処理では、複数の隣接ブロックの補間画像を用いて予測画像が生成される。ここで、複数の隣接ブロックの動きパラメータから、PredC[x][y]を更新する方法を説明する。
【０４７２】
はじめに、動き補償部３０９１は、obmc_flag[1]=１の場合、対象サブブロックの補間
画像PredC[x][y]に上側隣接ブロックの動きパラメータを用いて作成した補間画像PredRA[x][y]を適用してPredC[x][y]を更新する。
【０４７３】
PredC[x][y]＝((w1*PredC[x][y]＋w2*PredRA[x][y])+o)>>shift  （式INTER-5）
次に、動き補償部３０９１は、obmc_flag[i]=１である方向iに対し、対象サブブロックの左側(i=2)、下側(i=3)および右側(i=4)の隣接ブロックの動きパラメータを用いて作成
した補間画像PredRL[x][y]、PredRL[x][y]、PredRL[x][y]を用いてPredC[x][y]を順次更
新する。すなわち、以下の式により更新する。
【０４７４】
PredC[x][y]＝((w1*PredC[x][y]＋w2*PredRL[x][y])+o)>>shift（式INTER-6）
PredC[x][y]＝((w1*PredC[x][y]＋w2*PredRB[x][y])+o)>>shift
PredC[x][y]＝((w1*PredC[x][y]＋w2*PredRR[x][y])+o)>>shift
obmc_flag[0]=0の場合、あるいは、i=1〜4に対し、上記の処理を実施した後、PredC[x][y]を予測画像PredLX[x][y]にセットする(S3416)。
【０４７５】
PredLX[x][y] = PredC[x][y]                        （式INTER-7）
以上のように、動き補償部３０９１は対象サブブロックの隣接ブロックの動きパラメータを考慮して予測画像を生成することができるので、OBMC処理では予測精度の高い予測画像を生成することができる。
【０４７６】
また、OBMC処理により更新されるサブブロック境界の画素数Sは任意で良い（S=２〜ブ
ロックサイズ）。また、OBMC処理の対象となるサブブロックを含むブロックの分割様式も、2NxN、Nx2N、NxN等の任意の分割様式で良い。
【０４７７】
このようにOBMCの動きベクトルを導出し、予測画像を生成することで、サブブロックの動きベクトルがタイル外を指す場合でも、タイル内の画素値を用いて参照画素を置き換える。従って、OBMC処理の使用頻度の低下を抑制しつつ、タイルを独立にインター予測できるので符号化効率を高めることができる。
【０４７８】
（LIC補間画像生成）
LICでは、LIC予測部3039で算出されたスケール係数aとオフセットbを用いて、(式INTER-3)で導出した対象ブロックの補間画像Predを修正し、予測画像PredLXを生成する。
【０４７９】
PredLX[x][y] = Pred[x][y]*a+b                  （式INTER-8）
（重み予測）
重み予測部３０９４は、入力される動き補償画像PredLXに重み係数を乗算することにより対象ブロックの予測画像を生成する。予測リスト利用フラグの一方（predFlagL0もしくはpredFlagL1）が１の場合（単予測の場合）で、重み予測を用いない場合には入力された動き補償画像PredLX（LXはL0もしくはL1）を画素ビット数bitDepthに合わせる以下の式の処理を行う。
【０４８０】
Pred[x][y] = Clip3( 0, (1<<bitDepth)-1, (PredLX[x][y]+offset1)>>shift1 )    
（式INTER-9）
ここで、shift1=14-bitDepth、offset1=1<<(shift1-1)である。
また、予測リスト利用フラグの両者（predFlagL0とpredFlagL1）が１の場合（双予測BiPredの場合）で、重み予測を用いない場合には、入力された動き補償画像PredL0、PredL1を平均し画素ビット数に合わせる以下の式の処理を行う。
【０４８１】
Pred[x][y] = Clip3( 0, (1<<bitDepth)-1, (PredL0[x][y]+PredL1[x][y]+offset2)>>shift2 )                                        （式INTER-10）
ここで、shift2=15-bitDepth、offset2=1<<(shift2-1)である。
【０４８２】
さらに、単予測の場合で、重み予測を行う場合には、重み予測部３０９４は、重み予測係数w0とオフセットo0を符号化データから導出し、以下の式の処理を行う。
【０４８３】
Pred[x][y] = Clip3( 0, (1<<bitDepth)-1, ((PredLX[x][y]*w0+2^(log2WD-1))>>log2WD)+o0 )                                        （式INTER-11）
ここで、log2WDは所定のシフト量を示す変数である。
【０４８４】
さらに、双予測BiPredの場合で、重み予測を行う場合には、重み予測部３０９４は、重み予測係数w0、w1、o0、o1を符号化データから導出し、以下の式の処理を行う。
【０４８５】
Pred[x][y] = Clip3( 0, (1<<bitDepth)-1, (PredL0[x][y]*w0+PredL1[x][y]*w1+((o0+o1+1)<<log2WD))>>(log2WD+1))（式INTER-12）
＜動きベクトル復号処理＞
以下では、図９を参照して、本実施形態に係る動きベクトル復号処理について具体的に説明する。
【０４８６】
上述の説明から明らかなように、本実施形態に係る動きベクトル復号処理は、インター予測に関連するシンタックス要素を復号する処理（動きシンタックス復号処理とも呼ぶ）と、動きベクトルを導出する処理（動きベクトル導出処理）とを含んでいる。
【０４８７】
（動きシンタックス復号処理）
図９は、インター予測パラメータ復号制御部３０３１によって行われるインター予測シンタックス復号処理の流れを示すフローチャートである。図９の説明における以下の説明において、特に明示のない場合、各処理はインター予測パラメータ復号制御部３０３１によって行われる。
【０４８８】
まず、ステップＳ１０１において、マージフラグmerge_flagが復号され、ステップＳ１０２において、merge_flag != 0（merge_flagが０でないか）が判断される。
【０４８９】
merge_flag !=0 が真（Ｓ１０２でＹ）の場合、Ｓ１０３においてマージインデックスmerge_idxが復号され、マージモードにおける動きベクトル導出処理（Ｓ１１１）を実行する。
【０４９０】
merge_flag!=0 が偽（Ｓ１０２でＮ）の場合、Ｓ１０４においてインター予測識別子inter_pred_idcを復号する。
【０４９１】
inter_pred_idcがPRED_L1以外（PRED_L0もしくはPRED_BI）の場合、Ｓ１０５、Ｓ１０
６、Ｓ１０７において、参照ピクチャインデックスref_idx_l0、差分ベクトルのパラメータmvdL0、予測ベクトルインデックスmvp_l0_idxが各々復号される。
【０４９２】
inter_pred_idcがPRED_L0以外（PRED_L1もしくはPRED_BI）の場合、Ｓ１０８、Ｓ１０
９、Ｓ１１０において、参照ピクチャインデックスref_idx_l1、差分ベクトルのパラメータmvdL1、予測ベクトルインデックスmvp_l1_idxが復号される。続いて、AMVPモードにお
ける動きベクトル導出処理（Ｓ１１２）を実行する。
【０４９３】
このような構成によって、画像復号装置2000は、independent_tile_flagの値が1である場合にタイルシーケンス単位で独立にタイルを復号することができる。また、個々のツール毎に各タイルの復号の独立性を保証する仕組みを導入するので、符号化効率の低下を抑えつつ、動画像において、各タイルを独立に復号をすることができる。これにより、表示等に必要な領域を選択して復号できるので、処理量を大幅に削減することができる。
【０４９４】
（画像符号化装置の構成）
図20(b)に本発明の動画像符号化装置2020を示す。動画像符号化装置2020は、ピクチャ
分割部2010、ヘッダ情報生成部2011、タイル符号化部2012a〜2012nおよび符号化ストリーム生成部2013を含んで構成される。
【０４９５】
ピクチャ分割部2010は、ピクチャを互いに重複しない複数のタイルに分割し、タイルをタイル符号化部2012a〜2012nに伝送する。ヘッダ情報生成部2011は、分割したタイルからタイル情報（TileId、タイルの分割数、サイズに関する情報）を生成し、ヘッダ情報として符号化ストリーム生成部2013に伝送する。
【０４９６】
タイル符号化部2012a〜2012nは、各タイルを符号化する。また、タイル符号化部2012a
〜2012nは、タイルシーケンス単位でタイルを符号化する。このように、タイル符号化部2012a〜2012nによれば、タイルを並列に符号化処理することができる。
【０４９７】
ここで、タイル符号化部2012a〜2012nは、１つの独立なビデオシーケンスと同様に、タイルシーケンスに対し符号化処理を行い、TileIDの異なるタイルシーケンスの予測情報は符号化処理を行う際に時間的にも空間的にも参照しない。すなわち、タイル符号化部2012a〜2012nは、あるピクチャ内のタイルを符号化する場合に、空間的にも時間的にも別のタイルを参照しない。
【０４９８】
符号化ストリーム生成部2013は、ヘッダ情報生成部2011から伝送されたタイル情報を含むヘッダ情報と、タイル符号化部2012a〜2012nがタイルを符号化して、NALユニット単位
で符号化ストリームTeを生成する。
【０４９９】
このように、タイル符号化部2012a〜2012nが各タイルを独立に符号化することができるため、複数のタイルを並列に符号化処理することも、復号装置側で複数のタイルを並列に復号処理することも、１つのタイルのみを独立して復号することもできる。
【０５００】
（タイル符号化部の構成）
次に、タイル符号化部2012a〜2012nの構成について説明する。以下に一例として、タイル符号化部2012aの構成を、図４を用いて説明する。図４は、タイル符号化部2012a〜2012nの１つである2012の構成を示すブロック図である。図４は、本実施形態に係るタイル符
号化部2012の構成を示すブロック図である。タイル符号化部2012は、予測画像生成部１０１、減算部１０２、変換・量子化部１０３、エントロピー符号化部１０４、逆量子化・逆変換部１０５、加算部１０６、ループフィルタ１０７、予測パラメータメモリ（予測パラメータ記憶部、フレームメモリ）１０８、参照ピクチャメモリ（参照画像記憶部、フレームメモリ）１０９、符号化パラメータ決定部１１０、予測パラメータ符号化部１１１を含んで構成される。予測パラメータ符号化部１１１は、インター予測パラメータ符号化部１１２及びイントラ予測パラメータ符号化部１１３を含んで構成される。なお、タイル符号
化部2012はループフィルタ１０７が含まれない構成であってもよい。
【０５０１】
予測画像生成部１０１は画像Ｔの各ピクチャについて、そのピクチャを分割した領域である符号化ユニットCU毎に予測ユニットPUの予測画像Ｐを生成する。ここで、予測画像生成部１０１は、予測パラメータ符号化部１１１から入力された予測パラメータに基づいて参照ピクチャメモリ１０９から復号済のブロックを読み出す。予測パラメータ符号化部１１１から入力された予測パラメータとは、例えばインター予測の場合、動きベクトルである。予測画像生成部１０１は、対象PUを起点として動きベクトルが示す参照ピクチャ上の位置にあるブロックを読み出す。またイントラ予測の場合、予測パラメータとは例えばイントラ予測モードである。イントラ予測モードで使用する隣接PUの画素値を参照ピクチャメモリ１０９から読み出し、PUの予測画像Pを生成する。予測画像生成部１０１は、読み
出した参照ピクチャブロックについて複数の予測方式のうちの１つの予測方式を用いてPUの予測画像Ｐを生成する。予測画像生成部１０１は、生成したPUの予測画像Ｐを減算部１０２に出力する。
【０５０２】
なお、予測画像生成部１０１は、既に説明した予測画像生成部３０８と同じ動作である。例えば、図６は、予測画像生成部１０１に含まれるインター予測画像生成部１０１１の構成を示す概略図である。インター予測画像生成部１０１１は、動き補償部１０１１１、重み予測部１０１１２を含んで構成される。動き補償部１０１１１および重み予測部１０１１２については、上述の動き補償部３０９１、重み予測部３０９４のそれぞれと同様の構成であるためここでの説明を省略する。また、タイル境界でのパディング処理についても予測画像生成部３０８と同じ動作であり、ここでの説明を省略する。
【０５０３】
予測画像生成部１０１は、予測パラメータ符号化部から入力されたパラメータを用いて、参照ピクチャメモリから読み出した参照ブロックの画素値をもとにPUの予測画像Pを生
成する。予測画像生成部１０１で生成した予測画像は減算部１０２、加算部１０６に出力される。
【０５０４】
予測画像生成部１０１に含まれる（図示しない）イントラ予測画像生成部は既に説明したイントラ予測画像生成部３１０と同じ動作である。
【０５０５】
減算部１０２は、予測画像生成部１０１から入力されたPUの予測画像Ｐの信号値を、画像Ｔの対応するPU位置の画素値から減算して、残差信号を生成する。減算部１０２は、生成した残差信号を変換・量子化部１０３に出力する。
【０５０６】
変換・量子化部１０３は、減算部１０２から入力された予測残差信号に対し周波数変換を行い、変換係数を算出する。変換・量子化部１０３は、算出した変換係数を量子化して量子化変換係数を求める。変換・量子化部１０３は、求めた量子化変換係数をエントロピー符号化部１０４及び逆量子化・逆変換部１０５に出力する。
【０５０７】
エントロピー符号化部１０４には、変換・量子化部１０３から量子化変換係数が入力され、予測パラメータ符号化部１１１から予測パラメータが入力される。入力される予測パラメータには、例えば、参照ピクチャインデックスref_idx_lX、予測ベクトルインデックスmvp_lX_idx、差分ベクトルmvdLX、予測モードpred_mode_flag、及びマージインデック
スmerge_idx等の符号がある。
【０５０８】
エントロピー符号化部１０４は、入力された分割情報、予測パラメータ、量子化変換係数等をエントロピー符号化して符号化ストリームTeを生成し、生成した符号化ストリームTeを外部に出力する。
【０５０９】
逆量子化・逆変換部１０５は、タイル復号部2002における、逆量子化・逆変換部３１１（図５）と同じであり、変換・量子化部１０３から入力された量子化変換係数を逆量子化して変換係数を求める。逆量子化・逆変換部１０５は、求めた変換係数について逆変換を行い、残差信号を算出する。逆量子化・逆変換部１０５は、算出した残差信号を加算部１０６に出力する。
【０５１０】
加算部１０６は、予測画像生成部１０１から入力されたPUの予測画像Ｐの信号値と逆量子化・逆変換部１０５から入力された残差信号の信号値を画素毎に加算して、復号画像を生成する。加算部１０６は、生成した復号画像を参照ピクチャメモリ１０９に記憶する。
【０５１１】
ループフィルタ１０７は加算部１０６が生成した復号画像に対し、デブロッキングフィルタ１１４、サンプル適応オフセット（SAO）１１５、適応ループフィルタ（ALF）１１６を施す。なお、ループフィルタ１０７は、必ずしも上記３種類のフィルタを含まなくてもよく、例えばデブロッキングフィルタ１１４のみの構成であってもよい。
【０５１２】
予測パラメータメモリ１０８は、符号化パラメータ決定部１１０が生成した予測パラメータを、符号化対象のピクチャ及びCU毎に予め定めた位置に記憶する。
【０５１３】
参照ピクチャメモリ１０９は、ループフィルタ１０７が生成した復号画像を、符号化対象のピクチャ及びCU毎に予め定めた位置に記憶する。
【０５１４】
符号化パラメータ決定部１１０は、符号化パラメータの複数のセットのうち、１つのセットを選択する。符号化パラメータとは、上述したQTあるいはBT分割パラメータや予測パラメータやこれらに関連して生成される符号化の対象となるパラメータである。予測画像生成部１０１は、これらの符号化パラメータのセットの各々を用いてPUの予測画像Ｐを生成する。
【０５１５】
符号化パラメータ決定部１１０は、複数のセットの各々について情報量の大きさと符号化誤差を示すRDコスト値を算出する。RDコスト値は、例えば、符号量と二乗誤差に係数λを乗じた値との和である。符号量は、量子化残差と符号化パラメータをエントロピー符号化して得られる符号化ストリームTeの情報量である。二乗誤差は、減算部１０２において算出された残差信号の残差値の二乗値についての画素間の総和である。係数λは、予め設定されたゼロよりも大きい実数である。符号化パラメータ決定部１１０は、算出したRDコスト値が最小となる符号化パラメータのセットを選択する。これにより、エントロピー符号化部１０４は、選択した符号化パラメータのセットを符号化ストリームTeとして外部に出力し、選択されなかった符号化パラメータのセットを出力しない。符号化パラメータ決定部１１０は決定した符号化パラメータを予測パラメータメモリ１０８に記憶する。
【０５１６】
予測パラメータ符号化部１１１は、符号化パラメータ決定部１１０から入力されたパラメータから、符号化するための形式を導出し、エントロピー符号化部１０４に出力する。符号化するための形式の導出とは、例えば動きベクトルと予測ベクトルから差分ベクトルを導出することである。また予測パラメータ符号化部１１１は、符号化パラメータ決定部１１０から入力されたパラメータから予測画像を生成するために必要なパラメータを導出し、予測画像生成部１０１に出力する。予測画像を生成するために必要なパラメータとは、例えばサブブロック単位の動きベクトルである。
【０５１７】
インター予測パラメータ符号化部１１２は、符号化パラメータ決定部１１０から入力された予測パラメータに基づいて、差分ベクトルのようなインター予測パラメータを導出する。インター予測パラメータ符号化部１１２は、予測画像生成部１０１に出力する予測画像の生成に必要なパラメータを導出する構成として、インター予測パラメータ復号部３０
３がインター予測パラメータを導出する構成と一部同一の構成を含む。インター予測パラメータ符号化部１１２の構成については、後述する。
【０５１８】
また、イントラ予測パラメータ符号化部１１３は、予測画像生成部１０１に出力する予測画像の生成に必要な予測パラメータを導出する構成として、イントラ予測パラメータ復号部３０４がイントラ予測パラメータを導出する構成と、一部同一の構成を含む。
【０５１９】
イントラ予測パラメータ符号化部１１３は、符号化パラメータ決定部１１０から入力されたイントラ予測モードIntraPredModeから、符号化するための形式（例えばMPM_idx、rem_intra_luma_pred_mode等）を導出する。
【０５２０】
（インター予測パラメータ符号化部の構成）
次に、インター予測パラメータ符号化部１１２の構成について説明する。インター予測パラメータ符号化部１１２は、図１２のインター予測パラメータ復号部３０３に対応する手段であり、図１０に構成を示す。
【０５２１】
インター予測パラメータ符号化部１１２は、インター予測パラメータ符号化制御部１１２１、AMVP予測パラメータ導出部１１２２、減算部１１２３、サブブロック予測パラメータ導出部１１２５、BTM予測部1126、LIC予測部1127、及び図示しない、分割モード導出部、マージフラグ導出部、インター予測識別子導出部、参照ピクチャインデックス導出部、ベクトル差分導出部などを含んで構成され、分割モード導出部、マージフラグ導出部、インター予測識別子導出部、参照ピクチャインデックス導出部、ベクトル差分導出部は各々、PU分割モードpart_mode、マージフラグmerge_flag、インター予測識別子inter_pred_idc、参照ピクチャインデックスrefIdxLX、差分ベクトルmvdLXを導出する。インター予測パラメータ符号化部１１２は、動きベクトル（mvLX、subMvLX）と参照ピクチャインデック
スrefIdxLX、PU分割モードpart_mode、インター予測識別子inter_pred_idc、あるいはこ
れらを示す情報を予測画像生成部１０１に出力する。またインター予測パラメータ符号化部１１２は、PU分割モードpart_mode、マージフラグmerge_flag、マージインデックスmerge_idx、インター予測識別子inter_pred_idc、参照ピクチャインデックスrefIdxLX、予測ベクトルインデックスmvp_lX_idx、差分ベクトルmvdLX、サブブロック予測モードフラグsubPbMotionFlagをエントロピー符号化部１０４に出力する。
【０５２２】
インター予測パラメータ符号化制御部１１２１は、マージインデックス導出部１１２１１とベクトル候補インデックス導出部１１２１２を含む。マージインデックス導出部１１２１１は、符号化パラメータ決定部１１０から入力された動きベクトルと参照ピクチャインデックスを、予測パラメータメモリ１０８から読み出したマージ候補のPUが持つ動きベクトルと参照ピクチャインデックスと比較して、マージインデックスmerge_idxを導出し
、エントロピー符号化部１０４に出力する。マージ候補とは、符号化対象となる符号化対象CUから予め定めた範囲にある参照PU（例えば、符号化対象ブロックの左下端、左上端、右上端に接する参照PU）であって、符号化処理が完了したPUである。ベクトル候補インデックス導出部１１２１２は予測ベクトルインデックスmvp_lX_idxを導出する。
【０５２３】
サブブロック予測パラメータ導出部１１２５には、符号化パラメータ決定部１１０がサブブロック予測モードの使用を決定した場合、subPbMotionFlagの値に従って、空間サブ
ブロック予測、時間サブブロック予測、アフィン予測、マッチング動き導出、OBMC予測のいずれかのサブブロック予測の動きベクトルと参照ピクチャインデックスを導出する。動きベクトルと参照ピクチャインデックスは、タイル復号部2002の説明で述べたように、隣接PU、参照ピクチャブロック等の動きベクトルや参照ピクチャインデックスを予測パラメータメモリ１０８から読み出し、導出する。サブブロック予測パラメータ導出部1125、および、この中に含まれる時空間サブブロック予測部11251、アフィン予測部11252、マッチ
ング予測部11253、OBMC予測部11254は、インター予測パラメータ復号部303のサブブロッ
ク予測パラメータ導出部3037、および、この中に含まれる時空間サブブロック予測部30371、アフィン予測部30372、マッチング予測部30373、OBMC予測部30374と同様の構成を有する。
【０５２４】
AMVP予測パラメータ導出部１１２２は、アフィン予測部11221を含み、上述のAMVP予測
パラメータ導出部３０３２（図１２参照）と同様な構成を有する。
【０５２５】
すなわち、予測モードpredModeがインター予測モードを示す場合、AMVP予測パラメータ導出部１１２２には符号化パラメータ決定部１１０から動きベクトルmvLXが入力される。AMVP予測パラメータ導出部１１２２は、入力された動きベクトルmvLXに基づいて予測ベクトルmvpLXを導出する。AMVP予測パラメータ導出部１１２２は、導出した予測ベクトルmvpLXを減算部１１２３に出力する。なお、参照ピクチャインデックスrefIdxLX及び予測ベクトルインデックスmvp_lX_idxは、エントロピー符号化部１０４に出力される。また、アフィン予測部11221は、上述のAMVP予測パラメータ導出部３０３２のアフィン予測部30321（図１２参照）と同様な構成を有する。
LIC予測部1127は、上述のLIC予測部3039（図１２参照）と同様な構成を有する。
【０５２６】
減算部１１２３は、符号化パラメータ決定部１１０から入力された動きベクトルmvLXから、AMVP予測パラメータ導出部１１２２から入力された予測ベクトルmvpLXを減算して差
分ベクトルmvdLXを生成する。差分ベクトルmvdLXはエントロピー符号化部１０４に出力される。
【０５２７】
本発明の一態様に係る画像復号装置、あるいは動画像符号化装置は、予測対象ブロックに対して設定される参照領域上のフィルタ済参照画像を導出するフィルタ済参照画像設定部と、イントラ予測モードに応じた予測方式により、前記フィルタ済参照画像を参照して前記予測対象ブロックの仮予測画像を導出する予測部と、前記参照領域上の未フィルタ参照画像と前記イントラ予測モードに基づいて予測画像補正処理を行うことにより、前記仮予測画像から予測画像を生成する予測画像補正部とを備え、前記予測画像補正部は、前記仮予測画像の画素値と、少なくとも２個以上の未フィルタ参照画像の画素値とに対して重み係数を用いた重み付け加算を適用することで前記予測画像を導出し、前記予測対象ブロックの左上に位置する未フィルタ参照画像の画素（左上画素）がタイルシーケンス外に位置する場合、前記左上画素の画素値をタイルシーケンス内の画素値で置き換えて予測画像を導出することを特徴とする。
【０５２８】
本発明の一態様に係る画像復号装置、あるいは動画像符号化装置において、前記予測画像補正部は、前記左上画素の画素値を、予測対象ブロックの左端、あるいは右端の画素の直上に位置する未フィルタ参照画像の画素値で置換えることを特徴とする。
【０５２９】
本発明の一態様に係る画像復号装置、あるいは動画像符号化装置において、前記予測画像補正部は、前記左上画素の画素値を、予測対象ブロックの上端、あるいは下端の画素の直左に位置する未フィルタ参照画像の画素値で置換えることを特徴とする。
【０５３０】
本発明の一態様に係る画像復号装置、あるいは動画像符号化装置は、予測対象ブロックに隣接する輝度成分の未フィルタ参照画像と色差成分の未フィルタ参照画像から、輝度成分と色差成分間の線形モデル（予測パラメータ）を導出する導出手段と、前記予測対象ブロックの輝度成分の復号画像をダウンサンプリングするフィルタを複数備えたダウンサンプリング手段と、前記予測パラメータを参照して、ダウンサンプリングされた前記輝度成分の復号画像から色差成分の予測画像を生成する予測手段とを備え、前記予測対象ブロックの左側、あるいは、上側の未フィルタ参照画像の少なくとも一部がタイルシーケンス外
に位置する場合、前記ダウンサンプリング手段はあらかじめ定められた一種類のフィルタを用いて、前記輝度成分の復号画像をダウンサンプリングすることを特徴とする。
【０５３１】
本発明の一態様に係る画像復号装置、あるいは動画像符号化装置は、対象ブロック毎に、初期ベクトル探索とマッチング処理による局所探索を行うことにより動きベクトルを導出する第１の動きベクトル導出部と、前記第１の動きベクトル導出部により導出された第１の動きベクトルを参照して、前記対象ブロック内に含まれる複数のサブブロックの各々について、初期ベクトル探索とマッチング処理による局所探索を行うことにより動きベクトルを導出する第２の動きベクトル導出部とを備え、前記マッチング処理における動きベクトル探索のサーチレンジにタイルシーケンスの外側が含まれる場合、前記サーチレンジはタイルシーケンス内の画素のみを参照するように設定されることを特徴とする。
【０５３２】
（ソフトウェアによる実現例）
なお、上述した実施形態におけるタイル符号化部2012、タイル復号部2002の一部、例えば、エントロピー復号部３０１、予測パラメータ復号部３０２、ループフィルタ３０５、予測画像生成部３０８、逆量子化・逆変換部３１１、加算部３１２、予測画像生成部１０１、減算部１０２、変換・量子化部１０３、エントロピー符号化部１０４、逆量子化・逆変換部１０５、ループフィルタ１０７、符号化パラメータ決定部１１０、予測パラメータ符号化部１１１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、タイル符号化部2012、タイル復号部2002のいずれかに内蔵されたコンピュータシステムであって、OSや周辺機器等のハードウェアを含むものとする。また、「コンピュータ読み取り可能な記録媒体」とは、フレキシブルディスク、光磁気ディスク、ROM、CD-ROM等の可搬媒体、コンピュ
ータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０５３３】
また、上述した実施形態における画像符号化装置１１、画像復号装置３１の一部、または全部を、LSI（Large Scale Integration）等の集積回路として実現しても良い。画像符号化装置１１、画像復号装置３１の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０５３４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０５３５】
〔応用例〕
上述した画像符号化装置１１及び画像復号装置３１は、動画像の送信、受信、記録、再生を行う各種装置に搭載して利用することができる。なお、動画像は、カメラ等により撮像された自然動画像であってもよいし、コンピュータ等により生成された人工動画像（CG
およびGUIを含む）であってもよい。
【０５３６】
まず、上述した画像符号化装置１１及び画像復号装置３１を、動画像の送信及び受信に利用できることを、図２７を参照して説明する。
【０５３７】
図２７の（ａ）は、画像符号化装置１１を搭載した送信装置PROD_Aの構成を示したブロック図である。図２７の（ａ）に示すように、送信装置PROD_Aは、動画像を符号化することによって符号化データを得る符号化部PROD_A1と、符号化部PROD_A1が得た符号化データで搬送波を変調することによって変調信号を得る変調部PROD_A2と、変調部PROD_A2が得た変調信号を送信する送信部PROD_A3と、を備えている。上述した画像符号化装置１１は、
この符号化部PROD_A1として利用される。
【０５３８】
送信装置PROD_Aは、符号化部PROD_A1に入力する動画像の供給源として、動画像を撮像
するカメラPROD_A4、動画像を記録した記録媒体PROD_A5、動画像を外部から入力するための入力端子PROD_A6、及び、画像を生成または加工する画像処理部PRED_A7を更に備えていてもよい。図２７の（ａ）においては、これら全てを送信装置PROD_Aが備えた構成を例示しているが、一部を省略しても構わない。
【０５３９】
なお、記録媒体PROD_A5は、符号化されていない動画像を記録したものであってもよい
し、伝送用の符号化方式とは異なる記録用の符号化方式で符号化された動画像を記録したものであってもよい。後者の場合、記録媒体PROD_A5と符号化部PROD_A1との間に、記録媒体PROD_A5から読み出した符号化データを記録用の符号化方式に従って復号する復号部（
不図示）を介在させるとよい。
【０５４０】
図２７の（ｂ）は、画像復号装置３１を搭載した受信装置PROD_Bの構成を示したブロック図である。図２７の（ｂ）に示すように、受信装置PROD_Bは、変調信号を受信する受信部PROD_B1と、受信部PROD_B1が受信した変調信号を復調することによって符号化データを得る復調部PROD_B2と、復調部PROD_B2が得た符号化データを復号することによって動画像を得る復号部PROD_B3と、を備えている。上述した画像復号装置３１は、この復号部PROD_B3として利用される。
【０５４１】
受信装置PROD_Bは、復号部PROD_B3が出力する動画像の供給先として、動画像を表示す
るディスプレイPROD_B4、動画像を記録するための記録媒体PROD_B5、及び、動画像を外部に出力するための出力端子PROD_B6を更に備えていてもよい。図２７の（ｂ）においては
、これら全てを受信装置PROD_Bが備えた構成を例示しているが、一部を省略しても構わない。
【０５４２】
なお、記録媒体PROD_B5は、符号化されていない動画像を記録するためのものであって
もよいし、伝送用の符号化方式とは異なる記録用の符号化方式で符号化されたものであってもよい。後者の場合、復号部PROD_B3と記録媒体PROD_B5との間に、復号部PROD_B3から
取得した動画像を記録用の符号化方式に従って符号化する符号化部（不図示）を介在させるとよい。
【０５４３】
なお、変調信号を伝送する伝送媒体は、無線であってもよいし、有線であってもよい。また、変調信号を伝送する伝送態様は、放送（ここでは、送信先が予め特定されていない送信態様を指す）であってもよいし、通信（ここでは、送信先が予め特定されている送信態様を指す）であってもよい。すなわち、変調信号の伝送は、無線放送、有線放送、無線通信、及び有線通信の何れによって実現してもよい。
【０５４４】
例えば、地上デジタル放送の放送局（放送設備など）／受信局（テレビジョン受像機な
ど）は、変調信号を無線放送で送受信する送信装置PROD_A／受信装置PROD_Bの一例である。また、ケーブルテレビ放送の放送局（放送設備など）／受信局（テレビジョン受像機など）は、変調信号を有線放送で送受信する送信装置PROD_A／受信装置PROD_Bの一例である。
【０５４５】
また、インターネットを用いたVOD（Video On Demand）サービスや動画共有サービスなどのサーバ（ワークステーションなど）／クライアント（テレビジョン受像機、パーソナルコンピュータ、スマートフォンなど）は、変調信号を通信で送受信する送信装置PROD_A／受信装置PROD_Bの一例である（通常、ＬＡＮにおいては伝送媒体として無線または有線の何れかが用いられ、ＷＡＮにおいては伝送媒体として有線が用いられる）。ここで、パーソナルコンピュータには、デスクトップ型PC、ラップトップ型PC、及びタブレット型PCが含まれる。また、スマートフォンには、多機能携帯電話端末も含まれる。
【０５４６】
なお、動画共有サービスのクライアントは、サーバからダウンロードした符号化データを復号してディスプレイに表示する機能に加え、カメラで撮像した動画像を符号化してサーバにアップロードする機能を有している。すなわち、動画共有サービスのクライアントは、送信装置PROD_A及び受信装置PROD_Bの双方として機能する。
【０５４７】
次に、上述した画像符号化装置１１及び画像復号装置３１を、動画像の記録及び再生に利用できることを、図２８を参照して説明する。
【０５４８】
図２８の（ａ）は、上述した画像符号化装置１１を搭載した記録装置PROD_Cの構成を示したブロック図である。図２８の（ａ）に示すように、記録装置PROD_Cは、動画像を符号化することによって符号化データを得る符号化部PROD_C1と、符号化部PROD_C1が得た符号化データを記録媒体PROD_Mに書き込む書込部PROD_C2と、を備えている。上述した画像符
号化装置１１は、この符号化部PROD_C1として利用される。
【０５４９】
なお、記録媒体PROD_Mは、（１）HDD（Hard Disk Drive）やSSD(Solid State Drive)などのように、記録装置PROD_Cに内蔵されるタイプのものであってもよいし、（２）SDメモリカードやUSB（Universal Serial Bus）フラッシュメモリなどのように、記録装置PROD_Cに接続されるタイプのものであってもよいし、（３）DVD（Digital Versatile Disc）やBD（Blu-ray （登録商標）Disc）などのように、記録装置PROD_Cに内蔵されたドライブ装置（不図示）に装填されるものであってもよい。
【０５５０】
また、記録装置PROD_Cは、符号化部PROD_C1に入力する動画像の供給源として、動画像
を撮像するカメラPROD_C3、動画像を外部から入力するための入力端子PROD_C4、動画像を受信するための受信部PROD_C5、及び、画像を生成または加工する画像処理部PROD_C6を更に備えていてもよい。図２８の（ａ）においては、これら全てを記録装置PROD_Cが備えた構成を例示しているが、一部を省略しても構わない。
【０５５１】
なお、受信部PROD_C5は、符号化されていない動画像を受信するものであってもよいし
、記録用の符号化方式とは異なる伝送用の符号化方式で符号化された符号化データを受信するものであってもよい。後者の場合、受信部PROD_C5と符号化部PROD_C1との間に、伝送用の符号化方式で符号化された符号化データを復号する伝送用復号部（不図示）を介在させるとよい。
【０５５２】
このような記録装置PROD_Cとしては、例えば、DVDレコーダ、BDレコーダ、HDD（Hard Disk Drive）レコーダなどが挙げられる（この場合、入力端子PROD_C4または受信部PROD_C5が動画像の主な供給源となる）。また、カムコーダ（この場合、カメラPROD_C3が動画像の主な供給源となる）、パーソナルコンピュータ（この場合、受信部PROD_C5または画像
処理部Ｃ６が動画像の主な供給源となる）、スマートフォン（この場合、カメラPROD_C3
または受信部PROD_C5が動画像の主な供給源となる）なども、このような記録装置PROD_C
の一例である。
【０５５３】
図２８の（ｂ）は、上述した画像復号装置３１を搭載した再生装置PROD_Dの構成を示したブロックである。図２８の（ｂ）に示すように、再生装置PROD_Dは、記録媒体PROD_Mに書き込まれた符号化データを読み出す読出部PROD_D1と、読出部PROD_D1が読み出した符号化データを復号することによって動画像を得る復号部PROD_D2と、を備えている。上述し
た画像復号装置３１は、この復号部PROD_D2として利用される。
【０５５４】
なお、記録媒体PROD_Mは、（１）HDDやSSDなどのように、再生装置PROD_Dに内蔵されるタイプのものであってもよいし、（２）SDメモリカードやUSBフラッシュメモリなどのよ
うに、再生装置PROD_Dに接続されるタイプのものであってもよいし、（３）DVDやBDなど
のように、再生装置PROD_Dに内蔵されたドライブ装置（不図示）に装填されるものであってもよい。
【０５５５】
また、再生装置PROD_Dは、復号部PROD_D2が出力する動画像の供給先として、動画像を
表示するディスプレイPROD_D3、動画像を外部に出力するための出力端子PROD_D4、及び、動画像を送信する送信部PROD_D5を更に備えていてもよい。図２８の（ｂ）においては、
これら全てを再生装置PROD_Dが備えた構成を例示しているが、一部を省略しても構わない。
【０５５６】
なお、送信部PROD_D5は、符号化されていない動画像を送信するものであってもよいし
、記録用の符号化方式とは異なる伝送用の符号化方式で符号化された符号化データを送信するものであってもよい。後者の場合、復号部PROD_D2と送信部PROD_D5との間に、動画像を伝送用の符号化方式で符号化する符号化部（不図示）を介在させるとよい。
【０５５７】
このような再生装置PROD_Dとしては、例えば、DVDプレイヤ、BDプレイヤ、HDDプレイヤなどが挙げられる（この場合、テレビジョン受像機等が接続される出力端子PROD_D4が動
画像の主な供給先となる）。また、テレビジョン受像機（この場合、ディスプレイPROD_D3が動画像の主な供給先となる）、デジタルサイネージ（電子看板や電子掲示板等とも称
され、ディスプレイPROD_D3または送信部PROD_D5が動画像の主な供給先となる）、デスクトップ型PC（この場合、出力端子PROD_D4または送信部PROD_D5が動画像の主な供給先となる）、ラップトップ型またはタブレット型PC（この場合、ディスプレイPROD_D3または送
信部PROD_D5が動画像の主な供給先となる）、スマートフォン（この場合、ディスプレイPROD_D3または送信部PROD_D5が動画像の主な供給先となる）なども、このような再生装置PROD_Dの一例である。
【０５５８】
（ハードウェア的実現およびソフトウェア的実現）
また、上述した画像復号装置３１および画像符号化装置１１の各ブロックは、集積回路（ICチップ）上に形成された論理回路によってハードウェア的に実現してもよいし、CPU
（Central Processing Unit）を用いてソフトウェア的に実現してもよい。
【０５５９】
後者の場合、上記各装置は、各機能を実現するプログラムの命令を実行するCPU、上記
プログラムを格納したROM（Read Only Memory）、上記プログラムを展開するRAM（Random
Access Memory）、上記プログラムおよび各種データを格納するメモリ等の記憶装置（記録媒体）などを備えている。そして、本発明の実施形態の目的は、上述した機能を実現するソフトウェアである上記各装置の制御プログラムのプログラムコード（実行形式プログラム、中間コードプログラム、ソースプログラム）をコンピュータで読み取り可能に記録した記録媒体を、上記各装置に供給し、そのコンピュータ（またはCPUやMPU）が記録媒体
に記録されているプログラムコードを読み出し実行することによっても、達成可能である。
【０５６０】
上記記録媒体としては、例えば、磁気テープやカセットテープ等のテープ類、フロッピー（登録商標）ディスク／ハードディスク等の磁気ディスクやCD-ROM（Compact Disc Read-Only Memory）／MOディスク（Magneto-Optical disc）／MD（Mini Disc）／DVD（Digital Versatile Disc）／CD-R（CD Recordable）／ブルーレイディスク（Blu-ray （登録商標）Disc）等の光ディスクを含むディスク類、ICカード（メモリカードを含む）／光カード等のカード類、マスクROM／EPROM（Erasable Programmable Read-Only Memory）／EEPROM（Electrically Erasable and Programmable Read-Only Memory：登録商標）／フラッ
シュROM等の半導体メモリ類、あるいはPLD（Programmable logic device）やFPGA（Field
Programmable Gate Array）等の論理回路類などを用いることができる。
【０５６１】
また、上記各装置を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、LAN（Local Area Network）、ISDN（Integrated Services Digital
Network）、VAN（Value-Added Network）、CATV（Community Antenna television/Cable
Television）通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、IEEE（Institute of Electrical and Electronic Engineers）1394、USB、電力線搬送、ケーブルＴＶ回線、電話線、ADSL（Asymmetric Digital Subscriber
Line）回線等の有線でも、IrDA（Infrared Data Association）やリモコンのような赤外線、BlueTooth（登録商標）、IEEE802.11無線、HDR（High Data Rate）、NFC（Near Field Communication）、DLNA（登録商標）（Digital Living Network Alliance）、携帯電話網、衛星回線、地上デジタル放送網等の無線でも利用可能である。なお、本発明の実施形態は、上記プログラムコードが電子的な伝送で具現化された、搬送波に埋め込まれたコンピュータデータ信号の形態でも実現され得る。
【０５６２】
本発明の実施形態は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０５６３】
本発明の実施形態は、画像データが符号化された符号化データを復号する画像復号装置、および、画像データが符号化された符号化データを生成する画像符号化装置に好適に適用することができる。また、画像符号化装置によって生成され、画像復号装置によって参照される符号化データのデータ構造に好適に適用することができる。
【符号の説明】
【０５６４】
１０  CT情報復号部
２０  CU復号部
４１  画像表示装置
2000  画像復号装置
2002  タイル復号部
2020  画像符号化装置
2012  タイル符号化部
【図１】
2020145487.tif 000003
【図２】
2020145487.tif 000004
【図３】
2020145487.tif 000005
【図４】
2020145487.tif 000006
【図５】
2020145487.tif 000007
【図６】
2020145487.tif 000008
【図７】
2020145487.tif 000009
【図８】
2020145487.tif 000010
【図９】
2020145487.tif 000011
【図１０】
2020145487.tif 000012
【図１１】
2020145487.tif 000013
【図１２】
2020145487.tif 000014
【図１３】
2020145487.tif 000015
【図１４】
2020145487.tif 000016
【図１５】
2020145487.tif 000017
【図１６】
2020145487.tif 000018
【図１７】
2020145487.tif 000019
【図１８】
2020145487.tif 000020
【図１９】
2020145487.tif 000021
【図２０】
2020145487.tif 000022
【図２１】
2020145487.tif 000023
【図２２】
2020145487.tif 000024
【図２３】
2020145487.tif 000025
【図２４】
2020145487.tif 000026
【図２５】
2020145487.tif 000027
【図２６】
2020145487.tif 000028
【図２７】
2020145487.tif 000029
【図２８】
2020145487.tif 000030
【図２９】
2020145487.tif 000031
【図３０】
2020145487.tif 000032
【図３１】
2020145487.tif 000033
【図３２】
2020145487.tif 000034
【図３３】
2020145487.tif 000035
【図３４】
2020145487.tif 000036
【図３５】
2020145487.tif 000037
【図３６】
2020145487.tif 000038
【図３７】
2020145487.tif 000039
【図３８】
2020145487.tif 000040
【図３９】
2020145487.tif 000041
【図４０】
2020145487.tif 000042
【図４１】
2020145487.tif 000043
【図４２】
2020145487.tif 000044
【図４３】
2020145487.tif 000045
【図４４】
2020145487.tif 000046
【図４５】
2020145487.tif 000047
【図４６】
2020145487.tif 000048
【図４７】
2020145487.tif 000049
【図４８】
2020145487.tif 000050